(57)【要約】      （修正有）【課題】各種の情報を閲覧したいというユーザーの多彩なニーズに対して的確に対応可能な車両用システムを提供すること。【解決手段】各種の提示情報を画面に表示させる制御を行うレーダー探知機においては、画面には、提示情報を表示するための１又は２以上のリング表示３４を配置可能であると共に、リング表示３４の背景側に表示される背景画像を設定可能であって、リング表示３４においては、リング表示３４自体が画面に表示されなくなる非表示の表示項目を含め、提示情報の種類が異なる複数の表示項目の中のいずれか一つの表示項目を選択的に設定可能である。【選択図】図１３４
2019094058.tif 000002
【特許請求の範囲】
【請求項１】
所定の表示項目に関する情報を、外枠をなす領域を有する情報表示領域に表示させる手段であって、
前記表示項目に関する第１情報を、前記情報表示領域のうちの前記外枠をなす領域よりも内側の領域に表示させ、
前記表示項目に関する第２情報を、前記第２情報に応じて、前記外枠をなす領域の少なくとも一部の領域の表示を変化させることにより表示させる手段を有するシステム。
【請求項２】
前記第２情報を、前記外枠をなす領域の少なくとも一部の領域の色または明るさを変化させることにより表示する請求項１に記載のシステム。
【請求項３】
前記表示項目は、交通監視活動に関する監視情報の報知を行う項目で、
前記色は、前記交通監視活動の種別に応じた色である
請求項２に記載のシステム。
【請求項４】
前記表示項目は、複数の表示項目の中からユーザーにより設定された表示項目である
請求項１から３のいずれか１項に記載のシステム。
【請求項５】
前記情報表示領域として、第１表示項目に関する情報を表示する第１情報表示領域と、第２表示項目に関する情報を表示する第２情報表示領域とがあり、
前記第１情報表示領域の前記外枠をなす領域が、前記第２情報表示領域の前記外枠をなす領域と重なり合う
請求項１から４のいずれか１項に記載のシステム。
【請求項６】
請求項１から５のいずれか１項に記載のシステムの機能をコンピュータに実現させるためのプログラム。
【発明の詳細な説明】
【技術分野】
【０００１】
本発明は、車両の運転に関連する各種の情報を提供することで車両の運転を支援するシステムに関する。
【背景技術】
【０００２】
従来より、車両の運転を支援するためのシステムとして、速度取締のレーダー波を受信したときに警報し、運転者の注意を喚起するレーダー探知機等の車載装置が実現されている。このような車載装置の中には、車両の現在位置を測位するＧＰＳ機能と、速度取締システムの設置ポイント等のＧＰＳコンテンツのデータベースと、を有し、特定のＧＰＳコンテンツへの接近を検知して運転者に報知するものもある（例えば、特許文献１参照。）。このような車載装置によれば、交通監視活動の実施地点への接近を知らせることでドライバーが知らず知らずのうちに速度を出しすぎてしまうおそれを未然に抑制できる。
【０００３】
上記のような構成の車載装置が接近を報知するＧＰＳコンテンツとしては、速度取締システムの設置ポイントや警察署などの常設ポイントのほか、移動オービスよる速度取締や飲酒検問等の交通監視活動が高頻度で実施される仮設ポイント等がある。車載装置は、各種のＧＰＳコンテンツへの接近を報知することで、安全運転に対する運転者の意識を高めようとしている。
【０００４】
特に、速度取締に適用される車両速度測定装置等は、スピードの出しすぎが誘発され易く危険なポイントに設置されるのが一般的である。このようなポイントへの接近報知は、危険が生じる前に運転者の安全運転の意識を高揚し、危険を未然に回避するために非常に有効である。レーダー探知機等の車載装置は、運転者に安全運転を動機付けるために極めて有用であり、交通安全の確保に寄与し運転を支援する装置となっている。
【０００５】
レーダー探知機等の車載装置は、車両速度測定装置等のＧＰＳコンテンツに接近する状況において各種の報知を実行する一方、近くにＧＰＳコンテンツが存在していない状況では報知の必要性が低下する。このような状況では、表示画面をはじめとする各種の報知手段の活用度合いが低下する。車載装置が備える表示画面等の報知手段を有効に活用することを目的として、車両の速度や加速度等の車両情報などを表示可能をとした車載装置も提案されている（例えば、特許文献２、３参照。）。この車載装置では、ユーザー側の操作によって好みの表示画面を選択的に設定可能である。
【０００６】
しかしながら、上記従来の車載装置では、次のような問題がある。すなわち、ユーザーのニーズは実に多彩であり、予め準備された表示画面によってユーザーニーズを広くカバーしようとするとハードウェア資源等の負担が増加するおそれがある。
【先行技術文献】
【特許文献】
【０００７】
【特許文献１】特開２００７−２４８１８０号公報
【特許文献２】特開２００９−９５４６号公報
【特許文献３】特開２０１０−７６７４０号公報
【発明の概要】
【発明が解決しようとする課題】
【０００８】
本発明は、前記従来の問題点に鑑みてなされたものであり、各種の情報を閲覧したいというユーザーの多彩なニーズに対して的確に対応可能な車両用システムを提供するための発明である。
【課題を解決するための手段】
【０００９】
本発明の第１の態様は、取得されたデータに基づく各種の提示情報を画面に表示させる制御を行う車両用システムにおいて、
画面には、提示情報を表示するための１又は２以上の情報表示領域を配置可能であると共に、該情報表示領域の背景側に表示される背景画像を設定可能であって、
前記情報表示領域においては、情報表示領域自体が画面に表示されなくなる非表示の表示項目を含め、前記提示情報の種類が異なる複数の表示項目の中のいずれか一つの表示項目を選択的に設定可能である車両用システムにある。
【００１０】
本発明の第２の態様は、前記第１の態様の車両用システムとしての機能をコンピュータに実現させるためのプログラムにある。
【００１１】
本発明に係る車両用システムでは、画面に配置される情報表示領域の表示項目を選択的に設定可能である。さらに、この画面には背景画像を設定可能であり、その背景画像は情報表示領域の背景として表示される。この車両用システムでは、多彩な画面の表示設定が可能となっており、ユーザー側の多彩なニーズに幅広く対応できる。
【００１２】
情報表示領域に設定できる表示項目の中には、非表示の表示項目も含まれている。この非表示の表示項目を選択すれば、情報表示領域自体が表示されなくなり、背景画像の領域を拡大できる。例えば、家族の写真や、趣味で撮影した写真や、愛車の写真や、愛車のメーカーのロゴ等を背景画像として設定した場合、情報表示領域に非表示の表示項目を設定すれば写真等が良く見えようになる。全ての情報表示領域に非表示を設定すれば、画面全体に背景画像を表示させることも可能である。
【００１３】
以上の通り、本発明に係る車両用システムは、前もって表示画面を多数準備することなく、ユーザーの多彩なニーズに十分に対応できる優れたシステムである。
【００１４】
本発明における好適な一態様の車両用システムにおける情報表示領域は、前記背景画像が透けて見える半透過の表示態様、及び前記背景画像が透けて見えない表示態様のうちのいずれかを選択的に設定可能である。
情報表示領域について半透過の表示態様を設定すれば、背景画像が透けて見えるようになる。情報表示領域を表示させたい一方、背景画像も最大限表示させたいというユーザーのニーズを満たすことができる。
【００１５】
本発明における好適な一態様の車両用システムによる提示情報には、写真画像、及びアニメーション画像が含まれており、前記情報表示領域を半透過の表示態様で表示するに当たって、アニメーション画像を表示する際の背景画像の透け度合いを表す透過率に対して、写真画像を表示する際の透過率を低く設定する制御を行う。
写真画像を表示する際、背景画像の透過率が高いと写真画像の視認性が損なわれるおそれがある。一方、領域毎の色の塗り分けによるアニメーション画像であれば、背景画像が透けて見えたときに視認性が損なわれる度合いが低い。そこで、上記のように透過率を設定すれば、写真画像もアニメーション画像も同様の視認性を確保できる。
【００１６】
本発明における好適な一態様の車両用システムにおいては、前記表示項目の中には、前記提示情報に付加される付加情報が設定された表示項目があり、当該表示項目が設定された情報表示領域については、前記付加情報を表示するか否かを選択的に設定可能である。
付加情報を選択的に設定できれば、情報表示領域における情報表示のバリエーションを一層多彩にできる。
【００１７】
本発明における好適な一態様の車両用システムは、車両の走行速度がゼロ超の状態からゼロの状態に移行してから所定時間経過後に前記付加情報の表示を開始し、走行速度がゼロ超になったときに前記付加情報の表示を終了する制御を行う。
前記所定時間を適切に設定すれば、車両が停止した後、前記付加情報の表示開始を運転者に視認させることが可能になる。前記付加情報の表示が開始される際に演出を実行すれば、その演出を運転者が楽しむことができるようになり、演出効果を高く確保できる。例えば、車両の速度や加速度等、走行に応じて変動するリアルタイムの情報が前記提示情報の場合であれば、最高速度や平均速度等の加工情報を付加情報に設定することも良い。車両を停止した後で、どのように走行してきたかを確認できるようになる。
【００１８】
本発明における好適な一態様の車両用システムにおける付加情報は、前記提示情報に関連する情報である。
提示情報が速度の場合に、付加情報として最高速度や平均速度等を設定すれば、ユーザーが閲覧したい情報を一層きめ細かく提示できるようになる。提示情報に関連する情報とは、車速に対する平均速度等、提示情報である車速を加工して得られる情報や、時計に対する日付曜日等、提示情報である時刻と一定の関係を有する情報等がある。
【００１９】
本発明における好適な一態様の車両用システムは、情報表示領域に表示された提示情報に重ね合わせて前記付加情報を表示する制御を行う。
付加情報を表示する際、提示情報を視認できるように表示しても良く、提示情報が見えなくなるように表示しても良い。例えば、アナログの針を備えていると共に、その手前側に透明な液晶表示板を備える腕時計の表示を模して、提示情報を視認できる状態で付加情報を手前側に表示することも良い。
【００２０】
本発明における好適な一態様の車両用システムにおいては、前記表示項目の中には、交通監視活動に関する監視情報が提示情報である表示項目が含まれている。
警報情報を表示する情報表示領域を配置できれば、例えば、速度等の情報と共に監視情報も確認したいというユーザーニーズに対応できる。
【００２１】
本発明における好適な一態様の車両用システムは、前記情報表示領域の外周部の少なくとも一部の箇所の表示色あるいは明るさを変化させる表示動作を、前記監視情報の表示に連動して前記外周部に実行させる制御を行う。
外周部を利用して演出すれば、対応する情報表示領域に運転者の注意を惹きつけることができ、重要な情報の取りこぼしを未然に回避できる。外周部は、情報表示領域の全周であっても良く、周方向の一部であっても良い。全周に渡る外周部としては、切れ目のない完全な環状であっても良く、切れ目が設けられた不完全な環状であっても良い。
【００２２】
情報表示領域の提示情報が回転数や加速度など数値的な情報である場合、予め設定された閾値を超えたときに外周部による表示動作を実行したり、情報表示領域の提示情報が重要な情報であるときに外周部による表示動作を実行することが良い。外周部による表示動作によって運転者の注意を惹きつけることができる。
【００２３】
本発明における好適な一態様の車両用システムにおいては、前記外周部による表示動作としては、他の箇所とは表示色あるいは明るさが異なる箇所が周方向に移動する動作がある。
本発明における好適な一態様の車両用システムにおいては、前記外周部による表示動作としては、該外周部の全周、あるいは周方向に配置された複数の箇所の表示色あるいは明るさを同様に変化させる動作がある。
前記外周部の表示を変化させれば、その変化によって生じる動きによって、運転中のドライバーの注意を惹くことができる。例えば、重要な提示情報の表示に合わせて上記のような動作を実施させれば、その提示情報を運転者等に確実性高く伝達できるようになる。
【００２４】
本発明における好適な一態様の車両用システムでは、前記提示情報としては、交通監視活動の実施地点への接近を報知する情報があり、前記外周部による表示動作としては、画面の鉛直上方向を車両の進行方向と想定した場合の前記実施地点の方位に当たる箇所の表示色あるいは明るさを他とは異ならせる動作がある。
上記のように外周部を利用して方位を報知すれば、方位を直感的に把握させることができる。
【００２５】
本発明における好適な一態様の車両用システムは、画面の上下左右いずれかの縁部に沿って表示されると共に、いずれかの情報表示領域と表示位置が一部重複する表示欄が設けられ、
該表示欄の表示中では、表示位置の重複を回避できる位置に前記いずれかの情報表示領域を表示し、
該表示欄が非表示のときには、該表示欄が表示された場合であれば表示位置が重複することになる位置に、前記いずれかの情報表示領域の表示位置を移動させる制御を行う。
この場合には、画面の表示領域を効率良く活用して各種の情報を表示できるようになる。
【図面の簡単な説明】
【００２６】
【図１】実施例１における、レーダー探知機を示す正面側の斜視図。
【図２】実施例１における、レーダー探知機を示す背面側の斜視図。
【図３】実施例１における、レーダー探知機の電気的な構成を示すブロック図。
【図４】実施例１における、ＧＰＳターゲットの種別を示す説明図。
【図５】実施例１における、登録メニューボタンの表示画面を含む図。
【図６】実施例１における、ピン設定ボタンを操作したときの表示画面を示す図。
【図７】実施例１における、待受一覧画面を示す正面図。
【図８】実施例１における、エコドライブ画面を示す正面図。
【図９】実施例１における、進行方向のデジタルメーター画面の正面図。
【図１０】実施例１における、回転数のデジタルメーター画面の正面図。
【図１１】実施例１における、状態アイコンの表示を含むプリセット画面の正面図。
【図１２】実施例１における、マップ画面を示す正面図。
【図１３】実施例１における、マップ画面の第１表示部を示す図。
【図１４】実施例１における、マップ画面の第１表示部を示す図。
【図１５】実施例１における、クラシックスコープ画面を示す正面図。
【図１６】実施例１における、クラシックスコープ画面を示す正面図。
【図１７】実施例１における、設定一覧画面への切替操作の説明図。
【図１８】実施例１における、設定一覧画面から待受設定画面への切替を示す図。
【図１９】実施例１における、レーダースコープ画面の設定操作の説明図。
【図２０】実施例１における、マップ詳細設定の説明図。
【図２１】実施例１における、詳細時・広域時のマップ画面の正面図。
【図２２】実施例１における、スコープサブ表示の設定操作の説明図。
【図２３】実施例１における、潮汐情報画面の設定操作の説明図。
【図２４】実施例１における、グラフ画面の設定操作の説明図。
【図２５】実施例１における、速度のグラフ画面の正面図。
【図２６】実施例１における、高度のグラフ画面の正面図。
【図２７】実施例１における、気圧のグラフ画面の正面図。
【図２８】実施例１における、加速度のグラフ画面の正面図。
【図２９】実施例１における、ジャイロのグラフ画面の正面図。
【図３０】実施例１における、燃費のグラフ画面の正面図。
【図３１】実施例１における、温度のグラフ画面の正面図。
【図３２】実施例１における、回転数のグラフ画面の正面図。
【図３３】実施例１における、エンジン１のグラフ画面の正面図。
【図３４】実施例１における、エンジン２のグラフ画面の正面図。
【図３５】実施例１における、燃料のグラフ画面の正面図。
【図３６】実施例１における、電圧のグラフ画面の正面図。
【図３７】実施例１における、マニュアル設定されたグラフ画面の正面図。
【図３８】実施例１における、高度のグラフ画面の正面図。
【図３９】実施例１における、オート項目設定の設定操作の説明図。
【図４０】実施例１における、プリセット設定の設定操作の説明図。
【図４１】実施例１における、プリセット画面の正面図。
【図４２】実施例１における、バックライト色の設定操作の説明図。
【図４３】実施例１における、半透過モードの設定操作の説明図。
【図４４】実施例１における、付加情報の表示例を示す図。
【図４５】実施例１における、フォトフレームの設定操作の説明図。
【図４６】実施例１における、燃費計画面を示す正面図。
【図４７】実施例１における、燃費計の設定操作の説明図。
【図４８】実施例１における、ＯＢＤデータ画面を示す正面図。
【図４９】実施例１における、ＯＢＤデータの設定操作の説明図。
【図５０】実施例１における、警報モードの設定操作の説明図。
【図５１】実施例１における、警報設定を示す図。
【図５２】実施例１における、警報モードのマニュアル設定操作の説明図。
【図５３】実施例１における、レーダー設定画面の正面図。
【図５４】実施例１における、無線設定の正面図。
【図５５】実施例１における、ＧＰＳ設定の正面図。
【図５６】実施例１における、レーダー受信設定の設定操作の説明図。
【図５７】実施例１における、画面・ＬＥＤ設定の設定操作の説明図。
【図５８】実施例１における、ウィンドウタッチ補正の操作方法の説明図。
【図５９】実施例１における、音声設定の操作方法の説明図。
【図６０】実施例１における、音声設定の説明図。
【図６１】実施例１における、警報音声（警報ボイス）の発生タイミングの説明図。
【図６２】実施例１における、警報音声（警報ボイス）の発生タイミングの説明図。
【図６３】実施例１における、警報音声（警報ボイス）の発生タイミングの説明図。
【図６４】実施例１における、日付と時間帯に応じた発音内容の説明図。
【図６５】実施例１における、無線種類毎の電子音の説明図。
【図６６】実施例１における、リマインダー設定画面を示す図。
【図６７】実施例１における、オイル設定画面を示す図。
【図６８】実施例１における、システム設定の操作方法の説明図。
【図６９】実施例１における、データ消去方法の説明図。
【図７０】実施例１における、カスタム設定の操作方法の説明図。
【図７１】実施例１における、対象音毎の音のイメージの説明図。
【図７２】実施例１における、カスタム画像の設定方法の説明図。
【図７３】実施例１における、起動画面の設定方法の説明図。
【図７４】実施例１における、ＯＢＤ設定画面を示す図。
【図７５】実施例１における、ＯＢＤ設定の操作方法の説明図。
【図７６】実施例１における、１マップパネルなしモードのマップ画面の正面図。
【図７７】実施例１における、１マップパネル自動モードのマップ画面の正面図。
【図７８】実施例１における、１マップパネル小モードのマップ画面の正面図。
【図７９】実施例１における、１マップ２パネル小モードのマップ画面の正面図。
【図８０】実施例１における、２マップパネルなしモードのマップ画面の正面図。
【図８１】実施例１における、２マップパネル小モードのマップ画面の正面図。
【図８２】実施例１における、クラシックスコープ画面を示す正面図。
【図８３】実施例１における、スコープサブ表示を含むクラシックスコープ画面の正面図。
【図８４】実施例１における、クラシックスコープ画面を示す正面図。
【図８５】実施例１における、システム警報レベルの説明図。
【図８６】実施例１における、無線警報（弱）時のクラシックスコープ画面の正面図。
【図８７】実施例１における、公開取締ウィンドウがポップアップ表示されたクラシックスコープ画面の正面図。
【図８８】実施例１における、ターゲットアイコンを示す図。
【図８９】実施例１における、ＧＰＳ警報に関するメッセージウィンドウを示す図。
【図９０】実施例１における、ターゲットアイコンの一部を示す図。
【図９１】実施例１における、レーダー警報に関するメッセージウィンドウを示す図。
【図９２】実施例１における、無線警報に関するメッセージウィンドウを示す図。
【図９３】実施例１における、表示色が異なる無線アイコンを示す図。
【図９４】実施例１における、時計表示が設定されたリング表示の正面図。
【図９５】実施例１における、車速表示が設定されたリング表示の正面図。
【図９６】実施例１における、エコドライブ表示が設定されたリング表示の正面図。
【図９７】実施例１における、加速表示が設定されたリング表示の正面図。
【図９８】実施例１における、傾斜表示が設定されたリング表示の正面図。
【図９９】実施例１における、潮汐情報表示が設定されたリング表示の正面図。
【図１００】実施例１における、衛星情報表示が設定されたリング表示の正面図。
【図１０１】実施例１における、警報パネル表示が設定されたリング表示の正面図。
【図１０２】実施例１における、コンパス表示が設定されたリング表示の正面図。
【図１０３】実施例１における、気圧表示が設定されたリング表示の正面図。
【図１０４】実施例１における、リマインダー日数表示が設定されたリング表示の正面図。
【図１０５】実施例１における、リマインダー距離表示が設定されたリング表示の正面図。
【図１０６】実施例１における、瞬間燃費表示が設定されたリング表示の正面図。
【図１０７】実施例１における、平均燃費表示が設定されたリング表示の正面図。
【図１０８】実施例１における、一般道平均燃費表示が設定されたリング表示の正面図。
【図１０９】実施例１における、高速道平均燃費表示が設定されたリング表示の正面図。
【図１１０】実施例１における、今回燃費表示が設定されたリング表示の正面図。
【図１１１】実施例１における、生涯燃費表示が設定されたリング表示の正面図。
【図１１２】実施例１における、移動平均燃費表示が設定されたリング表示の正面図。
【図１１３】実施例１における、燃料流量表示が設定されたリング表示の正面図。
【図１１４】実施例１における、エンジン水温表示が設定されたリング表示の正面図。
【図１１５】実施例１における、吸気温度表示が設定されたリング表示の正面図。
【図１１６】実施例１における、外気温表示が設定されたリング表示の正面図。
【図１１７】実施例１における、エンジン油温表示が設定されたリング表示の正面図。
【図１１８】実施例１における、バッテリ電圧表示が設定されたリング表示の正面図。
【図１１９】実施例１における、スロットル開度表示が設定されたリング表示の正面図。
【図１２０】実施例１における、エンジン負荷表示が設定されたリング表示の正面図。
【図１２１】実施例１における、インマニ計表示が設定されたリング表示の正面図。
【図１２２】実施例１における、ブースト計表示が設定されたリング表示の正面図。
【図１２３】実施例１における、タコメーター表示が設定されたリング表示の正面図。
【図１２４】実施例１における、バッテリ電流表示が設定されたリング表示の正面図。
【図１２５】実施例１における、ＨＶ電池容量表示が設定されたリング表示の正面図。
【図１２６】実施例１における、ＨＶバッテリ電流表示が設定されたリング表示の正面図。
【図１２７】実施例１における、ＨＶモータ回転数表示が設定されたリング表示の正面図。
【図１２８】実施例１における、ＨＶモータトルク表示が設定されたリング表示の正面図。
【図１２９】実施例１における、ＨＶジェネレータ回転数表示が設定されたリング表示の正面図。
【図１３０】実施例１における、カスタム画像設定画面を示す正面図。
【図１３１】実施例１における、初期設定の背景画像を含むプリセット画面の正面図。
【図１３２】実施例１における、カスタム画像が背景に設定されたプリセット画面の正面図。
【図１３３】実施例１における、プリセット画面を例示する説明図。
【図１３４】実施例１における、警報パネルを含むプリセット画面を例示する図。
【図１３５】実施例１における、警報パネルが設定されたリング表示の正面図。
【図１３６】実施例１における、リング表示のレイヤー構造の説明図。
【図１３７】実施例１における、時計表示が設定されたリング表示の正面図。
【図１３８】実施例１における、リング表示のレイヤー構造の説明図。
【図１３９】実施例１における、速度表示が設定されたリング表示の正面図。
【図１４０】実施例１における、付加情報を表示する直前のリング表示の正面図。
【図１４１】実施例１における、付加情報を表示するリング表示の正面図。
【図１４２】実施例１における、リングによるアロー動作の説明図。
【図１４３】実施例１における、アロー動作を含むリングアクションの説明図。
【図１４４】実施例１における、リングによるローリング動作の説明図。
【図１４５】実施例１における、ローリング動作によるリングアクションの説明図。
【図１４６】実施例１における、リングによるフラッシュ動作の説明図。
【図１４７】実施例１における、フラッシュ動作によるリングアクションの説明図。
【図１４８】実施例１における、プリセット画面内のアロー動作の説明図。
【図１４９】実施例１における、無線警報時のリングアクションを示す図。
【図１５０】実施例１における、レーダー警報時のリングアクションを示す図。
【図１５１】実施例１における、プリセット画面内のフラッシュ動作の説明図。
【図１５２】実施例１における、プリセット画面内のローリング動作の説明図。
【図１５３】実施例１における、投稿情報のデータ仕様の説明図。
【図１５４】実施例１における、投稿情報を構成する各データの内容の説明図。
【図１５５】実施例１における、取締方位のデータ値の説明図。
【図１５６】実施例１における、メニュー画面を示す図。
【図１５７】実施例１における、ピン設定画面を示す図。
【図１５８】実施例１における、メニュー画面を示す図。
【図１５９】実施例１における、メニュー画面を示す図。
【図１６０】実施例１における、ＧＰＳサーチ画面を示す図。
【図１６１】実施例１における、投稿を開始する際の画面遷移を示す図。
【図１６２】実施例１における、投稿情報を生成する際の画面遷移を示す図。
【図１６３】実施例１における、投稿情報を生成する際の画面遷移を示す図。
【図１６４】実施例１における、監視方向の入力画面を示す正面図。
【図１６５】実施例１における、投稿ピンの消去時の画面遷移を示す図。
【発明を実施するための形態】
【００２７】
本発明の実施の形態につき、以下の実施例を用いて具体的に説明する。
（実施例１）
本例は、本発明の車両用システムの一態様であって、交通取締に関する警報が主たる機能であるレーダー探知機１に関する例である。このレーダー探知機１は、速度取締などの交通監視活動に関する監視情報を含め、車両の運転時に役立つ各種の交通情報を報知する。この内容について、図１〜図１６５を参照しながら以下の順番で説明する。
１．形状
２．内部構成
３．基本動作
４．待受画面の設定方法及び仕様
５．レーダースコープ画面の仕様
５．１  マップ画面の仕様
５．２  クラシックスコープ画面の仕様
６．設定
６．１  待受設定
６．１．１  レーダースコープ設定
６．１．２  潮汐情報設定
６．１．３  グラフ設定
６．１．４  オート項目設定
６．１．５  プリセット設定
６．１．６  フォトフレーム設定
６．１．７  燃費計設定
６．１．８  ＯＢＤデータ設定
６．２  モード設定
６．３  警報設定
６．４  画面・ＬＥＤ設定
６．５  音声設定
６．６  リマインダー設定
６．７  システム設定
６．８  カスタム設定
６．９  ＯＢＤ設定
７．  レーダースコープ画面の設定及び動作
７．１  マップ画面の設定及び動作
７．２  クラシックスコープ画面の動作
８．  プリセット画面
８．１  リング表示
８．２  背景設定
９．  リング表示の表示仕様
９．１  半透過表示
９．２  付加情報表示
９．３  リングアクション
１０．  投稿    １０．１  投稿情報のデータ仕様
１０．２  投稿処理
１１．  まとめ
【００２８】
■  １．形状  ■
本例のレーダー探知機１は、図１及び図２のごとく、薄型矩形状のケース本体２を備え、そのケース本体２の背面側下方から取り付けられるブラケット２８を介して車両のダッシュボードなどに貼り付けて設置される車載装置である。なお、このレーダー探知機１は、ブラケット２８の変更に応じてサンバイザー裏側やルームミラー裏側等にも設置可能である。
【００２９】
設置時に運転者側に面するケース本体２の前面には、３．２インチカラー画面のタッチパネル１５が設けられている。このタッチパネル１５は、タッチ位置を検知する透明シート状のタッチスクリーン１５１（図３）がＴＦＴドットマトリックス液晶ディスプレイ１５２（図３）に積層された表示パネルである。運転者側から見てタッチパネル１５の右外側には音量調整ボタン２２６、ミュート（消音）ボタン２２３が配置され、左外側にはＶＩＥＷボタン２２１、ＭＥＭＯＲＹボタン２２２、及びマルチカラーＬＥＤ１３７（図３）が埋設された発光部２３が配置されている。
【００３０】
タッチパネル１５の右下には、図示しない操作リモコンの赤外線を受信する赤外線受光部１３８（図３）の受光面２５が設けられている。本例のレーダー探知機１は、タッチパネル１５に対する指先のタッチ操作、ボタン操作、リモコン操作等により操作可能である。左側の操作ボタン２２のうち上側のＭＥＭＯＲＹボタン２２２は、４個の登録メニューボタン３１３（図５参照。）を待受画面にポップアップ表示させるための操作ボタンである。
【００３１】
運転者側から見たときのケース本体２の右側面には、挿抜可能な記録媒体であるＳＤカードなどのメモリカード１７１（図３）を挿入するためのカード挿入口２７が設けられている。ケース本体２の背面下部にはＵＳＢコネクタ２０、及び電源スイッチ（図示略）が設けられている。ＵＳＢコネクタ２０には、車両のシガーソケットから延設されるシガープラグコードや、ＯＢＤアダプタコードや、ＵＳＢケーブル等が接続される。レーダー探知機１は、ＵＳＢコネクタ２０に接続されたコードを介して電源供給を受けて動作する。
【００３２】
ＯＢＤアダプタコードは、車両の点検規格であるＯＢＤ（On-board Diagnostics）−II（IIはローマ数字の「２」。以下「ＯＢＤ」と記載する。）規格に沿って車両側に設けられたＯＢＤコネクタ（図示しない故障診断コネクタ）に接続される通信ケーブルである。ＯＢＤコネクタは、図示しない車両ＥＣＵから電気的に延設され、各種の車両情報を出力可能である。ＯＢＤアダプタコードの車両側の先端には、車両のＯＢＤコネクタに着脱自在に装着されるコネクタが取り付けられている。車両のＯＢＤコネクタは、故障診断コネクタとも称されるコネクタである。
【００３３】
■  ２．内部構成  ■
レーダー探知機１は、図３のごとく、制御部１０を中心として電気的に構成されている。制御部１０に対しては、前出の構成のほか、ＧＰＳ受信器１２１、マイクロ波受信器１２２、無線受信器１２３、加速度センサ１２４、ジャイロ１２５、地磁気センサ１２６、、照度センサ１２７、気圧センサ１２８、クロック部１２９、スピーカ１６、メモリカードリーダ１７等が電気的に接続されている。さらに、レーダー探知機１では、制御部１０からアクセス可能なデータベース１００が設けられている。
【００３４】
ＧＰＳ受信器１２１は、ＧＰＳ衛星から飛来するＧＰＳ信号を受信し、現在時刻、現在の位置情報（緯度経度）、現在の速度、高度等を出力する受信器である。ＧＰＳ受信器１２１は、レーダー探知機１の背面側の中央上方に位置するようにケース本体２内に組み込まれている。なお、ＧＰＳ受信器１２１から現在位置の位置情報を取得した制御部１０が現在位置の変動に基づいて車両の速度を計算することも可能である。
【００３５】
マイクロ波受信器１２２は、移動式レーダー等の速度測定装置（以下、単にレーダーという。）から発せられるマイクロ波長帯のレーダー波を受信する受信器である。
無線受信器１２３は、所定周波数の無線を受信する受信器である。本例の無線受信器１２３は、各種の無線電波に対応できるよう、複数の周波数のうちの何れかを選択的に設定可能である。
マイクロ波受信器１２２及び無線受信器１２３は、レーダー探知機１の背面側に位置するようにケース本体２内に組み込まれている。このような組み込み位置は、車両前方から飛来する電波等の受信に適している。なお、マイクロ波受信器１２２では、マイクロ波の電界強度として、強度が低いほうからＬｖ１〜Ｌｖ５の５段階が設定されている。
【００３６】
加速度センサ１２４は、車両の前後、左右、上下の加速度を検出するセンサである。
ジャイロセンサ１２５は、走行に応じて発生する角速度を検出するセンサである。
地磁気センサ１２６は、地磁気の大きさ・方向を計測して北方向を検出するセンサである。
照度センサ１２７は、外部の明るさを検出するセンサである。
【００３７】
クロック部１２９は、カレンダー情報を出力する時計である。カレンダー情報は、年月日を表すデータ及び現在時刻を表すデータを含んでいる。１日１回、ＧＰＳ受信器１２１から現在時刻が取得できた場合には、その時刻を利用して、クロック部１２９の現在時刻（日時を含む）を校正している。
スピーカ１６は、ケース本体２の底面に開口するスピーカ孔（図示略）を介して音声などを出力できるようにケース本体２内に組み付けられている。
メモリカードリーダ１７は、メモリカード１７１に記録されたデータを読み込み制御部１０に転送する。このメモリカードリーダ１７には、カード挿入口２７に挿入されたメモリカード１７１が装着される。
【００３８】
制御部１０は、ＣＰＵ、ＲＯＭ、ＲＡＭ、ＥＥＰＲＯＭ等の不揮発性メモリ、Ｉ／Ｏ等を備えるマイコン（図示略）によって構成されている。
ＲＯＭには、ＣＰＵに実行させるソフトウェアプログラム等が格納されている。
ＥＥＰＲＯＭ等の不揮発性メモリの記憶エリアには、警報設定などの設定情報を格納する設定情報記憶エリアが設けられている。
【００３９】
データベース１００は、制御部１０のマイコン内あるいはマイコン外付けの不揮発性メモリ（例えばＥＥＰＲＯＭ）により構成されている。製品出荷時のデータベース１００には、地図データ、警報対象や各種の施設や観光地などの位置情報を含むＧＰＳターゲット、制限速度などの規制情報等のほか、様々な音声出力用情報が格納されている。
【００４０】
データベース１００の格納データは、メモリーカード１７１を利用して更新可能である。地図データやＧＰＳターゲットや音声出力用情報などの更新データが格納されたメモリカード１７１をメモリカードリーダ１７に装着すれば、制御部１０の制御によりその更新データが読み出され、データベース１００内のデータを更新できる。なお、ハードディスク等に更新データが格納されたＰＣをＵＳＢ接続してデータベース１００を更新することも可能である。
【００４１】
制御部１０のマイコン内あるいはマイコン外付けの不揮発性メモリ（例えばＥＥＰＲＯＭ）の記憶領域には、投稿対象の交通監視活動に関する情報を格納する投稿ピン記憶エリアが設けられている。投稿ピン記憶エリアには、投稿対象の交通監視活動に関する投稿ピン情報を４件まで格納できる。投稿ピン情報のデータ仕様については後で詳しく説明する。
【００４２】
■  ３．基本動作  ■
レーダー探知機１は、ＲＯＭから読み出したソフトウェアプログラムをＣＰＵに実行させることで各種の機能を実現する。このレーダー探知機１の機能としては、現在情報表示機能、ＧＰＳログ機能、各種の警報をする警報機能、ＯＢＤ機能、設定機能、登録機能等がある。警報機能としては、ＧＰＳ警報機能、ＲＤ警報機能、無線警報機能等、一般的なレーダー探知機が備える機能がある。さらに、本例のレーダー探知機１は、投稿情報を生成する投稿機能等を備えている。これらの機能を実現する各手段は、制御部１０において形成されている。
【００４３】
現在情報表示機能は、予め設定された待受画面をタッチパネル１５に表示することで、現在情報を表示する機能である。現在情報としては、自車周辺の地図情報や、周囲のＧＰＳターゲットの位置情報や、時間情報や、潮汐情報や、車両情報や、燃費情報、エコドライブ情報、衛星情報、高度情報など各種の情報がある。表示される現在情報は、待受画面の選択により選択的に設定可能である。待受画面の選択的な設定は、後述する設定機能によって実現される。
【００４４】
ＯＢＤ機能は、車両情報を取得する機能である。このＯＢＤ機能は、車両側のＯＢＤコネクタに接続されるＯＢＤアダプタコードを介してレーダー探知機１が車両側に接続されたときに限って機能する。ＯＢＤアダプタコードを利用してレーダー探知機１を車両側に接続すれば、各種の車両情報を０．５秒毎に取得できる。車両側から取得できる車両情報としては、例えば、車速、エンジン回転数、エンジン負荷率、点火時期、インテークマニホールドの圧力、吸入空気量（ＭＡＦ）、インジェクション開時間、エンジン冷却水の温度（冷却水温度）、エンジンに吸気される空気の温度（吸気温度）、車外の気温（外気温度）、燃料流量、瞬間燃費、アクセル開度（スロットル開度）、ウインカー情報（左右のウインカーの動作情報）、ブレーキ開度、ハンドルの回転操舵角情報等がある。
【００４５】
ＧＰＳログ機能は、１秒ごとにＧＰＳ受信器１２１から出力された現在位置を位置履歴としてデータベース１００に記憶する機能である。この位置履歴は例えばＮＭＥＡ形式で記録される。記憶される現在位置に対しては、制御部１０がその現在位置を検出した時刻および速度（車速）が関連づけされる。
登録機能は、ユーザーである運転者が個人的な地点（マイポイント）や地域（マイエリア）を登録する機能であり、制御部１０においてソフトウェア的に実現される登録手段により実行される。
【００４６】
ＧＰＳ警報機能は、オービス（自動速度違反取締装置）等の警報対象への接近を警報する機能である。ＧＰＳ警報機能では、警報対象の位置と現在位置との間の距離を求める演算処理が所定時間間隔（例えば１秒）で繰り返し実行される。この距離が所定の接近距離に到達して警報地点アプローチというイベントが発生したとき、その旨を表すＧＰＳ警報が実行される。
【００４７】
ＧＰＳ警報機能による警報対象としては、オービス、取締エリア、検問エリア、交差点監視ポイント、駐禁監視エリア、Ｎシステム、交通監視システム、信号無視抑止システム、警察署、事故多発エリア、車上狙い多発エリア、急カーブ、分岐合流ポイント、ＥＴＣレーン等がある。データベース１００では、これらの目標物の種別情報、その位置（特定位置）を示す位置情報（緯度経度）、タッチパネル１５に表示する模式図（アニメーション）または写真のデータ、及び音声データが対応付けされた状態で、ＧＰＳターゲット（ＰＯＩデータ）として格納されている。警報対象として、居眠り運転事故地点、レーダー、制限速度切替りポイント等を含めても良い。
【００４８】
なお、ＧＰＳ警報機能の警報対象以外のＧＰＳターゲットとしては、サービスエリア（高速道）、パーキングエリア（高速道）、ハイウェイオアシス（高速道）、スマートインターチェンジ（高速道）、ＰＡ／ＳＡ内ガソリンスタンド（高速道）、トンネル（高速道）、ハイウェイラジオ受信エリア（高速道）、県境告知、道の駅、ビューポイントパーキング等がある。
【００４９】
本例のレーダー探知機１では、ＧＰＳターゲットは、図４のごとく、緊急度を表す警報レベルの高い順に「赤色」→「黄色」→「青色」→「緑色」という４段階の種別で管理されている。ＧＰＳターゲットの種別に対応する各色は、アイコンの表示色であると共に、クラシックスコープ画面（後述する図１５の符号３２）のスコープ色、リング表示（後述する同図の符号３４）によるリングアクションの表示色、マルチカラーＬＥＤ１３７の発光色として設定される。
【００５０】
ＲＤ警報機能は、レーダー式取締装置から発せられるレーダー波（マイクロ波）の入射を警報する機能である。マイクロ波受信器１２２によるレーダー波の受信（以下ＲＤ受信）というイベントが発生したとき、その旨を表すＲＤ警報が実行される。
【００５１】
無線警報機能は、緊急車両等の走行等の妨げとならないように警報する機能である。緊急車両等の発する無線電波の受信（以下無線受信）というイベントが発生したとき、運転者に注意を促す無線警報が実行される。警報対象としては、取締無線、カーロケ無線、デジタル無線、特小無線、署活系無線、警察電話、警察活動無線、レッカー無線、ヘリテレ無線、消防ヘリテレ無線、消防無線、救急無線、高速道路無線、警備無線等がある。
【００５２】
投稿機能は、交通取締等の投稿情報を生成する機能である。本例のレーダー探知機１では、生成された投稿情報が２次元のコード画像１５Ｃ（図１６３を参照して後述する。）に変換され、タッチパネル１５に表示される。本例では、２次元のコード画像として、ＱＲコード（登録商標）を採用している。コード画像としては、１次元のバーコード等、各種のコード画像を採用できる。コード画像に代えて、文字を表示し、その文字を文字認識させるようにしても良い。あるいは、ＩＲＤＡ、ＩＲＤＸ、ＮＦＣ、Ｂｌｕｅｔｏｏｔｈ（登録商標）などの無線通信等を用いても良い。なお、投稿情報の生成操作は、後で説明する通りである。
【００５３】
設定機能は、レーダー探知機１に関する各種の設定を行う機能である。設定としては、待受画面に関する待受設定、モード設定、警報動作に関する警報設定、タッチパネル１５及び発光部２３に関する画面・ＬＥＤ設定、音声設定、投稿設定、リマインダー設定、システム設定、カスタム設定、ＯＢＤ設定がある。なお、各設定内容については後で説明する。
【００５４】
次に、本例のレーダー探知機１の動作概要を説明する。制御部１０は、ＲＤ受信や無線受信や警報地点アプローチなどの警報対象のイベントが発生していない待受状態では、待受画面をタッチパネル１５に表示する。なお、本例のレーダー探知機１では、初期設定の待受画面がマップ画面３１となっている。待受画面の表示中にＭＥＭＯＲＹボタン２２２の操作を検知したとき、制御部１０は、図５のごとく４個の登録メニューボタン３１３を画面上にポップアップ表示する（中央の画面）。登録メニューボタン３１３としては、後述する投稿ピン４４（図１５７参照。）を登録するピン設定ボタンのほかに、ＭＥＭＯＲＹボタン２２２を押した時の自車測位位置の緯度経度を２次元バーコード表示させるＩＴＹマップボタン、マイエリアを登録するマイエリアボタン、マイキャンセルエリアを登録するキャンセルボタンがある。
【００５５】
なお、４本まで登録可能な投稿ピン４４が全て登録されている状態下でＭＥＭＯＲＹボタン２２２の操作を検知したときには、制御部１０は、図６（ａ）のごとく、ピン設定ボタンに代えて「ピンが一杯です。」の表示をポップアップ表示させる。全く走行していない状態でＭＥＭＯＲＹボタン２２２の操作を検知したときには、制御部１０は、同図（ｂ）のごとく、ピン設定ボタンに代えて「方位未確定です。」の表示をポップアップ表示させる。ＧＰＳ非測位の状態であれば、制御部１０は、ＩＴＹマップボタンを除くメニューボタンの操作を検知したときに同図（ｃ）のごとく「ＧＰＳをサーチ中です。」のテキスト表示を最上段に表示し、ＩＴＹマップボタンの操作を検知したときには同図（ｄ）のごとく「ＧＰＳをサーチ中です。」の表示が中央に配置された画面を切替表示する。
【００５６】
警報地点アプローチ、ＲＤ受信、無線受信のうちの何れかのイベントが待受状態下で発生したとき、制御部１０は、ＧＰＳ警報機能、ＲＤ警報機能、無線警報機能のうち、対応する機能を実行する処理を実行する。なお、２つ以上のイベントが同時発生したときの各機能の優先順位は、高いほうから、ＲＤ警報機能、無線警報機能、ＧＰＳ警報機能の順となっている。
【００５７】
■  ４．待受画面の設定方法及び仕様  ■
本例のレーダー探知機１では、警報やお知らせがないとき、運転に役立ついろいろな情報を表示する待受画面がタッチパネル１５に表示される。待受画面としては、（１）レーダースコープ画面、（２）時計画面、（３）速度画面、（４）エコドライブ画面、（５）加速度画面、（６）傾斜画面、（７）デジタルメーター画面、（８）潮汐情報画面、（９）プリセットＡ画面、（１０）プリセットＢ画面、（１１）プリセットＣ画面、（１２）フォトフレーム画面、（１３）グラフ画面、（１４）高度画面、（１５）衛星情報画面、（１６）燃費計画面、（１７）ＯＢＤデータ画面が用意されている。
【００５８】
制御部１０は、ＶＩＥＷボタン２２１の操作を検知したとき、図７の待受一覧画面３Ａの表示に切り替える。この待受一覧画面３Ａは、警報イベントの待機中に表示される待受画面として設定可能な上記の１７種類の画面が一覧表示された画面である。この待受一覧画面には、上記の（１）〜（１７）の１７種類の画面を縮小表示した操作ボタンのほか、ＡＵＴＯボタン３０２、ＯＦＦボタン３０３が２次元配置されている。
【００５９】
待受一覧画面３Ａ中の各操作ボタン、ＡＵＴＯボタン３０２、ＯＦＦボタン３０３は、全てタッチスイッチとなっている。ただし、（１７）ＯＢＤデータ画面に対応する操作ボタンは、ＯＢＤアダプタコードを介して車両側に通信可能に接続された状態に限って有効となる。未接続状態のとき、制御部１０は、（１７）ＯＢＤデータ画面に対応する操作ボタンを選択不可能にシャドー表示する。なお、シャドー表示に代えて、非表示としても良い。
【００６０】
制御部１０は、いずれかの操作ボタンへのタッチ操作を検知したとき、その画面を待受画面に設定する。また、ＡＵＴＯボタン３０２へのタッチ操作を検知したときには、制御部１０は、待受画面として設定可能な１７種類の画面のうち、予め設定された画面を１分おきに切り替えてタッチパネル１５に表示する。ＡＵＴＯボタン３０２の操作により切替表示される画面は、１７種類の画面の中からユーザー操作により適宜設定可能である。なお、製品出荷時の初期設定では、ＡＵＴＯボタン３０２の操作により切替表示される画面として、１７種類全ての画面（ＯＢＤアダプタコネクタの未接続時には、ＯＢＤデータ画面を除く１６種類の画面。）が設定されている。ＯＦＦボタン３０３のタッチ操作を検知したとき、制御部１０は、待受状態のときタッチパネル１５を無表示とし、これにより待受画面として真っ黒な画面を設定する。
【００６１】
（１）レーダースコープ画面としては、地図の表示を中心としたマップ画面３１（図１２参照。）と、レーダースコープの表示を中心としたクラシックスコープ画面３２（図１５参照。）と、が用意されている。図７中のレーダースコープ画面は、マップ画面３１の縮小表示である。なお、マップ画面３１、クラシックスコープ画面３２の画面仕様については、１７種類の画面を概説した後で「５．レーダースコープ画面の仕様」において詳しく説明する。
【００６２】
製品出荷時の初期設定では、上記（１）レーダースコープ画面のうちのマップ画面３１が待受画面として設定されている。製品出荷状態の待受一覧画面３Ａでは、レーダースコープ画面３２の縮小表示としてマップ画面が表示される（図７参照。）。マップ画面３１とクラシックスコープ画面３２のうちのいずれをレーダースコープ画面として設定するかは、後述する設定機能によって選択可能である。
【００６３】
（２）時計画面は、アナログ時計風の表示部と、日付と曜日の表示部と、を組み合わせた画面である。
（３）速度画面は、車速を表示するアナログメーターと、方位を表示するコンパス（方位磁針）と、を組み合わせた画面である。
（４）エコドライブ画面（図８）は、左側にレーダーチャート表示部、右側上段に総合評価表示部、右側下段に走行速度表示部を備える画面である。レーダーチャート表示部には、上側に急加速、右側に急減速、下側にアイドリング、左側に経済速度がポイント表示される。総合評価表示部には、レーダーチャート表示部に表示した各ポイントの平均値が表示される。走行速度表示部には、ＧＰＳ受信器１２１から取得した現在の速度が表示される。
【００６４】
（５）加速度画面は、左側に加速度イメージ表示部が配置され、右側に加速度数値表示部が配置された画面である。加速度イメージ表示部には、加速度の方向と強さを矢印の向きと大きさ（ベクトル）で表示される。
（６）傾斜画面は、左側に車両の傾斜状態をイメージで表示する傾斜イメージ表示部を備え、右側に数値表示部を備える画面である。
（７）デジタルメーター画面は、進行方位や車速等をデジタルで表示する画面である。図９は、表示項目設定が進行方向の場合の例示であり、図１０は、表示項目が回転数の場合の例示である。これらのデジタルメーター画面では、進行方位や車速を表す数字がデジタル時計のようにセグメント表示される。これらのデジタルメータ画面の右側にはコンパスが配置されている。このコンパスは、東西南北の平面を斜めから見込んだ楕円形領域と、この楕円形領域の内側で回転する磁針と、をリング状の外周部の内側に描画して形成されている。コンパスの上側に当たる画面右上隅には、時刻が数字表示され、下側に当たる画面右下隅には年月日と曜日が数字表示されている。
（８）潮汐情報画面は、潮位グラフ表示部を含む画面である。
（９）〜（１１）プリセットＡ〜Ｃ画面は、円形のリング表示（情報表示領域）３４を最大で３箇所まで配置できる画面である。各リング表示３４には、ユーザー操作によりプリセットされた種類の表示項目が表示される。表示エリアをできるだけ広く確保するために、図１１のごとく、両側のリング表示３４Ｌ、Ｒよりもリング表示部３４Ｃが高い位置に配置され、これにより３箇所のリング表示部３４が山型に配置されている。さらに、各リング表示部３４は、一部が重なり合うように配置され、これにより表示エリアが広く確保されている。中央のリング表示３４Ｃが手前に表示され、両側のリング表示３４Ｌ、Ｒが背面側に表示される。リング表示部３４Ｃの表示中では、リング表示３４Ｌ、Ｒの外周が一部隠蔽される。
【００６５】
各リング表示３４にプリセット可能な表示項目は、ＯＢＤ接続状態と、ＯＢＤ非接続状態と、で違いがある。ＯＢＤ非接続状態では、時計、車速、加速度、傾斜、潮汐情報、コンパス、エコドライブ、衛星情報の表示項目をプリセット可能である。ＯＢＤ接続状態では、これらの表示項目に加え、瞬間燃費、平均燃費、一般道平均燃費、高速道平均燃費、今回燃費、生涯燃費、移動平均燃費、燃料流量、エンジン水温、吸気温度、外気温、エンジン負荷、インマニ計、ブースト計、タコメーター、バッテリ電圧、スロットル開度等をプリセット可能である。
【００６６】
図１１のごとく、リング表示３４が山型に配置されたプリセット画面では、隙間となる画面左上の位置で状態アイコン３５が明滅表示される。同図は、駐禁エリア内アイコン３５１、車上狙い多発エリア内アイコン３５２が表示される例である。状態アイコン３５は、エリア内でない場合は、背景によっては認識できない程度でかなり薄く点灯する。ただし、モード設定やマニュアル設定により駐禁エリアや車上狙い多発エリア設定がＯＦＦの場合は、状態アイコン３５は点灯することなく完全に消灯する。状態アイコン３５の表示仕様は、レーダースコープ画面を除く全ての待受画面について共通となっている。図１２のマップ画面３１については、状態アイコン３５の表示が省略されている。図１５のクラシックスコープ画面３２については、状態アイコン３５の表示が左下（図８４参照。）となっている。
【００６７】
（１２）フォトフレーム画面は、ユーザー操作によって設定された画像データを表示する画面である。複数の画像データを設定することも可能であり、複数設定された場合には各画像データが巡回表示される。
（１３）グラフ画面は、グラフ表示部と、数値表示部と、を備える画面である。グラフ表示部には、ユーザー操作で設定された種類のグラフが表示される。数値表示部にはその現在値が表示される。表示可能なグラフの種類は、速度、高度、加速度である。
（１４）高度画面は、高度の変化をグラフ表示する画面である。
（１５）衛星情報画面は、地球儀のイラスト表示上で、ＧＰＳ電波を受信中の衛星位置を表示する画面である。
（１６）燃費計画面は、ＯＢＤデータをテキスト表示する表示部と、燃費のメータ表示と、を備える画面である。
（１７）ＯＢＤデータ画面は、選択されたＯＢＤデータを表示する画面である。ＯＢＤデータとしては、「速度」「平均速度」「最高速度」等、さまざまなデータがある。
【００６８】
■  ５．レーダースコープ画面の仕様  ■
レーダースコープ画面としては、マップ画面３１（図１２）とクラシックスコープ画面３２（図１５）とがある。本例のレーダー探知機１では、後述のレーダースコープ設定によってマップ画面３１及びクラシックスコープ画面３２のうちのいずれか一方をレーダースコープ画面として選択的に設定可能である。
【００６９】
■  ５．１  マップ画面の仕様  ■
マップ画面３１は、図１２のごとく、自車周辺の地図を表示する画面である。マップ画面３１内において、自車位置は三角形の自車アイコン３１１で表示され、マップ画面３１の最上部には、地図の北方向を表示する方位表示部３１２、車速を表示する車速表示部３１５、時間をデジタル表示する時刻表示部３１４が配置されている。マップ画面３１の最下段には、帯状のテロップ表示部３７が配置されている。このテロップ表示部３７は、左側の第１表示部（表示欄）３７１と、右側の第２表示部３７２と、により構成されている。マップ画面３１には、ＧＰＳターゲットの位置（交通監視活動の実施地点等）を表すターゲットアイコン３１６がプロットされる。
【００７０】
第１表示部３７１には、フォーカスするＧＰＳターゲット（フォーカスターゲット）がない場合は図１３のように現在地名が表示され、フォーカスターゲットがある場合は図１４のようにターゲットの情報が表示される。図１２のごとく第２表示部３７２には、現在日時に関連する公開取締情報が表示される。ここで、フォーカスターゲットは、自車の前方に位置し、距離が最短のターゲットである。ただし、音声出力が発生した場合には、距離が最短でなくても、音声出力対象のターゲットがフォーカスターゲットに設定される。なお、オービスなど監視方向有りのターゲットの場合、その方向の±４０度以内の角度範囲に自車が属していることがフォーカスターゲットに設定されるための前提となる。このフォーカスターゲットのターゲットアイコンが、フォーカスターゲットアイコンである。
【００７１】
第１表示部３７１については、地図を隠蔽して表示される仕様となっている。一方、車速表示部３１５、時刻表示部３１４、第２表示部３７２については、表示された地図上に文字が浮かぶように描画される表示仕様となっている。このような表示仕様によれば、地図が表示される領域をできる限り広く確保できる。例えば、第２表示部３７２を表示したときにも地図の表示エリアの侵食を抑制でき、表示エリアを広く確保できる。
【００７２】
マップ画面３１では、設定に応じて警報パネル３６やミニレーダースコープ３８が表示される。警報パネル３６は、警報音声（ボイス）に連動してポップアップ表示される矩形状の表示エリアである。警報パネル３６では、発生した警報イベント等の情報が写真やアニメーションで表示される。なお、本例のレーダー探知機１では、後述するマップ詳細設定によって警報パネル３６が表示されない設定も選択できる。このような仕様は、幅広いユーザーニーズにきめ細かく応えるために有効な仕様である。
【００７３】
ミニレーダースコープ（スコープ領域）３８は、ＧＰＳターゲット等に接近したときに表示される円形状の表示エリアである。ミニレーダースコープ３８は、飛行場の管制塔のレーダー画面を模した略円形のウインドウである。このミニレーダースコープ３８では、円形の表示エリアの中心に三角形の自車アイコン３８１が表示され、ターゲットの位置が粒状のミニアイコン３８３によって表示される。ミニレーダースコープ３８によれば、自車位置とターゲットの位置との位置関係、及びターゲットまでの距離を直感的に表示可能である。さらに、ミニレーダースコープ３８内では、自車アイコン３８１の下側にターゲットまでの距離が数字表示される。ミニレーダースコープ３８は、ターゲットの出現に応じて円形に拡大しながらフェードインし、ターゲットの消滅に応じて円形に縮小しながらフェードアウトする。ミニレーダースコープ３８に表示されたミニアイコン３８３のうち、第１表示部３７１に表示されたＧＰＳターゲットについては、点滅表示により第１表示部３７１に表示されたＧＰＳターゲットとの対応関係が示される。なお、第１表示部３７１の表示についても、ＧＰＳターゲットの種別に応じた色で着色された状態と、非着色の白黒表示の状態と、が交互に繰り返し表示される。
【００７４】
■  ５．２  クラシックスコープ画面の仕様  ■
クラシックスコープ画面３２は、図１５及び図１６のごとく、飛行場の管制塔のレーダー画面を模した表示である。クラシックスコープ画面３２では、自車位置を基準とした５００ｍ毎の円形領域が距離毎に区別できるように描画されたスコープ面が形成されている。具体的には、５００ｍ、１０００ｍ・・・の等距離円が白線３２３で表示されると共に、この白線３２３によって区切られた各エリア３２１の明度等に違いが設けられている。さらに、進行方向を表すゼロ度、進行方向に対する±２５度、進行方向に対する±８０度、左右方向を表す±９０度の各方位が白線で表示されている。方位ゼロ度を表す白線３２５Ｄと、方位±２５度を表す白線３２５Ｂと、で挟まれた領域は、自車の進行方向に当たる領域である。方位±８０度を表す白線３２５Ｃと、左右方向を表す白線３２５Ｈと、で挟まれた領域は、交差点を曲がったときに進行方向となる領域である。
【００７５】
クラシックスコープ画面３２では、自車位置が三角形の自車アイコン３２２によって画面の下部に配置されている。なお、クラシックスコープ画面３２内の自車アイコン３２２の位置としては、左右方向に３箇所の位置がある。さらに、画面の上下方向に２箇所の位置がある。詳しくは後述するが、クラシックスコープ画面３２では、スコープサブ表示３４の表示有無や、フォーカスターゲットの位置や種別等に応じて、いずれかの自車アイコン３２２の位置が選択される。クラシックスコープ画面３２としては、遠方２０００ｍ〜近接５００ｍの４段階のスケールの画面が用意され、表示される円形領域の最大距離がスケール毎に異なっている。
【００７６】
クラシックスコープ画面３２では、設定や状況に応じて、円形状のリング（外周部）３４０によって取り囲まれたスコープサブ表示３４が左上に表示される。このスコープサブ表示３４は、プリセット画面（図１１）内のリング表示３４と同じ仕様である。以下の説明では、クラシックスコープ画面３２内のリング表示３４を特にスコープサブ表示３４という。スコープサブ表示３４では、ＯＦＦ（非表示）設定の場合を除き、時計、車速、エコドライブ、加速度、傾斜、潮汐情報、衛星情報、警報パネル、コンパス、気圧、リマインダー日数、リマインダー距離、瞬間燃費、平均燃費、一般道平均燃費、高速道平均燃費、今回燃費、生涯燃費、移動平均燃費、燃料流量、エンジン水温、吸気温度、外気温、エンジン油温、バッテリ電圧、スロットル開度、インマニ計、ブースト計、タコメーター、バッテリ電流、ＨＶ電池容量、ＨＶバッテリ電流、ＨＶモータ回転数、ＨＶモータトルク、ＨＶジェネレータ回転数の中のいずれかの表示項目が設定に応じて表示される。
【００７７】
スコープサブ表示３４の初期設定は、図１５の警報パネル３６である。警報パネル３６が設定されている場合、制御部１０は、警報音声（ボイス）に連動してスコープサブ表示３４をポップアップ表示させる。警報音声が未発生のときはスコープサブ表示３４が非表示となる。一方、例えば、スコープサブ表示３４として車速が設定されたとき（図１６（ａ））、あるいはスコープサブ表示３４としてコンパスが設定されたとき等では（同（ｂ））、クラシックスコープ画面３２において常にスコープサブ表示３４が表示される。
また、警報パネル３６が設定されたスコープサブ表示３４では、外枠をなすリング３４０による後述のリングアクションが実行される、なお、このリングアクションは、プリセット画面内の警報パネル３６が設定されたリング表示３４についても同様である。
【００７８】
■  ６．設定  ■
本例のレーダー探知機１では、図１７のごとく待受画面へのタッチ操作に応じて切替表示される設定一覧画面１Ａを利用して各種設定が可能である。この設定一覧画面１Ａには、（１）待受設定、（２）モード設定、（３）警報設定、（４）画面・ＬＥＤ設定、（５）音声設定、（６）投稿設定、（７）リマインダー設定、（８）システム設定、（９）カスタム設定、（１０）ＯＢＤ設定に対応する各設定ボタンが配置されている。以下、各設定の内容・操作について説明する。ただし、（６）投稿設定については「１０．投稿」において詳細に説明する。
【００７９】
■  ６．１  待受設定  ■
待受設定は、待受画面の候補となる各画面の設定である。図１７の設定一覧画面１Ａ内の待受設定ボタンの操作を検知したとき、制御部１０は、図１８のごとく、待受設定画面Ａの表示に切り替える。この待受設定画面Ａには、レーダースコープ設定、潮汐情報設定、グラフ設定、オート項目設定、プリセット画面設定（Ａ〜Ｃの３種類）、フォトフレーム設定、デジタルメータ設定、燃費計設定、ＯＢＤデータ設定に対応する各設定ボタンが配置されている。
【００８０】
■  ６．１．１  レーダースコープ設定  ■
制御部１０は、レーダースコープ設定ボタンの操作を検知したとき、図１９のごとく、レーダースコープ選択画面ＡＡ１、待受⇔レーダースコープ切替画面ＡＡ２、ＧＰＳターゲットサーチ範囲設定画面ＡＡ３のいずれかを表示させる。制御部１０は、レーダースコープ設定ボタンが操作されたとき、まず、レーダースコープ選択画面ＡＡ１を表示させ、右下隅の右矢印ボタン（ページ送りボタン）、左矢印ボタン（ページ戻りボタン）の操作に応じて順次、画面表示を切り替え表示する。
【００８１】
待受⇔レーダースコープ切替画面ＡＡ２には、警報／１０００ｍ接近切替、警報／５００ｍ接近切替、待受固定に対応する各設定ボタンが配置されている。例えば、警報／１０００ｍ接近切替が設定されているとき、制御部１０は、警報音声が発生したかフォーカスターゲットが１０００ｍ以内となったときに、レーダースコープ画面に切替表示する。一方、待受固定に設定されているときには、レーダースコープ画面への切替表示を実行しない。なお、待受⇔レーダースコープ切替画面ＡＡ２の各設定ボタンは、レーダースコープ画面以外が待受画面として選択されている場合にのみ、操作可能になる。レーダースコープ画面が待受画面として選択されている場合、「待受がレーダースコープの場合はレーダースコープに固定されます」と表示した上で各設定ボタンが無効化（操作できない状態）される。なお、レーダースコープ画面以外の待受に固定された場合であっても、プリセット画面内のリング表示３４に警報パネル３６が設定されていれば、各種の警報を実行可能となる。
【００８２】
ＧＰＳターゲットサーチ範囲設定画面ＡＡ３には、最適範囲、広範囲に対応する設定ボタンが配置されている。最適範囲は、警報する距離・対向角度に応じてＧＰＳターゲットを出現させ、レーダースコープ画面上のターゲットを必要なものに絞り、視認性を向上させる設定である。広範囲は、赤ターゲット（図４中の赤色のＧＰＳターゲット）及び黄ターゲット（同黄色のＧＰＳターゲット）について、画面に見える範囲で出現させる設定である。なお、制御部１０は、広範囲が設定された場合であっても、赤および黄ターゲット以外のターゲットについては、最適範囲が設定された場合と同様に制御する。
【００８３】
レーダースコープ選択画面ＡＡ１中のマップ詳細設定ボタンの操作を検知した制御部１０は、図２０のごとく、マップ表示形式設定画面（図中ａ）、マップモード設定画面（ｂ）、フォーカス移動設定画面（ｃ）、ズーム表示設定画面（ｄ）、アイコン表示設定画面（ｅ）のいずれかを表示させる。図１９を参照して説明した上記のレーダースコープ設定の場合と同様、右下隅の右矢印ボタン（ページ送りボタン）、左矢印ボタン（ページ戻りボタン）の操作に応じて各画面を切り替え可能である。
【００８４】
マップ表示形式設定画面（ａ）には、ノースアップ、ヘディングアップに対応する設定ボタンが配置されている。ノースアップは、画面の上が北になる表示形式である。ヘディングアップは、車の進行方向が上になる表示形式である。なお、表示形式の設定は、次のマップモードで２マップを選択しているときの広域マップでは実行できないようになっている。
【００８５】
マップモード設定画面（ｂ）には、１マップパネルなし、１マップパネル自動、１マップパネル小、１マップ２パネル小、２マップパネルなし、２マップパネル小の各マップモードに対応する設定ボタンが配置されている。ここで、マップとはマップ領域を意味し、パネルとは警報パネル領域を意味している。１マップとはマップ領域が１つ、２マップとはマップ領域（地図領域）が２つであることを意味している。２パネルとは警報パネル領域を２つ表示可能であることを意味している。パネル小とは、警報パネルの最大表示サイズが小さいことを意味している。パネル自動とは、ＧＰＳターゲットまでの距離が６００ｍ以内になったとき、警報パネルのサイズが自動的に大に切り替わることを意味している。なお、マップモード設定及び各モード下のマップ画面については、「７．１  マップ画面の設定及び動作」において詳しく説明する。
【００８６】
フォーカス移動設定画面（ｃ）には、ＯＮ、ＯＦＦに対応する設定ボタンが配置されている。ＯＮは、警報音が出力されている間、そのフォーカスターゲットが中心になるように画面が移動する設定である。ＯＦＦは、警報音が出力されても画面が移動しない設定である。なお、マップモードで２マップが選択されているときの広域マップでは、フォーカス移動設定が無効となりＯＦＦに固定される。なお、フォーカス移動設定の初期値はＯＮとなっている。
【００８７】
ズーム表示設定画面（ｄ）には、ＯＮ、ＯＦＦに対応する設定ボタンが配置されている。ＯＮは、フォーカスターゲットをなるべく画面に表示できるようにスケールが自動で変更される設定である。ＯＦＦは、スケール固定の設定である。なお、マップモードで２マップが選択されているときの広域マップでは、ズーム表示設定が無効となる。ＯＮの設定では、図２１のごとく、制御部１０の制御により、フォーカスターゲットとの距離に応じてマップ画面３１の縮尺が自動で変更される。同図のごとく、詳細時には地名、施設アイコンがマップ画面３１中に表示され（ａ）、マップの縮尺が一定以上の広域となったときに地名、施設アイコンが消去される（ｂ）。
【００８８】
アイコン表示設定画面（ｅ）には、コンビニＯＮ／ＯＦＦ、ファーストフードＯＮ／ＯＦＦ、ファミレスＯＮ／ＯＦＦ、ガソリンスタンドＯＮ／ＯＦＦ、その他ＯＮ／ＯＦＦに対応する各設定ボタンが配置されている。各設定ボタンを適宜操作すれば、地図上の施設アイコンをＯＮあるいはＯＦＦすることが可能である。なお、初期設定では、「その他」のみＯＮに設定されている。設定ボタンは複数選択も可能となっている。ただし、後述するマップモード設定により２マップのマップモードが選択されているときの広域マップではアイコン表示設定が無効となり、全ての設定がＯＦＦとなる。
【００８９】
レーダースコープ選択画面ＡＡ１（図１９）中のクラシック選択ボタンの操作を検知したとき、制御部１０は、図２２のごとく、クラシックスコープ画面３２（図１５）の表示設定のための設定画面に切替表示する。クラシックスコープ画面３２の設定画面としては、スコープサブ表示設定画面（図中ａ）、スコープサブバックライト設定画面（ｂ）、スコープサブバックライト色設定画面（ｃ）、スコープサブ半透過モード設定画面（ｄ）、スコープサブ付加情報表示設定画面（ｅ）、公開取締自動ポップアップ設定画面（ｆ）、スコープ内時計表示設定画面（ｇ）が用意されている。なお、クラシックスコープ画面３２の仕様については、「７．２  クラシックスコープ画面の動作」において詳しく説明する。
【００９０】
スコープサブ表示設定画面（ａ）は、クラシックスコープ画面３２の左上のスコープサブ表示３４（図１５、図１６参照。）の表示項目を設定する画面である。スコープサブ表示３４の表示項目は、ＯＦＦ、時計、車速、エコドライブ、加速度、傾斜、潮汐情報、衛星情報、警報パネル、コンパス、気圧、リマインダー日数、リマインダー距離、瞬間燃費、平均燃費、一般道平均燃費、高速道平均燃費、今回燃費、生涯燃費、移動平均燃費、燃料流量、エンジン水温、吸気温度、外気温、エンジン油温、バッテリ電圧、スロットル開度、インマニ計、ブースト計、タコメーター、バッテリ電流、ＨＶ電池容量、ＨＶバッテリ電流、ＨＶモータ回転数、ＨＶモータトルク、ＨＶジェネレータ回転数、の中から選択可能である。スコープサブ表示３４の設定操作が行われたとき、制御部１０は、一定時間に渡ってプレビューを表示させる。ＡＵＴＯ（図７参照。）の場合には、プレビューの前半をＯＦＦ、後半をＯＮで表示する。
【００９１】
スコープサブバックライト設定画面（ｂ）には、ＯＦＦ、ＡＵＴＯ、ＯＮに対応する設定ボタンが配置されている。ＯＦＦは、スコープサブ表示３４（図１５及び図１６参照。）内のバックライトが常時ＯＦＦになる設定である。ＡＵＴＯは、車両灯火と連動させるディマー機能により自動でＯＮ／ＯＦＦが切り替えられる設定である。ＯＮは、スコープサブ内のバックライトが常時ＯＮになる設定である。なお、設定操作が行われたとき、制御部１０は、一定時間に渡ってプレビューを表示させる。
【００９２】
スコープサブバックライト色設定画面（ｃ）には、Aqua Blue、Yellow Green、Dark Red、Deep Blue、Green、Yellow Green、Orange、Purpleに対応する各設定ボタンが配置されている。設定操作が行われたとき、制御部１０は、一定時間に渡ってプレビューを表示させる。
スコープサブ半透過モード設定画面（ｄ）には、ＯＮ、ＯＦＦに対応する設定ボタンが配置されている。ＯＮは、スコープサブ表示３４を半透過表示にする設定である。ＯＦＦは、スコープサブ表示３４を半透過表示にしない設定である。半透過表示に設定されたとき、背景の画像が透けて見えるようにスコープサブ表示３４が表示される。
【００９３】
スコープサブ付加情報表示設定画面（ｅ）には、ＯＮ、ＯＦＦに対応する設定ボタンが配置されている。付加情報とは、スコープサブ表示３４内において、本来の表示項目に付加して表示される情報である。制御部１０は、車両の停車を検知してから約３秒が経過した後、スコープサブ表示３４内で付加情報の表示を開始し、走行開始に応じて付加情報の表示を終了する。
【００９４】
スコープサブ表示３４に設定可能な表示項目の一部には、下記のような付加情報が設定されている。付加情報としては、スコープサブ表示３４に設定された表示項目の最大値や平均値等の付加情報がある。なお、付加情報は、電源オフの間、データが保存されることがなく、直近の電源オンからの走行（今回走行）における最大値もしくは平均値となっている。
【００９５】
表示項目：    付加情報
（１）時計：    日付、曜日
（２）車速：    平均車速（AVESPD）、最大車速（MAXSPD）
（３）加速度：  最大前方加速度（MAXFWD）、最大左右加速度（MAXL/R）
（４）今回燃費：最大今回燃費（MAXAVE）  なお、今回走行での走行距離が１ｋｍに到達するまでは「−」等のＮＵＬＬ表示。
（５）移動平均燃費：最大移動平均燃費（MAXMOV）  なお、同走行距離が１６ｋｍ以上となるまで（グラフが埋まるまで）は「−」等のＮＵＬＬ表示。
（６）燃料流量：最大燃料流量（MAXFLW）
（７）エンジン水温：最大エンジン水温（MAXENG）
（８）吸気温度：最大吸気温度（MAXITK）
（９）外気温：  最大外気温（MAXAMB）
（１０）エンジン油温：最大エンジン油温（MAXOIL）
（１１）スロットル開度：平均スロットル開度（AVETHR）、最大スロットル開度（MAXTHR）
（１２）エンジン負荷：平均エンジン負荷（AVELOD）、最大エンジン負荷（MAXLOD）
（１３）インマニ計：  最大インマニ圧（MAXINM）
（１４）ブースト計：最大ブースト圧（MAXBST）
（１５）タコメータ：平均回転数（AVERPM）、最大回転数（MAXRPM）
（１６）ＨＶモータ回転数：ＨＶモータ最高回転数（MAXRPM）
（１７）ＨＶモータトルク：ＨＶモータ最大トルク（MAXTRQ）
【００９６】
公開取締自動ポップアップ設定画面（ｆ）には、ＯＮ、ＯＦＦに対応する設定ボタンが配置されている。ＯＮは、公開取締情報が変更されたとき、自動的に一定時間に渡ってウィンドウが表示される設定である。ＯＦＦは、公開取締情報が変更されても自動的にウィンドウが表示されない設定である。なお、ＯＦＦに設定した場合でも、ＭＵＴＥボタン２２３（図１参照。）が（手動）操作されたときには、制御部１０は、ウィンドウを表示させる。
スコープ内時計表示設定画面（ｇ）には、ＯＮ、ＯＦＦに対応する設定ボタンが配置されている。ＯＮは、時計表示に対応し、ＯＦＦは、時計非表示に対応している。
【００９７】
■  ６．１．２  潮汐情報設定  ■
図２３のごとく待受設定画面Ａの潮汐情報設定ボタンの操作を検知したとき、制御部１０は、潮汐情報設定画面ＡＢの表示に切り替える。潮汐情報設定画面ＡＢには、オート、マニュアルに対応する設定ボタンが配置されている。この潮汐情報設定画面ＡＢのマニュアルボタンの操作を検知したときは、制御部１０は、稚内、網走、石垣島、与那国島等の検潮所を設定可能な検潮所設定画面（ｂ）等を表示させる。
【００９８】
■  ６．１．３  グラフ設定  ■
図２４のごとく待受設定画面Ａのグラフ設定ボタンの操作を検知したとき、制御部１０は、グラフ設定画面ＡＣ１、ＡＣ２を表示させる。２画面用意されたグラフ設定画面ＡＣ１、ＡＣ２には、グラフを表示させる対象データに対応する設定ボタン、マニュアル設定ボタンが配置されている。対象データとしては、速度（図２５）、高度（図２６）、気圧（図２７）、加速度（図２８）、ジャイロ（図２９）、燃費（図３０）、温度（図３１）、回転数（図３２）、エンジン１（図３３）、エンジン２（図３４）、燃料（図３５）、電圧（図３６）等がある。マニュアル設定ボタンは、図３７に例示するように、複数種類のグラフ（同図では、速度、高度、冷却水温度の組合せを例示）をユーザー好みの仕様で表示させるための設定ボタンである。なお、高度のグラフは、図３８のごとく、走行距離が３ｋｍ未満であるか３ｋｍ以上であるかに応じて表示が異なる。３ｋｍ未満の表示例である同図（ａ）では、走行距離０．０ｋｍ〜その時点までの走行期間の高度のグラフが表示される。３ｋｍ以上の表示例である同図（ｂ）は、上下２段で高度のグラフが表示される。上段のグラフは、直近３ｋｍの走行期間の高度のグラフであり、下段のグラフは、走行距離０．０ｋｍ〜その時点までの走行期間の高度のグラフである。
【００９９】
図２４のごとくグラフ設定画面ＡＣ１のマニュアル設定ボタンの操作を検知したとき、制御部１０は、マニュアル設定画面（ａ）の表示に切り替える。このマニュアル設定画面（ａ）には、対象データを設定するためのアイテムボタンと、サンプリング周期を設定するための周期設定ボタンと、が配置されている。アイテムボタンには、速度、加速度前後、ヨーなど設定された対象データのデータ名が表示される。アイテムボタンの操作を検知したとき、制御部１０は、対象データ選択画面（ｂ）を切替表示する。対象データ選択画面（ｂ）では、上矢印ボタン（ページ送りボタン）、下矢印ボタン（ページ戻りボタン）によってデータをスクロール表示可能である。スクロール表示されるデータとしては、速度、高度、気圧、瞬間燃費、今回燃費、冷却水温度、吸気温度、回転数、エンジン負荷、スロットル開度、ＭＡＦ、ＩＮＪ、インマニ圧、残燃料、グラフなし、加速度前後、加速度左右、加速度上下、ピッチ、ロール、ヨーがある。制御部１０は、ＢＡＣＫボタンの操作を検知したときに対象データ選択画面上で選択されていた対象データを選択データとして設定する。
マニュアル設定画面（ａ）では、対象データ選択画面（ｂ）上で選択された対象データに対応する周期設定ボタンが表示される。周期設定ボタンの操作を検知したとき、制御部１０は、５００ｍｓ、１ｓ、２ｓ、５ｓ、１０ｓ等の周期に対応する周期アイコンを含む周期選択画面（ｃ）の表示に切り替える。この周期選択画面（ｃ）で選択された周期が対象データのサンプリング周期として設定される。
【０１００】
■  ６．１．４  オート項目設定  ■
図３９のごとく待受設定画面Ａのオート項目設定ボタンの操作を検知したとき、制御部１０は、オート項目設定画面ＡＤ１、ＡＤ２に切替表示する。オート項目設定画面ＡＤ１、ＡＤ２は、待受一覧画面３ＡのＡＵＴＯボタン３０２（図７参照。）が選択されたとき、制御部１０がタッチパネル１５に巡回表示させる待受画面を選択的に設定するための画面である。オート項目設定画面ＡＤ１、ＡＤ２には、時計、速度、エコドライブ、加速度、傾斜、デジタルメーター、潮汐情報、プリセットＡ画面、プリセットＢ画面、プリセットＣ画面、フォトフレーム、グラフ、高度、測位情報、燃費計、ＯＢＤデータ等に対する設定ボタンが配置されている。各設定ボタンは、その左端部に点灯箇所を有している。制御部１０は、設定状態の項目に対応する設定ボタンの点灯箇所を緑色に点灯させる。
【０１０１】
■  ６．１．５  プリセット画面設定  ■
図４０のごとく待受設定画面Ａのプリセット画面設定ボタンの操作を検知したとき、制御部１０は、プリセット項目設定画面ＡＥ１、ＧＰＳウィンドウ割込設定画面ＡＥ２、バックライト設定画面ＡＥ３、バックライト色設定画面ＡＥ４、半透過モード設定画面ＡＥ５、付加情報表示設定画面ＡＥ６のいずれかを順次表示する。これらの設定画面を利用して設定された待受画面は、制御部１０によって記憶され保持される。プリセットボタンとしてはＡ〜Ｃの３種類があり、プリセットＡ〜Ｃ画面にそれぞれ対応している。各プリセット画面について同様の設定が可能である。なお、プリセット画面設定ボタンとしては、プリセットＡ〜Ｃ画面に対応する３つが用意されている。各プリセット画面設定ボタンに対応する設定手順は全て同様である。
【０１０２】
プリセット項目設定画面ＡＥ１は、ＯＦＦ、時計、車速、エコドライブ、加速度、傾斜、潮汐情報、衛星情報、警報パネル、コンパス、リマインダー日数、リマインダー距離、瞬間燃費、平均燃費、一般道平均燃費、高速道平均燃費、今回燃費、生涯燃費、移動平均燃費、燃料流量、エンジン水温、吸気温度、外気温、エンジン油温、バッテリ電圧、スロットル開度、インマニ計、ブースト計、タコメーター、バッテリ電流、ＨＶ電池容量、ＨＶバッテリ電流、ＨＶモータ回転数、ＨＶモータトルク、ＨＶジェネレータ回転数等のプリセット項目（表示項目）を設定可能である。なお、上記のうち、瞬間燃費以降の各項目については、ＯＢＤデータが有効になったときのみ設定可能になる。なお、初期設定では、プリセットＡ画面として時計、速度、エコドライブが設定され、プリセットＢ画面として加速度、傾斜、衛星情報が設定され、プリセットＣ画面として潮汐情報、コンパス、気圧が設定されている。設定操作が行われたとき、制御部１０は、一定時間に渡ってプレビューを表示させる。バックライトがＡＵＴＯ設定の場合には、プレビューの前半がバックライトＯＦＦ、後半がバックライトＯＮで表示される。
【０１０３】
ＧＰＳウィンドウ割込設定画面ＡＥ２には、ＯＮ、ＯＦＦに対応する設定ボタンが配置されている。ＯＮは、ＧＰＳターゲットが警報範囲内に入った場合、種類・距離・方位を表示する設定である。ＯＦＦは、ＧＰＳターゲットが警報範囲内に入った場合であっても、種類・距離・方位を表示しない設定である。ＯＮ設定下でＧＰＳターゲットが接近してきたときには、図４１（ｂ）のごとく、そのターゲットの情報を表示するＧＰＳウィンドウ（表示欄）３９１が割り込み表示される。このとき、プリセット画面の３箇所のリング表示３４のうち、左右のリング表示３４Ｌ、Ｒの表示位置が高められ、これによりＧＰＳウィンドウ３９１の割込領域が確保される。なお、本例のレーダー探知機１では、ＧＰＳウィンドウ割込設定の初期設定はＯＮが設定されている。
【０１０４】
バックライト設定画面ＡＥ３には、ＯＦＦ、ＡＵＴＯ、ＯＮに対応する設定ボタンが配置されている。ＯＦＦは、バックライトが常時ＯＦＦになる設定である。ＡＵＴＯは、自動判定でＯＮ／ＯＦＦが切り替えられる設定である。ＯＮは、バックライトを常時ＯＮにする設定である。制御部１０は、設定が行われたとき、一定時間に渡ってプレビューを表示させる。ＡＵＴＯのときの自動判定の内容は、フレックスディマー設定によって異なる。ＧＰＳ受信器１２１の信号に基づくフレックスディマーの場合、ＧＰＳ非測位でトンネル誘導中ではＯＮ、これ以外では日の出から日の入時刻までがＯＦＦ、日の入から日の出までがＯＮとなる。照度センサ１２７及びＧＰＳ受信器１２１の信号に基づくフレックスディマーの場合、ＧＰＳ非測位でトンネル誘導中ではＯＮ、これ以外では日の出から日の入時刻までがＯＦＦ、日の入から日の出までがＯＮという設定に優先して、照度センサ１２７により暗いと判定されたときにＯＮとなる。ＯＢＤ機能による車両イルミネーション信号に連動するフレックスディマーの場合、イルミＯＮでＯＮ、イルミＯＦＦでＯＦＦとなる。
【０１０５】
バックライト色設定画面ＡＥ４には、図４２のごとく、Aqua Blue、Yellow Green、Dark Red、Deep Blue、Green、Yellow Green、Orange、Purpleに対応する各設定ボタンが配置されている。バックライト色設定画面ＡＥ４内のバックライト色に対応するいずれかの設定ボタンが操作されたとき、制御部１０は、その設定ボタンに対応するバックライト色のプレビューを一定時間に渡って表示し、その後、元のバックライト色設定画面ＡＥ４に切り替える。なお、初期値はAqua Blueが設定されている。
【０１０６】
半透過モード設定画面ＡＥ５には、図４３のごとく、ＯＮ、ＯＦＦに対応する設定ボタンが配置されている。半透過モード設定画面ＡＥ５内のオンあるいはオフの設定ボタンが操作されたとき、制御部１０は、その設定ボタンに対応するプレビュー画面を一定時間に渡って表示し、その後、元の半透過モード設定画面ＡＥ５に切り替える。図４３のプリセット画面（ａ）は、半透過表示に設定されたときの例である。プリセット画面（ａ）では、カスタム画像として設定された背景の画像が透けて見えるようにリング表示３４が半透過表示されている。プリセット画面（ｂ）は、リング表示３４の背景の画像が透けて見えない表示例である。半透過モードは、カスタム画像として背景画像を設定したユーザーの気持ちを尊重した表示モードとなっている。
【０１０７】
付加情報表示設定画面ＡＥ６には、ＯＮ、ＯＦＦに対応する設定ボタンが配置されている。付加情報を表示する機能は、ＯＢＤ接続されているときのみ有効となる。ＯＢＤ機能により取得された車速（ＯＢＤ車速）についてゼロが３秒継続したとき、設定されている項目に付加情報があることを前提として１７セグメントスクロール表示が行われる。ＯＢＤ車速がゼロを超えたとき、付加情報の表示が終了して通常表示に戻る。なお、ＯＢＤ車速ゼロが３秒継続した後であっても、画面が切り替わった場合は３秒後から開始される。
【０１０８】
付加情報表示設定がＯＮのとき、制御部１０は、ＯＢＤ車速がゼロになってから約３秒後、メータの一部で付加情報の表示を開始し、走行開始に応じて通常表示に復帰させる。付加情報の表示は、制御部１０の制御により、図４４に例示するように実行される。表示される付加情報は、以下の通り、前出のスコープサブ表示３４における付加情報と同様である。
【０１０９】
表示項目：    付加情報
（１）時計：    日付、曜日
（２）車速：    平均車速（AVESPD）、最大車速（MAXSPD）
（３）加速度：  最大前方加速度（MAXFWD）、最大左右加速度（MAXL/R）
（４）今回燃費：最大今回燃費（MAXAVE）  なお、今回走行での走行距離が１ｋｍに到達するまでは「−」等のＮＵＬＬ表示。
（５）移動平均燃費：最大移動平均燃費（MAXMOV）  なお、同走行距離が１６ｋｍ以上となるまで（グラフが埋まるまで）は「−」等のＮＵＬＬ表示。
（６）燃料流量：最大燃料流量（MAXFLW）
（７）エンジン水温：最大エンジン水温（MAXENG）
（８）吸気温度：最大吸気温度（MAXITK）
（９）外気温：  最大外気温（MAXAMB）
（１０）エンジン油温：最大エンジン油温（MAXOIL）
（１１）スロットル開度：平均スロットル開度（AVETHR）、最大スロットル開度（MAXTHR）
（１２）エンジン負荷：平均エンジン負荷（AVELOD）、最大エンジン負荷（MAXLOD）
（１３）インマニ計：  最大インマニ圧（MAXINM）
（１４）ブースト計：最大ブースト圧（MAXBST）
（１５）タコメータ：平均回転数（AVERPM）、最大回転数（MAXRPM）
（１６）ＨＶモータ回転数：ＨＶモータ最高回転数（MAXRPM）
（１７）ＨＶモータトルク：ＨＶモータ最大トルク（MAXTRQ）
【０１１０】
■  ６．１．６  フォトフレーム設定  ■
フォトフレーム設定は、ＳＤカードに保存した写真（ｊｐｅｇデータ）を表示するフォトフレーム待受の設定である。写真データを保存したＳＤカードを準備すれば、ＰＣ等の変換ツールを利用することなくフォトフレーム待受の設定が可能である。フォトフレーム待受では、ＳＤカード内の/user/photo/以下のディレクトリに格納されたｊｐｅｇファイルが最大１００枚まで順次表示される。このときサブフォルダについては、/user/photo/以下４階層までが自動探索対象となっている。携帯やＰＣに保存されている写真は日付ごとにフォルダ管理されていることが多いが、このような仕様を採用すれば、このようにフォルダ管理されたデータをそのままコピー可能となるので便利である。ｊｐｅｇファイルはベースラインｊｐｅｇもしくはプログレッシブｊｐｅｇ YUV444/YUV422/YUV420/Y onlyのフォーマットに対応している。ｊｐｅｇデータのデータサイズの上限は8000×8000ピクセルまで、ファイルサイズの上限は約３ＭＢ程度までとなっている。
【０１１１】
なお、挿入されたＳＤカードに写真データが１枚も保存されていない場合には、”有効なｊｐｅｇファイルがありません”と表示される。本例のフォトフレーム設定には、複数枚の写真がある場合に１枚の写真に固定するという機能はない。１枚の写真を待受画面として固定する方法としては、プリセット画面設定により全項目をＯＦＦにすることでリング表示３４を非表示にする方法等がある。フォトフレーム設定の中に、１枚の写真を固定的に表示する設定を含めることも良い。なお、フォトフレーム設定の中に、複数の写真を表示する順番を設定する機能を含めることも良い。
【０１１２】
フォトフレーム待受では、画面右上に時計が表示されるようになっている。設定により時計を非表示にすることも可能である。なお、フォトフレーム待受の表示中は、ＧＰＳターゲットのメッセージ表示は行われない。一方、ボリューム操作や、レーダー警報、無線警報のメッセージ表示は行われるように構成されている。
【０１１３】
図４５のごとく待受設定画面Ａのフォトフレーム設定ボタンの操作を検知したとき、制御部１０は、写真切替時間設定画面ＡＦ１、写真切替エフェクト設定画面ＡＦ２、写真ズーム設定画面ＡＦ３、写真特殊効果設定画面ＡＦ４、時計表示設定画面ＡＦ５のいずれかを順次表示する。
写真切替時間設定画面ＡＦ１には、３秒、５秒、１０秒、３０秒、１分、５分、１５分の写真切替時間に対応する各設定ボタンが配置されている。
写真切替エフェクト設定画面ＡＦ２には、エフェクトなし、フェード、スライド、ウィンドウ、ズーム、すべて（全エフェクト）に対応する各設定ボタンが配置されている。フェードは、徐々に前の写真が消えて、次の写真が現れるエフェクトである。スライドは、次の写真が右からスライドインするエフェクトである。ウィンドウは、次の写真が中央から窓状に現れるエフェクトである。ズームは、次の写真が拡大して消えていき、次の写真が現れるエフェクトである。「すべて」は、フェード→スライド→ウィンドウ→ズーム→フェードが繰り返し実行されるエフェクトである。
【０１１４】
写真ズーム設定画面ＡＦ３には、フル、ノーマル、ノーマル拡大なし、画面サイズ強制の各ズーム設定に対応する設定ボタンが配置されている。フルは、写真のアスペクト比を保ったまま、画面が埋まるように拡大・縮小するズームである。画面のアスペクト比と写真のアスペクト比が異なる場合、上下もしくは左右が切れて一部表示されなくなる。ノーマルは、写真のアスペクト比を保ったまま、縦もしくは横のいずれかが画面いっぱいになるように拡大・縮小するズーム設定である。画面のアスペクト比と写真のアスペクト比が異なる場合、黒い帯が出ることになる。ノーマル拡大なしは、ノーマルの動作において、写真が画面のサイズより小さい場合は、拡大を行わず、空いた部分を黒で埋めるズーム設定である。画面サイズ強制は、縦横とも画面のサイズにあわせて拡大・縮小されるため、絵が横長や縦長になることがあるズーム設定である。なお、本例のタッチパネル１５の画面のアスペクト比は、４００：２４０＝１０：６となっている。
【０１１５】
写真特殊効果設定画面ＡＦ４には、通常、ネガ、グレースケール、セピアカラーに対応する各設定ボタンが配置されている。通常は、そのまま表示する特殊効果なしの設定である。ネガは、写真のネガのように明るさを反転表示する特殊効果である。グレースケールは、白黒テレビのように表示する特殊効果である。セピアカラーは、古い写真のような色で表示する特殊効果である。
時計表示設定画面ＡＦ５には、オンとオフの設定ボタンが配置されている。いずれかの設定ボタンの選択により、ユーザーの好みによりフォトフレーム待受の画面右上に時計を出すかどうかを設定可能である。
【０１１６】
■  ６．１．７  燃費計設定  ■
燃費計設定は、図４６のような燃費計画面についての設定機能である。図４７のごとく待受設定画面Ａの燃費計設定ボタンの操作を検知したとき、制御部１０は、６種類の燃費計設定画面ＡＧ１〜ＡＧ６のうちのいずれかを切替表示する。燃費計設定画面ＡＧ１〜ＡＧ６には、図４６の燃費計画面の左側にテキスト表示させるデータの設定ボタンが配置されている。各設定ボタンは、操作する毎にオンオフが切り替わるボタンとなっている。オン状態に切り替えられた設定ボタンは、左端部が緑色で表示される。
【０１１７】
燃費計画面に設定可能なデータとしては、速度、平均速度、最高速度、５秒速度、平均５秒速度、最高５秒速度、回転数、平均回転数、最高回転数、エンジン負荷、平均負荷、最大負荷、スロットル開度、平均スロットル開度、最大スロットル開度、点火時期、燃料レベル、インマニ圧、最大インマニ圧、ＭＡＦ、ＩＮＪ、冷却水温度、、最高冷却水温度、吸気温度、最高吸気温度、外気温、最高外気温、エンジン油温、最高エンジン油温、最高エンジン水温、残燃料、燃料流量、最大燃料流量、消費燃料、生涯消費燃料、瞬間燃費、今回燃費、最大今回燃費、生涯燃費、平均燃費、一般道平均燃費、高速道平均燃費、移動平均燃費、最大移動平均燃費、運転時間、走行時間、アイドル時間、アイドル比率、走行距離、生涯走行距離、生涯エンジン走行距離、生涯エンジン走行比率、０−２０ｋｍ／ｈ加速時間、０−２０ｋｍ／ｈ平均加速、０−２０ｋｍ／ｈ最短加速、０−４０ｋｍ／ｈ加速時間、０−４０ｋｍ／ｈ平均加速、０−４０ｋｍ／ｈ最短加速、０−６０ｋｍ／ｈ加速時間、０−６０ｋｍ／ｈ平均加速、０−６０ｋｍ／ｈ最短加速、０−８０ｋｍ／ｈ加速時間、０−８０ｋｍ／ｈ平均加速、０−８０ｋｍ／ｈ最短加速、０−２０ｋｍ／ｈ走行時間、２０−４０ｋｍ／ｈ走行時間、４０−６０ｋｍ／ｈ走行時間、６０−８０ｋｍ／ｈ走行時間、８０ｋｍ／ｈ以上走行時間、生涯エンジン走行距離、生涯エンジン走行比率等がある。
【０１１８】
「速度」は、車両側から取得した現在の車速をｋｍ／ｈの単位で表示する。「平均速度」は、車両側から本機の電源オンから現在までに取得した車速の平均の車速をｋｍ／ｈの単位で表示する。「最高速度」は、車両側から本機の電源オンから現在までに取得した中での最高の車速をｋｍ／ｈの単位で表示する。「５秒速度」は、５秒前から現在までに車両側から取得した車速の平均の車速をｋｍ／ｈの単位で表示する。「平均５秒速度」は、車両側から取得した車速の電源オンからの５秒ごとの平均速度をｋｍ／ｈの単位で表示する。「最高５秒速度」は、車両側から取得した車速の電源オンからの５秒ごとの最高速度をｋｍ／ｈの単位で表示する。「回転数」は、車両側から取得した現在のエンジン回転数をｒｐｍの単位で表示する。「平均回転数」は、電源オンから現在までに車両側から取得したエンジン回転数の平均値をｒｐｍの単位で表示する。「最高回転数」は、電源オンから現在までに車両側から取得したエンジン回転数の最高値をｒｐｍの単位で表示する。「エンジン負荷」は、車両側から取得した現在のエンジン負荷率を％の単位で表示する。「平均負荷」は、電源オンから現在までに車両側から取得したエンジン負荷率の平均値を％の単位で表示する。「平均負荷」は、電源オンから現在までに車両側から取得したエンジン負荷率の平均値を％の単位で表示する。「最大負荷」は、電源オンから現在までに車両側から取得したエンジン負荷率の最大値を％の単位で表示する。「スロットル開度」は、車両側から取得した現在のスロットル開度を％の単位で表示する。「平均スロットル開度」は、電源オンから現在までに車両側から取得したスロットル開度の平均値を％の単位で表示する。「最大スロットル開度」は、電源オンから現在までに車両側から取得したスロットル開度の最大値を％の単位で表示する。「点火時期」は、車両側から取得した現在の点火時期を°の単位で表示する。「平均スロットル開度」は、電源オンから現在までに車両側から取得したスロットル開度の平均値を％の単位で表示する。「最大スロットル開度」は、電源オンから現在までに車両側から取得したスロットル開度の最大値を％の単位で表示する。「燃料レベル」は車両側から取得した現在の残り燃料の割合を％の単位で表示する。「インマニ圧」は車両側から取得した現在のインテークマニホールドの圧力をｋＰａの単位で表示する。「ＭＡＦ」は車両側から取得した現在のエンジンに吸入される空気量（吸入空気量（ＭＡＦ））をｇ／秒の単位で表示する。「ＩＮＪ」は車両側から取得したインジェクタにより燃料が一定時間に噴射される時間（インジェクション開時間）をミリ秒の単位で表示する。「冷却水温度」は車両側から取得した現在のエンジン冷却水の温度（冷却水温度）を℃の単位で表示する。「吸気温度」は車両側から取得した現在のエンジンに吸気される空気の温度（吸気温度）を℃の単位で表示する。「外気温度」」は車両側から取得した現在の車外の気温（外気温度）を℃の単位で表示する。「残燃料」は車両側から取得した現在の燃料タンクの残り燃料の量（残燃料量）をＬの単位で表示する。「燃料流量」は車両側から取得した現在の燃料流量をｍＬ／分の単位で表示する。「消費燃料」は、電源���ン時に車両側から取得した残燃料量と現在の残燃料量との差を消費燃料としてｍＬの単位で表示する。「生涯消費燃料」は本機を最初に取り付けてからまたはリセットしてからの消費燃料の累計値をＬの単位で表示する。「瞬間燃費」は車両側から取得した現在の瞬間燃費をｋｍ／Ｌの単位で表示する。「今回燃費」は電源オンから現在までに車両側から取得した瞬間燃費に基づいて算出した今回の走行等による燃費をｋｍ／Ｌの単位で表示する。「生涯燃費」は本機を最初に取り付けてからまたは設定画面でオールリセットをしてから現在までの瞬間燃料に基づいて算出したこの間の燃費をｋｍ／Ｌの単位で表示する。「平均燃費」は、本機を最初に取り付けてからまたは設定画面で平均燃費のリセットをしてから現在までの瞬間燃料に基づいて算出したこの間の燃費をｋｍ／Ｌの単位で表示する。「平均燃費一般道」はデータベース１００に記憶された地図データとＧＰＳ受信器１２１によって取得した現在位置とに基づき現在位置が一般道の位置に相当するかを判定し、一般道の位置で車両側から取得された瞬間燃費に基づいて本機を最初に取り付けてからまたは設定画面で平均燃費のリセットをしてから現在までの一般道での平均燃費をｋｍ／Ｌの単位で表示する。同様に、「平均燃費高速道」は、高速道での平均燃費をｋｍ／Ｌの単位で表示する。「運転時間」は電源オンから現在までの時間を時：分：秒の形式で表示する。「走行時間」は電源オンから現在までの時間のうち車両側から取得した車速がゼロを超えていた時間を時：分：秒の形式で表示する。「アイドル時間」は電源オンから現在までの時間のうち停車していた時間すなわち車両側から取得した車速がゼロの時間を時：分：秒の形式で表示する。「アイドル比率」は電源オンから現在までの時間のうち走行していた時間すなわち車速がゼロを超えていた時間（走行時間）と、停車していた時間すなわち車両側から取得した車速がゼロの時間（停車時間）との比率％の単位で表示する。「走行距離」は電源オンから現在までに車両側から取得した車速と経過時間から求まるメーター走行距離をｋｍの単位で表示する。「生涯走行距離」は本機を最初に取り付けてからまたはリセットしてからの走行距離の累計値をｋｍの単位で表示する。「生涯エンジン走行距離」はエンジンを動力にして走行した距離である。「生涯エンジン走行比率」はエンジンを動力にして走行した比率である。エンジン走行距離と同様の考え方により、ブレーキパッドの負担を表すブレーキ走行距離を求めることも良い。ブレーキ走行距離の算出に当たっては、例えば、ハイブリッド車両や電気自動車等のブレーキ回生電流に基づく電力の積算値に応じてブレーキパッドの負担が軽減された度合いを推定し、その度合いに応じて実際の走行距離よりも少ない距離を算出すれば良い。
【０１１９】
「０−２０ｋｍ／ｈ加速時間」は、直近の停車状態から時速２０ｋｍ／ｈまでにかかった時間を秒の単位で表示する。「０−２０ｋｍ／ｈ平均加速」は、停車状態から時速２０ｋｍ／ｈまでにかかった平均時間を秒の単位で表示する。「０−２０ｋｍ／ｈ最短加速」は、停車状態から時速２０ｋｍ／ｈまでにかかった最短時間を秒の単位で表示する。「０−４０ｋｍ／ｈ加速時間」は、直近の停車状態から時速４０ｋｍ／ｈまでにかかった時間を秒の単位で表示する。「０−４０ｋｍ／ｈ平均加速」は、停車状態から時速４０ｋｍ／ｈまでにかかった平均時間を秒の単位で表示する。「０−４０ｋｍ／ｈ最短加速」は、停車状態から時速４０ｋｍ／ｈまでにかかった最短時間を秒の単位で表示する。「０−６０ｋｍ／ｈ加速時間」は、直近の停車状態から時速６０ｋｍ／ｈまでにかかった時間を秒の単位で表示する。
【０１２０】
「０−６０ｋｍ／ｈ平均加速」は、停車状態から時速６０ｋｍ／ｈまでにかかった平均時間を秒の単位で表示する。「０−６０ｋｍ／ｈ最短加速」は、停車状態から時速６０ｋｍ／ｈまでにかかった最短時間を秒の単位で表示する。「０−８０ｋｍ／ｈ加速時間」は直近の停車状態から時速８０ｋｍ／ｈまでにかかった時間を秒の単位で表示する。「０−８０ｋｍ／ｈ平均加速」は停車状態から時速８０ｋｍ／ｈまでにかかった平均時間を秒の単位で表示する。「０−８０ｋｍ／ｈ最短加速」は停車状態から時速８０ｋｍ／ｈまでにかかった最短時間を秒の単位で表示する。「０−２０ｋｍ／ｈ走行時間」は停車状態から時速２０ｋｍ／ｈで走行していた時間の合計を時：分：秒の形式で表示する。「２０−４０ｋｍ／ｈ走行時間」は時速２０ｋｍ／ｈから４０ｋｍ／ｈで走行していた時間の合計を時：分：秒の形式で表示する。「４０−６０ｋｍ／ｈ走行時間」は時速４０ｋｍ／ｈから６０ｋｍ／ｈで走行していた時間の合計を時：分：秒の形式で表示する。「６０−８０ｋｍ／ｈ走行時間」は時速６０ｋｍ／ｈから８０ｋｍ／ｈで走行していた時間の合計を時：分：秒の形式で表示する。「８０ｋｍ／ｈ以上走行時間」は時速８０ｋｍ／ｈ以上で走行していた時間の合計を時：分：秒の形式で表示する。
【０１２１】
上記に列挙したデータに加えて、イルミネーション電源ラインのＯＮ／ＯＦＦを示し、スモールランプ以上のＳＷ位置（ＡＵＴＯで暗い判定がされている場合含む）と連動する「イルミ」、バッテリに入出力される電流値であって、一般的にはアンメーターと呼ばれ、充電時が＋、放電時が−で表現される「バッテリ電流」、エンジンオイルの温度であって、エンジンは冷却水で冷やされるので冷却水温度より少し高くなる「エンジン油温」、「最高エンジン油温」、ハイブリッド用電池が何％充電されているかを示す（SOC=State Of Charge）「ハイブリッド車  電池容量」、ハイブリッド用電池の電流であって、充電時が＋、放電時が−で表現される「ハイブリッド車  バッテリ電流」、ハイブリッド用モーターの回転数を示す「ハイブリッド車  モータ回転数」、ＩＧ（イグニション）ＯＮ後の最高モーター回転数を示す「ハイブリッド車  最高モータ回転数」、ハイブリッド用モーターの軸回転力を示す「ハイブリッド車  モータトルク」、ＩＧＯＮ後の最大モータートルクを示す「ハイブリッド車  最大モータトルク」、ハイブリッド用の発電機（ジェネレータ）の回転数を示す「ハイブリッド車  ジェネレータ回転数」等を含めることも良い。
【０１２２】
■  ６．１．８  ＯＢＤデータ設定  ■
ＯＢＤデータ設定は、図４８のごとくＯＢＤデータ画面についての設定機能である。図４９のごとく待受設定画面ＡのＯＢＤデータ設定ボタンの操作を検知したとき、制御部１０は、ＯＢＤ設定画面ＡＨ１〜ＡＨ６のうちのいずれかを切替表示する。ＯＢＤ設定画面ＡＨ１〜ＡＨ６には、以下の各データに対応する設定ボタンが配置されている。各設定ボタンは、図４７の燃費計設定ボタンと同様であり、オンのとき左端部が緑色に点灯する。データとしては、速度、平均速度、最高速度、５秒速度、平均５秒速度、最高５秒速度、回転数、平均回転数、最高回転数、エンジン負荷、平均負荷、最大負荷、スロットル開度、平均スロットル開度、最大スロットル開度、点火時期、燃料レベル、インマニ圧、最大インマニ圧、ＭＡＦ、ＩＮＪ、冷却水温度、最高冷却水温度、吸気温度、最高吸気温度、外気温、最高外気温、エンジン油温、最高エンジン油温、残燃料、燃料流量、最大燃料流量、消費燃料、生涯消費燃料、瞬間燃費、今回燃費、最大今回燃費、生涯燃費、平均燃費、一般道平均燃費、高速道平均燃費、移動平均燃費、最大移動平均燃費、運転時間、走行時間、アイドル時間、アイドル比率、走行距離、生涯走行距離、０−２０ｋｍ／ｈ加速時間、０−２０ｋｍ／ｈ平均加速、０−２０ｋｍ／ｈ最短加速、０−４０ｋｍ／ｈ加速時間、０−４０ｋｍ／ｈ平均加速、０−４０ｋｍ／ｈ最短加速、０−６０ｋｍ／ｈ加速時間、０−６０ｋｍ／ｈ平均加速、０−６０ｋｍ／ｈ最短加速、０−８０ｋｍ／ｈ加速時間、０−８０ｋｍ／ｈ平均加速、０−８０ｋｍ／ｈ最短加速、０−２０ｋｍ／ｈ走行時間、２０−４０ｋｍ／ｈ走行時間、４０−６０ｋｍ／ｈ走行時間、６０−８０ｋｍ／ｈ走行時間、８０ｋｍ／ｈ以上走行時間、生涯エンジン走行距離、生涯エンジン走行比率等がある。
【０１２３】
■  ６．２  モード設定  ■
モード設定は、警報頻度が異なる警報モードの設定である。図５０のごとく設定一覧画面１Ａのモード設定ボタンの操作を検知したとき、制御部１０は、モード設定画面Ｂに表示を切り替える。モード設定画面Ｂには、ノーマル、ミニマム、スペシャル、オールオン、マニュアルの各警報モードに対応する設定ボタンが配置されている。マニュアルモードを除く各警報モードの設定、及びマニュアルモード下の設定例は、図５１の通りである。ノーマルモードは、製品出荷時の初期設定モードである。マニュアルモード以外の各モードでは、各警報対象に応じた動作（オンオフ）が予め規定されている。マニュアルモードでは、警報対象に応じた動作をユーザーがマニュアルで設定可能である。ミニマムモードは、ＲＤ警報機能、無線警報機能、ＧＰＳ警報機能のすべてにおいて、必要最低限の警報対象だけを警報する設定である。ノーマルモードは機能同士のバランスを重視したモードであり、ミニマムモードの項目に加え取締に関する項目のうち重要度が高いものを警報対象として警報する設定である。スペシャルモードはノーマルモードの項目に加え取締に関する項目はすべて警報対象として警報する設定である。
【０１２４】
図５２のごとくモード設定画面Ｂのマニュアル設定ボタンの操作を検知したとき、制御部１０は、無線設定、レーダー設定、ＧＰＳ設定に対応する各設定ボタンが配置されたマニュアル設定画面ＢＡの表示に切り替える。
図５３のごとくマニュアル設定画面ＢＡのレーダー設定ボタンの操作を検知したとき、制御部１０は、レーダー設定画面の表示に切り替える。このレーダー設定画面には、Ｉキャンセル、キャンセルサウンド、反対キャンセルに対応する各設定ボタンが配置されている。Ｉキャンセルは、誤警報が発生したとき、ＧＰＳの位置情報を自動で登録し、同じ地点での再度の警報をキャンセルする機能である。キャンセルサウンドは、Ｉキャンセル中等に「キャンセル中です」と１０秒に１回音声を発する機能である。反対キャンセルは、レーダー式オービス等の設置ポイントを通過したとき、設置車線が反対車線であればＲＤ警報をキャンセルする機能である。各設定ボタンは、操作する毎にオンオフが切り替わるボタンであり、オン状態に切り替えられた設定ボタンは、その左端部が緑色に点灯する。
【０１２５】
図５４のごとくマニュアル設定画面ＢＡの無線設定ボタンの操作を検知したとき、制御部１０は、無線設定画面（ａ）、（ｂ）のいずれかを切り替え表示する。２種類の無線設定画面（ａ）、（ｂ）には、受信感度、カーロケ、取締、デジタル、特小、署活系、警察電話、警察活動、レッカー、ヘリテレ、消防ヘリテレ、消防、新救急、高速道路、警備に対応する各設定ボタンが配置されている。各設定ボタンは、オン状態が設定された左端部が緑色に点灯するオンオフボタンである。
図５５のごとくマニュアル設定画面ＢＡのＧＰＳ設定ボタンの操作を検知したとき、制御部１０は、５種類のＧＰＳ設定画面（ａ）〜（ｅ）のいずれかを切り替え表示する。ＧＰＳ設定画面（ａ）〜（ｅ）には、オービス、直前速度告知、カメラ位置告知、通過告知、制限速度告知、速度超過告知、取締エリア、検問エリア、制限速度切替告知、交差点監視ポイント、信号無視抑止、高速交通警察隊、駐禁監視エリア、一時停止注意、Ｎシステム、交通監視システム、警察署、交番、事故多発エリア、車上狙いエリア、急カーブ、分岐合流ポイント、踏切、ＥＴＣレーン、ＳＡ、ＰＡ、ハイウェイオアシス、スマートＩＣ、ガソリンスタンド、トンネル、ハイウェイラジオ、県境、道の駅、ビューポイント、パーキング、駐車場、消防署、公衆トイレ等に対応する設定ボタンが配置されている。
【０１２６】
■  ６．３  警報設定  ■
警報設定は、警報の態様に関する設定である。図５６のごとく設定一覧画面１Ａの警報設定ボタンの操作を検知したとき、制御部１０は、レーダー受信感度設定画面Ｃ１、道路選択画面Ｃ２、警報パネル動作設定画面Ｃ３、警報パネル写真設定画面Ｃ４のいずれかをタッチパネル１５に表示させる。
レーダー受信感度設定画面Ｃ１には、シティ、エクストラ、スーパーエクストラ、ＡＡＣ／ＡＳＳ、ＡＡＣ／ＳＥに対応する各設定ボタンが配置されている。いずれかの設定ボタンの操作を検知したとき、制御部１０は、その設定ボタンに対応するレーダー受信感度を設定する。
道路選択画面Ｃ２には、一般道、高速道、オール、オート気圧なし、オート気圧ありに対応する各設定ボタンが配置されている。オート気圧なしは、ＧＰＳにより道路を自動判定する設定、オート気圧ありは、ＧＰＳと気圧センサにより、道路を自動判定する設定である。
【０１２７】
警報パネル動作設定画面Ｃ３には、アニメループ、アニメ→静止、静止に対応する各設定ボタンが配置されている。アニメループの設定は、警報パネル３６（図１２、図１５参照。）の表示中にアニメーションがループする動作設定である。ただし、この動作設定では、警報パネル３６の写真表示がＯＮに設定され、そのターゲット用の写真がある場合は途中で写真に切り替わる。アニメ→静止の設定は、警報パネル３６の表示中にアニメーションをしばらく表示して、最終コマで静止する動作設定である。この動作設定では、オービス接近以外でのリング３４０により警報動作の実行頻度が低くなる。静止の設定は、警報パネル３６の表示中に最終コマで静止する動作設定である。この動作設定では、オービス接近以外でのリング３４０による警報動作も静止する。
警報パネル写真設定画面Ｃ４には、オン及びオフに対応する設定ボタンが配置されている。オンの設定ボタンが操作された場合、制御部１０の制御により、警報パネル３６にターゲットの写真が表示される場合が設定される。一方、オフの設定ボタンが操作された場合、警報パネル３６にターゲットの写真が表示されることがなくなる。
【０１２８】
■  ６．４  画面・ＬＥＤ設定  ■
画面・ＬＥＤ設定は、タッチパネル１５の表示画面、マルチカラーＬＥＤ１３７の発光動作に関する設定である。図５７のごとく設定一覧画面１Ａの画面・ＬＥＤ設定ボタンの操作を検知したとき、制御部１０は、明るさ設定画面Ｄ１、フレックスディマー設定画面Ｄ２、画面反転設定画面Ｄ３、ウィンドウタッチ補正画面Ｄ４、マルチカラーＬＥＤ設定画面Ｄ５、ボタンＬＥＤ設定画面Ｄ６のうちのいずれかを表示する。
明るさ設定画面Ｄ１には、最小、暗い、普通、明るいに対応する各設定ボタンが配置されている。
フレックスディマー設定画面Ｄ２には、ＧＰＳ、照度センサ＋ＧＰＳ、ＯＢＤイルミ連動に対応する各設定ボタンが配置されている。ＧＰＳは、時刻／緯度・経度から日の出・日の入時間を算出し、明るさを決定するディマー設定である。照度センサ＋ＧＰＳは、ＧＰＳによる判定に加え、照度センサ１２７による明るさの低下を優先して判定するディマー設定である。ＯＢＤイルミ連動は、ＯＢＤ情報のイルミ検知により、イルミネーション信号がＯＦＦのときに昼輝度で制御され、ＯＮのときに夜輝度で制御されるディマー設定である。なお、イルミネーション信号を検出できない車両に装着された場合には、制御部１０は、このＯＢＤイルミ連動に対応する設定ボタンを操作不可能に設定する。なお、ディマー設定の初期設定は、ＯＢＤアダプタ接続時でイルミが有効の場合はＯＢＤイルミ連動のディマー設定であり、これ以外の場合は照度センサ＋ＧＰＳのディマー設定である。
ウィンドウタッチ補正画面Ｄ４には、補正を実行させるための操作ボタンが配置されている。この操作ボタンの操作を検知したとき、制御部１０は、図５８のごとく一連の補正画面を順番に切り替え表示する。
【０１２９】
マルチカラーＬＥＤ設定画面Ｄ５には、ＯＦＦ、音声連動、エリア連動、音声＋エリア連動に対応する各設定ボタンが配置されている。マルチカラーＬＥＤ設定画面Ｄ５を利用すれば、マルチカラーＬＥＤ１３７の動作を４種類に設定可能である。ＯＦＦは、マルチカラーＬＥＤ１３７が一切点灯しない設定である。音声連動は、ＧＰＳ警報、レーダー警報、無線警報など音声出力の種類により色が変化すると共に、明るさが音の大きさ（振幅）とディマーにより変化する設定である。
【０１３０】
エリア連動は、以下のようにエリアに連動してマルチカラーＬＥＤ１３７が発光するモードである。
赤：オービス（２１００ｍ）
黄：取締エリア（１１００ｍ／１００ｍ（一旦停止））、検問エリア（１１００ｍ）、高速警察隊待機所（１１００ｍ）、  マイエリア（１１００ｍ）、交差点監視ポイント（６００ｍ）、信号無視抑止システム（６００ｍ）
いずれもトンネル内のターゲット、出口直後のターゲットを含んでいる。
【０１３１】
エリア連動では、上記のターゲット方位に対して向かっていて、その有効な範囲にいる場合（一旦停止以外の取締エリアと検問エリアは圏外になるまでも含める）のうち、”最も優先度が高いもの”の色が出力される。なお、色条件は、システム警報レベルと同じになっている。ただし、上記のオービスの２１００ｍは高速道属性の場合は必ず抽出されるが、一般道属性の場合は「ＧＰＳターゲットサーチ範囲」設定に依存している。本例では、最も優先度の高いターゲットとの距離により点滅周期を変更している。具体的には、２０００ｍのとき３０００ｍ秒と、０ｍのとき７５０ｍ秒との２点間の直線補完により点滅周期を決定している。ＰＷＭ  ＯＮ時間は、８０ｍ秒固定となっており、ＰＷＭ自体の明るさのＯＮ目標値は３０％×ディマー係数となっている。ただし、目標値であり実際には、明るくなるときには、４ｍ秒毎に現在値と目標値の差の１／２移動し、暗くなるときには４ｍ秒毎に現在値と目標値の差の１／６４移動するという近づけ処理が実行され、これにより、ふわっと消える感じが演出される。なお、優先度としては、システム警報レベルが高いものが優先される。
【０１３２】
音声＋エリア連動は、音声連動条件が成立している場合は、必ず音声連動を優先で出力し、音声連動条件が成立しない場合は、エリア連動の動作を行う設定である。この設定では、エリア連動条件も成立しないときはマルチカラーＬＥＤ１３７が消灯する。
【０１３３】
■  ６．５  音声設定  ■
音声設定は、警報音声（警報ボイス）等の音出力に関する設定である。図５９のごとく設定一覧画面１Ａの音声設定ボタンの操作を検知したとき、制御部１０は、ナレーター切替画面Ｅ１、ボイスモード設定画面Ｅ２、レーダー警報音設定画面Ｅ３、無線警報音設定画面Ｅ４、オービスロケーションガイド設定画面Ｅ５、速度警告音設定画面Ｅ６、測位アナウンス設定画面Ｅ７、リラックスチャイム設定画面Ｅ８、時報設定画面Ｅ９、操作音設定画面Ｅ１０のうちのいずれかを表示させる。
【０１３４】
ナレーター切替画面Ｅ１には、女性１、女性２、女性３、女性４、男性のナレーターに対応する各設定ボタンが配置されている。
ボイスモード設定画面Ｅ２には、ノーマル、アシスタント、アドバイスに対応する各設定ボタンが配置されている。図６０のごとく、設定されたモードにより異なる発音が発生する。同図中のベストパートナー＋（プラス）では、従来の電波受信での警報に加え、レーダー波、無線、ＧＰＳの複合で判断される。無線警報との組み合わせのみでなく、ＲＤ波、無線、ＧＰＳの複合条件によりより的確な発音が行われる。ＲＤ波とＧＰＳの複合条件としては、ネズミ捕りエリア警報開始後、このネズミ捕りエリアの圏内（５００ｍ）で、ＲＤ波を受信した場合の「初回」のみＲＤ警報の発音内容を変更する条件、エリア外に離脱した後、もう一度エリア内に入り、ＲＤ波を受信した場合も初回として取り扱うという条件等がある。なお、後述する無線とＧＰＳの複合条件とは「初回」の扱いは独立とする。ベストパートナー＋の発音は、発音の優先度が最優先であるため、他の発音が行われていても、割り込んで再生される。「♪（ステルス警報時と同じアイーン×３）  スピード測定注意」等のボイス例がある。
【０１３５】
無線とＧＰＳの複合条件としては、取締エリアおよび検問エリアでの警報開始後、圏内（５００ｍ）で、特定の無線を受信した場合の「初回」のみ無線警報の発音内容を変更するという条件、エリア外に離脱した後、もう一度エリア内に入り、無線を受信した場合も初回として取り扱うという条件等がある。前述のＲＤ波とＧＰＳの複合条件とは「初回」の扱いは独立とする。なお、この発音は、発音の優先度が最優先ではないため、他の発音が行われていても、割り込んで再生されることはない。対象無線としては、カーロケ近接、カーロケ遠方、３５０．１取締無線、デジタル無線、取締シグナル、検問シグナル、並走追尾、特小無線、レッカー無線、署活系無線、警察電話、警察活動無線がある。追尾式取締エリア内であれば、「♪  （設定された無線ジングル）  追尾式取締注意  」等のボイス例がある。
なお、本例のレーダー探知機１では、警報音声（警報ボイス）の発生タイミングが図６１〜図６３のように設定されている。
【０１３６】
図６０のあいさつとしては、ＧＰＳ初期測位発音時のあいさつ等がある。日付と時間帯により発音内容を図６４のように変化させると良い。
図６０の日没告知は、ＧＰＳ受信器１２１が出力する自車位置と時候とにより算出された日没時刻になったときに発音される。ボイス例としては、「♪（ＧＰＳ告知ジングル）  日没です  ライトの確認をしましょう」等がある。なお、日没時刻は、車が移動すれば変動するが、一度日没告知を行った場合は、電源をＯＦＦするまで告知しないことが良い。
【０１３７】
図６０のリマインダー告知としては、リマインダーの設定が行われている場合の告知表示である。起動時にその日数もしくは距離が設定値に到達していると、起動３回まで（操作で中止）の告知表示が行われる。この告知の際、例えば、「♪（リマインダーのジングル）  エンジンオイル交換時期です。」等のボイスが発音される。
同図のオービスカウントダウンは、オービスに接近したときに、その残距離を１００ｍ単位到達ごとに読み上げる機能である。カウントダウン発音は最優先ではないため、他の発音が入っていると、その距離をすでに通過してしまっていることがあり得る。そのような距離発音はキャンセルされる。カウントダウンは、発音カウント距離＋５０ｍ以下となったとき成立とするが、同時に複数の発音カウント距離が成立する場合（距離が飛んだとき）は、もっとも近いものが出力される。なお、一度カウントダウン出力した以上の距離は出力しない。離反距離に到達すれば再度９００ｍまたは４００ｍから出力可能となる。１０００ｍ及び５００ｍの発音は行わない。
また、カウントダウンを優先させるために、レーダー警報音の一時的な変更が行われる。カウントダウンが有効なとき、カウントダウン状態に入ると、レーダー警報音設定が一時的に電子音に切り替わり、通過後から設定されている警報音に戻る（レーダー警報音のカウントダウン優先制御）。
【０１３８】
なお、その他の他の音声に関する機能としては次のような機能がある。
照度低下告知機能は、照度センサ１２７により、周辺の明るさが暗くなった際に発音する機能である。なお、連続するトンネルで頻発するおそれがあるので、暗い→明るいとなった後、３０秒以内に暗くなった場合は告知しないように設定することが良い。例えば、「♪  （ジングル）  照度が低下しました。  ライトの確認をしましょう。」と音声出力される。
エコドライブ告知機能は、エコドライブのポイントが満点になったとき、点数が下がって来たときに発音する機能である。例えば、「♪  （ジングル）  エコドライブポイント満点です。」や、「♪  （ジングル）  エコドライブポイント減少です。」等の音声出力がある。
【０１３９】
ＯＢＤ機能による音声出力の機能もある。外気温については、３０℃以上のときに発音され、一度発音すると電源ＯＦＦまで発音されない。例えば、「♪  （ジングル）  外気温が３０度を超えています。」という音声出力がある。スロットル開度については、８０％以上が３秒間継続したときに発音され、例えば、「♪  （ジングル）  アクセル踏みすぎです。」という音声出力がある。エンジン負荷については、８０％以上が３秒間継続で発音され、例えば、「♪  （ジングル）  エンジン負荷掛け過ぎです。」という音声出力がある。回転数については、５０００ｒｐｍ以上が３秒間継続で発音され、例えば、「♪  （ジングル）  回転数上がりすぎです。」という音声出力がある。なお、モードに依存しない音声機能としては、速度警告、無線警報音がある。
【０１４０】
レーダー警報音設定画面Ｅ３（図５９）には、電子音、ボイス、クアイアットボイス、メロディ１、メロディ２、メロディ３、メロディローテーションに対応する各設定ボタンが配置されている。
無線警報音設定画面Ｅ４には、ボイス、復調、ボイスクラシック、復調クラシック、ＯＦＦに対応する各設定ボタンが配置されている。無線警報としては、図６５のごとく、無線ジングル（ピロロローン）に加えて、電子音ジングルを選択可能である。電子音ジングルは、その音の違いによりある程度、無線の種類を把握可能である。
オービスロケーションガイド設定画面Ｅ５には、ＯＮ及びＯＦＦに対応する設定ボタンが配置されている。
【０１４１】
速度警告音設定画面Ｅ６には、ＯＦＦ、チャイム、ボイスに対応する設定ボタンが配置されている。本例では、速度警告音として、♪キンコン  キンコン・・・という電子音が採用されている。なお、速度警告音とレーダー警報音（電子音設定）とが同時に成立しているとき、制御部１０は、レーダー警報（電子音設定）を優先する制御を実行する。速度警告は、ターゲットの制限速度に関係なく、車速≧１１０ｋｍ／ｈ（５ｋｍ／ｈのヒステリシス設定有り。）で速度警告チャイムを鳴らす機能である。チャイムは電子音で出力されるため、他のボイスと同時出力可能となっている。なお、レーダー警報が電子音出力中の場合は、レーダー警報が優先される。速度警告音については、図５９の速度警告音設定画面Ｅ６上でＯＮ／０ＦＦが可能となっている。なお、初期設定はＯＦＦとなっている。
【０１４２】
測位アナウンス設定画面Ｅ７には、ＯＮ及びＯＦＦに対応する設定ボタンが配置されている。
リラックスチャイム設定画面Ｅ８には、３０分、１時間、２時間、ＯＦＦに対応する各設定ボタンが配置されている。
時報設定画面Ｅ９には、ＯＮ及びＯＦＦに対応する設定ボタンが配置されている。
操作音設定画面Ｅ１０には、ＯＮ及びＯＦＦに対応する設定ボタンが配置されている。
【０１４３】
■  ６．６  リマインダー設定  ■
リマインダー設定は、オイル交換などのメンテナンス時期等の設定である。図６６のごとく設定一覧画面１Ａのリマインダー設定ボタンの操作を検知したとき、制御部１０は、オイル、オイルエレメント、タイヤ、バッテリーに対応する各設定ボタンが配置されたリマインダー設定画面Ｆを切替表示する。
図６７のごとくリマインダー設定画面Ｆのオイル設定ボタンの操作を検知したとき、制御部１０は、オイル設定画面ＦＡに切替表示する。オイルエレメント設定ボタンの操作を検知したときには、オイルエレメント設定画面ＦＢに切替表示する。タイヤ設定ボタンの操作を検知したときには、タイヤ設定画面ＦＣに切替表示する。バッテリー設定ボタンの操作を検知したときには、バッテリー設定画面ＦＤに切替表示する。
オイル設定画面ＦＡなどこれらの設定画面では、交換までの残りの距離及び残り日数が表示されていると共に、変更ボタンが配置されている。上段の変更ボタンの操作を検知したとき、制御部１０は、オイル交換距離を入力する画面（ａ）に切替表示する。下段の変更ボタンの操作を検知したときには、オイル交換日数を入力する画面（ｂ）に切替表示する。
【０１４４】
なお、ハイブリッド車を考慮すれば、内燃機関によるエンジンが掛かっている状態（ガソリンや軽油を燃焼させている状態）で走行した距離（エンジン走行距離）を利用して、オイルおよびオイルエレメントの距離（リマインダー距離）を判定するのが良い。駆動力源としてエンジンと電気モータとを備えたハイブリッド車で電池走行している距離は、エンジンオイルやオイルエレメントの劣化に無関係であり、これを除いたエンジン走行距離によれば実質的に必要なメンテナンス距離を知ることができる。なお、ハイブリッド車以外では、走行距離＝エンジン走行距離となるため、ハイブリッド車の場合と同様、エンジン走行距離による判定が可能である。
【０１４５】
■  ６．７  システム設定  ■
図６８のごとく設定一覧画面１Ａのシステム設定ボタンの操作を検知したとき、制御部１０は、ログ機能設定画面Ｇ１、ＳＤ出力設定画面Ｇ２、データ消去画面Ｇ３、デモモード設定画面Ｇ４、バージョン情報画面Ｇ５のうちのいずれかを切替表示する。
図６９のごとくデータ消去画面Ｇ３には、マイエリア、キャンセルエリア、投稿ピン、ログデータ、エコドライブ、初期化に対応する各操作ボタンが配置されている。操作ボタンの操作を検知した制御部１０は、対応する削除画面を切替表示する。例えば、投稿ピンに対応する操作ボタンの操作を検知したとき、制御部１０は、投稿ピンを削除するか否かを選択させる投稿ピン削除画面を切替表示する。投稿ピン削除画面をはじめとする各削除画面には、はい及びいいえに対応する操作ボタンが配置されている。はいの操作ボタンの操作を検知したとき、制御部１０は、削除した旨を表示する削除完了画面を切替表示する。一方、いいえの操作ボタンの操作を検知したとき、制御部１０は、元のデータ消去画面を切替表示する。
【０１４６】
■  ６．８  カスタム設定  ■
カスタム設定は、ユーザーの好みに応じたきめ細かな各種の設定である。図７０のごとく設定一覧画面１Ａのカスタム設定ボタンの操作を検知したとき、制御部１０は、カスタム音声設定画面Ｈ１、カスタム画像設定画面Ｈ２、カスタム画像ズーム設定画面Ｈ３のうちのいずれかを切替表示する。
カスタム音声設定画面Ｈ１には、オープニング、オービスジングル、ＧＰＳ警報ジングル、ＧＰＳ告知ジングル、無線ジングル、ＧＰＳ初期測位、レーダーメロディ１の各アイテムに対応する各設定ボタンが配置されている。各設定ボタンは、通常音を使用するかカスタム音を使用するかを操作する毎に切り替える設定ボタンである。各設定ボタンには、その左端部に緑の点灯箇所が設けられている。制御部１０は、通常音の使用が設定された設定ボタンについては点灯箇所を消灯し、カスタム音使用が設定された設定ボタンについては緑を点灯させる。なお、カスタム音のデータファイルが存在しないアイテムに対応する設定ボタンについては、操作しても緑に点灯しないようになっている。また、何らかの理由によって、カスタム音の再生ができない場合についても、設定ボタンを操作しても緑に点灯しない。なお、カスタム音のデータファイルが有効である場合、設定ボタンを操作する毎に、その操作によって設定された通常音あるいはカスタム音が出力される。
【０１４７】
カスタム音声として設定可能なファイルの条件は、フォーマットがＭＰ３オーディオファイルであること、ファイル名が図７１に示すカスタム音声ファイルの名前であること、ファイルを格納するＳＤカードのパスが\user\sound\であること、音声ファイルがモノラル以外の場合は、モノラルミックスして再生されることになる。警報遅延を防止するため、起動音・レーダーメロディ１（図７１）以外では、１５秒経過で強制的に再生が停止される。このため、ジングルなどは再生時間の短いものが推奨されている。起動音の再生中は、起動音の再生が終わるまで、電子音以外の他の音の再生がされない。強制的に再生を停止するには、ＭＵＴＥボタン２２３を操作する必要がある。なお、音声ファイルの音圧の自動調整機能がなく、内蔵されている音との音圧の違いに違和感がある場合は、ユーザー側で音声ファイルのゲインを調整する必要がある。内蔵音声については平均音圧−１３ｄＢで調整されている。
【０１４８】
初期設定状態では、置き換え用音声ファイルがＳＤカードに格納されている場合、図７０のカスタム音声出力画面の対応する設定ボタンの左端が緑色に点灯し、そのカスタム音声がチェックされる。対象カスタム音に対応する設定ボタンを操作すると、チェックのＯＮ／ＯＦＦが入れ替わる。ＯＮを操作するとチェックがＯＮのカスタム音声が使用されることになり、そのカスタム音声がテスト再生される。チェックＯＦＦのカスタム音声は使用されず、通常音声がテスト再生される。なお、テスト再生は、音声停止ボタンで停止させることが可能である。
【０１４９】
カスタム画像設定画面Ｈ２には、起動画面、プリセットＡ〜Ｃ画面に対応する各設定ボタンが配置されている。各設定ボタンを操作すると、対応する画面の背景にカスタム画像を設定できる（図７０（ａ）→図７０（ｂ））。カスタム画像ファイルとしては、フォーマットがＪＰＥＧファイルであって、サンプリングがYUV444 / YUV422/ YUV420 / YUV 411/ Y Onlyに対応しており、形式がベースライン／プログレッシブに対応している必要がある。なお、１画像当たりのファイルサイズ上限は約３ＭＢ、最大解像度は８０００×８０００ピクセル、ファイル名は任意、ファイルを格納するＳＤカードのパスは\user\photo\、サブフォルダ探索範囲は\user\photo\以下、４レベルまでの範囲となっている。なお、画面のサイズは４００×２４０ドットであるため、画像のサイズが一致しない場合は、拡大・縮小して表示される。この場合、カスタム画像ズーム設定画面Ｈ３（図７０）により、好みの拡大縮小パターンを選択できる。形式がプログレッシブのＪＰＥＧファイルについては、最終画像のみが表示される。\user\photo\ 以下のファイルを追加、削除した場合は、画像選択をする必要がある。
【０１５０】
カスタム画像を設定する方法について図７２を参照して説明する。同図は、起動画面にカスタム画像を設定する手順を例示している。カスタム画像を設定するに当たっては、まず、ＳＤカードの\user\photo 以下にＪＰＥＧファイルを格納する。次に、カスタム画像設定画面でいずれかの設定ボタンを操作することで対象画面を選択する。そうすると、サムネイル一覧画面が表示され、カスタム画像として設定する写真はこの中から選択できる。なお、カーソルは、現在設定されている写真に移動する。サムネイル一覧画面の下段に配置された右三角マークを操作すれば次のページへスクロールでき、左三角マークを操作すれば前のページへスクロールできる。なお、サムネイル一覧の左上は、初期の表示である。ユーザー自らが、車両メーカー等のロゴを用意すれば、図７３のごとく、メーカーロゴの写真を起動画面に設定することも可能である。
【０１５１】
カスタム画像ズーム設定画面Ｈ３（図７０）には、フル、ノーマル、ノーマル拡大なし、画面サイズ強制に対応する各設定ボタンが配置されている。フルは、写真のアスペクト比を保ったまま、画面が埋まるように拡大・縮小するズーム設定である。フルのズーム設定では、画面のアスペクト比と写真のアスペクト比が異なる場合、上下もしくは左右が切れることになる。ノーマルは、写真のアスペクト比を保ったまま、縦もしくは横のいずれかが画面いっぱいになるように拡大・縮小するズーム設定である。ノーマルのズーム設定では、画面のアスペクト比と写真のアスペクト比が異なる場合、黒い帯が出ることになる。ノーマル拡大なしは、ノーマルの動作において、写真が画面のサイズより小さい場合は、拡大を行わず、空いた部分が黒で埋められるズーム設定である。画面サイズ強制は、縦横とも画面のサイズにあわせて拡大・縮小されるため、絵が横長や縦長になることがあるズーム設定である。なお、カスタム画像ズーム設定画面Ｈ３で選択されたズーム設定は、実際の起動画面／プリセットＡ・Ｂ・Ｃ画面の背景設定に反映されるだけでなく、カスタム画像設定の表示にも適用される。
【０１５２】
■  ６．９  ＯＢＤ設定  ■
図７４のごとく設定一覧画面１ＡのＯＢＤ設定ボタンの操作を検知したとき、制御部１０は、ＯＢＤ設定画面Ｉを切替表示する。このＯＢＤ設定画面Ｉには、満タンスタート、満タン補正、係数補正、平均クリア、オールクリアに対応する各設定ボタンが配置され、図７５のごとく各種操作が可能である。
【０１５３】
■  ７．  レーダースコープ画面の設定及び動作  ■
レーダースコープ画面としては、上述した通り、マップ画面３１（図１２参照。）とクラシックスコープ画面３２（図１５参照。）の２種類がある。ここでは、マップ画面３１の設定及び動作、クラシックスコープ画面３２の動作、リング３４０によるリングアクションの内容について詳しく説明する。リング３４０は、プリセット画面やクラシックスコープ画面３２内のリング表示３４（クラシックスコープ画面３２の場合はスコープサブ表示３４）の外枠部分である。
■  ７．１  マップ画面の設定及び動作  ■
マップ画面３１について、制御部１０は、マップモード設定画面（図２０（ｂ））上の操作に応じて以下のような設定処理を実行する。
マップモード設定画面の１マップパネルなしの設定ボタンの操作を検知したときには、図７６に例示するマップ画面３１をレーダースコープ画面として設定する。１マップパネルなしの設定は、地図を広く表示したい、アニメーションや写真による警報パネル３６の表示は不要というユーザー向けのマップモードとなっている。
１マップパネル自動の設定ボタンの操作を検知したとき、制御部１０は、図７７に例示するマップ画面３１をレーダースコープ画面として設定する。１マップパネル自動の設定は、接近時に警報パネル３６を大きく表示したいユーザー向けのマップモードとなっている。図７７のマップ画面３１を待受画面として表示する際、制御部１０は、ターゲットまでの距離が６００ｍ以下のとき警報パネル３６を拡大表示し、６００ｍ超のとき警報パネル３６を縮小表示する。
１マップパネル小の設定ボタンの操作を検知したときには、図７８に例示するマップ画面をレーダースコープ画面として設定する。１マップパネル小の設定は、警報パネル３６を表示させたいが大きく表示されると、地図領域が狭くなるので警報パネル３６を小サイズで固定しておきたいユーザー向けのマップモードである。本例のレーダー探知機１では、この１マップパネル小が初期設定として設定されている。
【０１５４】
マップモード設定画面（図２０（ｂ））の１マップ２パネル小の設定ボタンの操作を検知したときには、制御部１０は、図７９に例示するマップ画面３１をレーダースコープ設定画面として設定する。警報パネル３６が１パネルのみである場合、重要なターゲットが背後にあっても、近いターゲットや音声警報中のターゲットが優先的に表示されるため、背後に存在する重要なターゲットの緊急度をユーザーが認識し難くなるおそれがある。１マップ２パネル小の設定は、このような状況に対応するため、オービス・取締・検問などの重要なターゲットをタッチパネル１５の左側の表示位置に優先的に表示するようにしたマップモードである。
【０１５５】
１マップ２パネル小が設定されたとき、警報パネル３６に対応するターゲットをユーザーが間違いなく把握できるよう、制御部１０は、ミニレーダースコープ３８内のミニアイコン３８３と警報パネル３６とを結ぶリンク線（リンク情報としての線分）３１２を描画する。さらに、音声警報中では、制御部１０は、対象のターゲットをユーザーが直ちに認識できるように対応するリンク線３１２を点滅表示させる。
【０１５６】
２マップパネルなしの設定ボタンの操作を検知したとき、制御部１０は、図８０に例示するマップ画面３１をレーダースコープ画面として設定する。この２マップパネルなしのマップモードでは、制御部１０は、タッチパネル１５の表示画面を左右に２分割し、左側に詳細地図３１Ａを表示し、右側に広域地図３１Ｂを表示する。広域地図３１Ｂは、縮尺が一定であると共に地図向きがヘディングアップ固定となっている。詳細地図３１Ａの縮尺及び地図向きは、ズーム設定、表示形式設定による。この２マップパネルなしのマップモードであれば、詳細地図３１Ａで近いターゲットを表示しつつ、広域地図３１Ｂで遠方のターゲットも表示可能である。なお、このマップモードでは、警報パネル３６の表示はない。
【０１５７】
２マップパネル小の設定ボタンの操作を検知したとき、制御部１０は、図８１に例示するマップ画面をレーダースコープ画面として設定する。この２マップパネル小のマップモードは、上記の２マップパネルなしのマップモードに、警報パネル小の表示を加えたマップモードである。
【０１５８】
ここで、１マップ２パネル小のマップモードの図７９のマップ画面３１の動作処理について説明する。
図７９の１マップ２パネル小のマップモード下のマップ画面３１につき、制御部１０は、左側の表示位置の警報パネル３６を高優先パネル３６Ａに設定し、右側の警報パネル３６を低優先パネル３６Ｂに設定している。制御部１０は、オービス、取締、検問、マイエリア、高速警察、信号無視抑止、交差点監視（黄色のターゲット以上）等を「ＧＰＳ第１優先」とし、距離、ターゲット角度及び対向角度により高優先で音声出力に関係なく左側の表示位置（第１の表示位置）の高優先パネル３６Ａに表示する。制御部１０は、左側に表示されたターゲットの次に優先度の高いオービス、取締、検問、マイエリア、高速警察、信号無視抑止、交差点監視等を「ＧＰＳ第２優先」とし、右側の表示位置（第２の表示位置）の低優先パネル３６Ｂに表示する。
【０１５９】
ただし、音声ターゲットが発生したとき、ＧＰＳ第１優先でなければその音声ターゲットが右側の低優先パネル３６Ｂに表示され、その音声ターゲットがＧＰＳ第１優先であれば左側の高優先パネル３６Ａに表示される。また、右側の低優先パネル３６Ｂに音声ターゲットもＧＰＳ第２優先も表示されていない場合は、それ以外のターゲットのうち警報距離および角度に入っているターゲット（これをこれをＧＰＳ通常優先という）が表示される。一方、ミニレーダースコープ３８には、ＧＰＳ第１優先、ＧＰＳ第２優先、ＧＰＳ通常優先の最大３つが表示される。ただし、同じターゲットがある場合は、重複表示が回避される。
【０１６０】
ＧＰＳ第１／第２優先は、自車位置からの距離が遠い段階で表示が開始され、その後、通り過ぎるまで表示が終了させる可能性が低くなっている。このような設定であれば、特に、ＧＰＳ第２優先がＧＰＳ通常優先よりも優先して表示される可能性が高くなり、これにより、より重要なターゲットを確実性高く表示できる。なお、制御部１０は、アニメーションと写真の両方がある警報パネル３６について、距離角度条件などで左右の表示位置を入れ替えるとき、入れ替わり前後で表示状態が引き継がれるように制御する。これは、再び必ずアニメーションから開始すると煩わしくなることを考慮した仕様である。また、ＲＤ受信もしくは無線受信が発生した場合は、ＧＰＳ第２優先より優先度が高いと判断されて、右側の低優先パネル３６Ｂに表示される。
【０１６１】
■  ７．２  クラシックスコープ画面の動作  ■
クラシックスコープ画面３２のスケールは、制御部１０によって制御され、図８２（ａ）〜（ｃ）のごとく、フォーカスターゲットの距離および対向角度に応じて自動変更される。スケールの変更時にはスムーズにズームイン・アウトするように制御される。
クラシックスコープ画面３２の左上には、円環状のリング３４０によって囲まれたスコープサブ表示３４を表示可能である。このスコープサブ表示３４は、プリセット画面のリング表示３４と同じ仕様であり、同様の表示動作を実行する。
初期状態では、スコープサブ表示３４として図８２のように警報パネル３６が設定されている。なお、警報パネル３６がスコープサブ表示３４に設定されている場合、警報イベントの未発生時にはスコープサブ表示３４が自動的に消滅する。一方、スコープサブ表示３４には、リング表示と同様、各種の表示項目を設定可能である。図８３は、スコープサブ表示として、車速、コンパスを設定したときのスコープサブ表示の表示例である。
【０１６２】
クラシックスコープ画面３２の自車位置を示す自車アイコン３２２の位置は、スコープサブ表示３４の表示有無、フォーカスターゲットの位置及び種別に応じてステップ的に切り換えられる。自車アイコン３２２の左右方向の位置としては、画面中央、画面右寄り、中間的な右寄り位置の３種類がある。さらに、画面の上下方向の位置としては、画面下部と、画面上部と、がある。左右方向の３箇所と、上下方向の３箇所と、の組合せにより、自車アイコン３２２の取り得る位置は６通りとなっている。自車アイコン３２２は、フォーカスターゲットを適切に表示できるよう、適宜位置が切り換えられる。自車アイコン３２２の位置の切換時には、新しい位置に自車アイコン３２２が突然位置するのではなく、自車アイコン３２２が少しずつ接近していくようにスムーズに表示制御される。
【０１６３】
例えば、フォーカスターゲットが進行方向に対して右側の領域に位置していれば、右側領域を広く表示できるように自車アイコン３２２が左側に位置し、フォーカスターゲットが進行方向に対して左側の領域に位置していれば、左側領域を広く表示できるように自車アイコン３２２が右側に位置する。また、左上にスコープサブ表示３４が表示されているときには、残りの領域を利用するよう自車アイコン３２２が右側に移動する。また、駐禁エリア等のターゲットアイコンは、実施エリアを表すためにそのエリアの中心的な位置に表示される。駐禁エリア等を通過した旨（通過情報）を報知する際には、進行逆方向に位置する駐禁エリア等のターゲットアイコンを表示できるよう、自車アイコン３２２が画面上側に移動する。
【０１６４】
クラシックスコープ画面３２では、図８４のごとく、フォーカスターゲットの位置を明確に、かつ、その切替時の動きを分かりやすく表現するための十字ゲージ（クロスゲージ）３２７が表示される。この十字ゲージ３２７は、画面の水平方向全域に渡る横ライン３２７Ｈと、垂直方向全域に渡る縦ライン３２３Ｖと、により構成され、フォーカスターゲットの位置で交差している。縦ライン３２３Ｖの上端部には、フォーカスターゲットまでの距離の水平成分を表す横偏差３２４Ｈが表示される。同図のごとく縦ライン３２３Ｖの左側の隣接する位置に表示される横偏差３２４Ｈ「１３」は、自車位置の左側に１３ｍオフセットしていることを示している。横ライン３２７Ｈの右端部には、フォーカスターゲットまでの距離の垂直成分を表す縦偏差３２４Ｖが表示される。同図のごとく横ライン３２７Ｈの下側の隣接する位置に表示される縦偏差３２４Ｖ「７９６」は、自車位置の前方に７９６ｍオフセットしていることを示している。異なるターゲット間でフォーカスターゲットが入れ替わるとき、十字ゲージ３２７は直ちに位置を変更するのではなく、新たなターゲットに向けて近づくように表示制御される。このとき、縦偏差３２４Ｖ、横偏差３２４Ｈは、十字ゲージ３２７の位置に応じた時々刻々の値を表示する。このような十字ゲージ３２７の表示制御は、フォーカスターゲットの入替時に新たなフォーカスターゲットを把握し易くするために有効な制御である。
クラシックスコープ画面３２上のフォーカスターゲットのターゲットアイコン３２６に対しては、そのターゲットアイコン３２６を取り囲むようにカーソル３２５が表示される。このカーソル３２５は、そのターゲットの音声警報中に拡大・縮小を繰り返すアニメーション表示が実行され、サイズが大きくなったり小さくなったりする。
【０１６５】
制御部１０は、クラシックスコープ画面３２の表示中、スコープ色（スコープ面の表示色）を随時変化させる制御を実行する。制御部１０は、システム警報レベルをスコープ面の色で表現する。本例のレーダー探知機１では、クラシックスコープ画面３２のスコープ面の色から自車の状況を判断できる。スコープ色の色の変化は、非常に滑らかに設定されている。本例のレーダー探知機１では、システム警報レベル（警報レベル）として、図８５の１０段階が設定され、レベル毎に色が設定されている。クラシックスコープ画面３２のスコープ色は、ターゲットのシステム警報レベルに応じた色が設定される。複数ターゲットの場合は、一番高いレベルの条件が成立したレベルをシステム警報レベルとし、その色がスコープ色として設定される。図８６は、無線情報（弱）の場合の例であり、システム警報レベル１に応じた青がスコープ色に設定された例である。なお、スコープ色が変化しても、上記の十字ゲージ３２７や縦偏差３２４Ｖや横偏差３２４Ｈの表示色は変化しないようになっており、スコープ色の変化によってフォーカスターゲットを見失うことがないように配慮されている。
【０１６６】
本例のクラシックスコープ画面３２では、図８７のごとく、走行中に長いテロップ表示を目で追う必要性を解消できるよう、公開取締情報が一括でウィンドウ表示される。このウィンドウ表示は、クラシックスコープ画面３２の前面側で表示される。公開取締ウィンドウ３２Ｐは、公開取締情報を告示している市区町村に入ったとき、その市区町村の情報を表示するために１０秒間に渡って自動的に表示される。なお、公開取締自動ポップアップの設定がＯＦＦの場合は、公開取締ウィンドウ３２Ｐが自動で表示開始されることはない。公開取締ウィンドウ３２Ｐの非表示中にもう一度見たいときは、ＭＵＴＥボタン２２３を押せば再度ウィンドウが表示される。このように手動操作により表示が開始されたときは１分間に渡って表示状態が保持される。また、公開取締ウィンドウ３２Ｐが表示されているときにＭＵＴＥボタン２２３を操作すれば、直ちにウィンドウを消去可能である。この公開取締ウィンドウ３２Ｐの表示では、公開取締情報のテキスト表示の下側に、現在の住所、年・月・日・曜日等が表示される。以上のような公開取締ウィンドウ機能は、レーダースコープをクラシックに設定した場合のみ有効となる。
【０１６７】
クラシックスコープ画面３２上で表示されるターゲットアイコン３２６のうち監視方向など方向性を有する全てのターゲットのターゲットアイコンの外周には、図８８のごとく、監視方向を表す三角形の方位マーク３２６Ｍがアニメーション表示される。方位マーク３２６Ｍは、ターゲットアイコン３２６を中心として監視方向に当たる位置に表示され、さらに三角形の頂点が監視方向を向くように表示される。ターゲットアイコン３２６は、クラシックスコープ画面３２に新たに出現するとき、ユーザーの注意力を惹起できるように明滅しながら出現する。
【０１６８】
クラシックスコープ画面３２の最下段には、図８９のごとく、メッセージウィンドウ３２Ｍが表示され、各種情報が表示される。メッセージウィンドウ（表示欄）３２Ｍには、フォーカスターゲットのアイコン、ターゲットに対応する情報（情報がある場合のみ）、自車から見たターゲットの向きの矢印、ターゲットまでの距離（クラシックスコープ画面３２上にターゲットアイコン３２６が表示されないもの）の各表示が配置されている。同図に例示するＧＰＳターゲットに関するメッセージウィンドウ３２Ｍでは、ターゲットに対応する情報として制限速度が表示される。なお、ＧＰＳターゲットのうちクラシックスコープ画面３２上にターゲットアイコン３２６が表示されない図９０のアイコンに対応するターゲットについては、矢印と距離の表示が省略される。同図のアイコンは、左から、急カーブ、合流ポイント、分岐ポイント、県境、ＥＴＣレーン、駐禁重点エリア・駐禁最重点エリア、車上狙い多発エリアのアイコンである。なお、制限速度切替ポイントでは、制限速度アイコンが表示される。
図９１は、ＲＤ警報に関するメッセージウィンドウ３２Ｍの例であり、図９２は、無線警報に関するメッセージウィンドウ３２Ｍの例である。なお、無線警報に関するメッセージウィンドウ３２Ｍでは、警報の種類により、テキスト文字と連動して図９３のアイコン（表示色が異なる）が表示される。
【０１６９】
クラシックスコープ画面３２では、画面左下に状態アイコン３５（図８４参照。）が明滅表示される。状態アイコン３５としては、駐禁エリア内アイコン、車上狙い多発エリア内アイコン等がある。状態アイコン３５は、駐禁エリア等のエリア内に自車位置が位置するとき、はっきりと認識できるように明るく点灯し、自車位置がエリア外であっても暗く点灯する。モードやマニュアル設定により、駐禁エリアや車上狙い多発エリア設定がＯＦＦの場合は完全に消灯する。メッセージウィンドウ３２Ｍの非表示中では、クラシックスコープ画面３２の左下の隅に状態アイコン３５が表示され、メッセージウィンドウ３２Ｍの表示中ではメッセージウィンドウ３２Ｍの左側端部の上側に表示される。なお、クラシックスコープ画面３２以外の待受画面では、画面左上に同様の状態アイコン３５が明滅表示される。
【０１７０】
■  ８．  プリセット画面  ■
■  ８．１  リング表示  ■
リング表示３４（図４１参照。）は、プリセットＡ〜Ｃ画面に最大３個設定できる。このリング表示３４に設定可能な表示項目の設定について説明する。なお、クラシックスコープ画面３２のスコープサブ表示３４（図１５、図１６参照。）は、リング表示３４と全く同じ仕様となっている。
【０１７１】
リング表示３４にプリセット可能な表示項目としては、時計表示、車速表示、エコドライブ表示、加速度表示、傾斜表示、潮汐情報表示、衛星情報表示、警報パネル表示、コンパス表示、気圧表示、リマインダー日数表示、リマインダー距離表示、瞬間燃費表示、平均燃費表示、一般道平均燃費表示、高速道平均燃費表示、今回燃費表示、生涯燃費表示、移動平均燃費表示、燃料流量表示、エンジン水温表示、吸気温度表示、外気温表示、バッテリ電圧表示、スロットル開度表示、エンジン負荷表示、インマニ計表示、ブースト計表示、タコメーター表示等がある。なお、これらの表示項目のうち車両情報に関する情報については、ＯＢＤ接続状態においてのみ選択可能になる。これらの表示項目のほかに、エンジン油音表示、バッテリ電流表示、ＨＶ電池容量表示、ＨＶバッテリ電流表示、ＨＶモータ回転数表示、ＨＶモータトルク表示、ＨＶジェネレータ回転数表示等を追加設定しても良い。
【０１７２】
なお、リング表示３４に警報パネル３６が設定された場合には、上記のスコープサブ表示３４に警報パネル３６が設定された際と同様の表示動作、及びリング（外周部）３４０によるリングアクションが実行される。このように本例のレーダー探知機１では、クラシックスコープ画面３２中のスコープサブ表示３４と、プリセット画面のリング表示３４と、を同じ仕様にしている。スコープサブ表示、リング表示については、いずれも符号３４を設定している。待受画面にクラシックスコープ画面３２を設定しているか、プリセット画面を設定しているかに関わらず、スコープサブ表示３４あるいはリング表示３４に警報パネル３６を設定していれば、同様の警報報知動作を受けることができる。
以下、リング表示３４に設定可能な表示項目について説明する。なお、表示項目の内容は、クラシックスコープ画面３２のスコープサブ表示についても同様である。
【０１７３】
時計表示としては、図９４のごとく、モード設定画面（図４３参照。）で半透過モードを選択しなかったときの左の表示モード、及び半透過モードを選択したときの中央の表示モードのほか、付加情報設定画面（図４０）で付加情報を設定したときの右の表示モードがある。半透過モードが選択されたときの表示モードでは、背景の画像が透けて見えるように表示される。時計表示では、付加情報として月、日、曜日が設定されている。
車速表示では、付加情報として、平均速度（AVESPD）、又は最高速度（MAXSPD）が設定されている。いずれかの付加情報の表示を設定すれば、図９５に例示する車速表示となる。なお、車速表示及び以下の各表示項目についても、半透過モードを選択的に設定可能である。半透過モードが選択されたときの表示モード、選択されなかったときの表示モードは、上記時計表示の場合と同様である。
【０１７４】
図９６のエコドライブ表示では、上側に急加速、右側に急減速、下側にアイドリング、左側に経済速度がレーダーチャートとしてポイント表示される。各ポイントは上限１００ポイント、下限０ポイントとして表示される。各ポイントは、７０ポイントを初期値として、加速度センサ１２４の加速度の出力及びＧＰＳ受信器１２１から速度の出力状態がエコ運転でないと判断される出力状態になった場合に減点され、エコ運転であると判断される出力状態になった場合に加点される。エコドライブ表示には、各ポイントの数値と、その数値をレーダーチャート上にプロットしたグラフと、が表示される。
【０１７５】
加速度表示では、図９７のごとく、ＦＲ：前後加速度のメータと、ＬＲ：左右加速度のメータと、が配置されている。前後加速度は、Ｆ側がマイナス表示され、Ｒ側がプラス表示される。左右加速度では、Ｌ側がマイナス表示され、Ｒ側がプラス表示される。各メータは、外周側の第１の針と、内周側の第２の針と、を有している。第１の針は、最大０．５Ｇ、最小−０．５Ｇ相当の位置まで動き、その範囲を超えた場合はホールドされる。第２の針は、０．０３Ｇ／３６０°（一周）で加速度の変化を回転により表現する。この第２の針は、時計回りを正の加速度として回転する。加速度表示における付加情報としては、最大前進加速度（MAXFWD）、及び左右加速度の絶対値の最大値である最高左右加速度（MAXL/R）が設定されている。いずれかの付加情報を選択的に設定すれば、図９７（Ａ）の右図のような加速度表示が設定される。
【０１７６】
図９８の傾斜表示では、前後左右各３０度の車両の傾斜が球体の動きで表示される。この傾斜表示には、同図（Ｂ）に例示する詳細表示が用意されている。傾斜表示は、加速度センサ１２４の車両の横方向（右方向または左方向のいずれか）の加速度の出力値が０．１Ｇ以上となったことをトリガとして同図（Ａ）の球体イメージの上側の白色部分の半球が透明化され、下側の黒色部分の半球がグレー表示される。そして、同図（Ｂ）のごとく、下側の半球の上面（上側の半球と下側の半球の境界面（赤道を通る面））に半球の半径と同一の半径の白色の円盤を描画してその上に自動車の３Ｄオブジェクトを載せたイメージが表示される。この自動車の３Ｄオブジェクトは、地磁気センサ１２６によって検出した現在の進行方向の方位に合わせてこの下側の半球の上面上で回転表示させる。この詳細表示では、画面の垂直奥方向が北、垂直手前方向が南、画面の水平右方向が東、画面の水平左方向が西である。玉の中の車は、車が真北に向かっているときテールランプ側が画面の面と平行に表示され、テールランプ側の全体が見えるようになる。同図（Ｂ）では、円盤の周囲の進行方向を示す位置には赤色のマーカーが上下方向帯状に付されている。同図（Ｂ）の右図は、南南東を向いている状態であり、車の正面がやや右側を向いて表示されており、マーカーもやや右位置に表示されている。そして、加速度センサ１２４の車両の横方向（右方向または左方向のいずれか）の加速度の出力値が０．１Ｇ未満となってから３秒間この表示が継続され、同図（Ａ）の表示に復帰する。このように車のある程度以上の横Ｇに基づき回頭運動を検出しているとき、一定時間玉の中の車が見えるようになり、回頭運動が表現される。こうして回頭の状況を詳細表示（Ｂ）によって確認できる。
【０１７７】
図９９の潮汐情報表示は、計量した量ではなく、データに基づいて算出した潮位の表示である。潮汐情報表示では、まず、同図（Ａ）のごとく、現在位置にもっとも近い検潮所等の地名、現在日付の月齢及び潮名が表示される。潮汐情報表示では、同図（Ｂ）のごとく、現在位置にもっとも近い検潮所等の地名、現在日付の月齢及び潮名の表示（左の図）、その日の１回目の干潮の時刻と潮位、満潮の時刻と潮位の表示（真ん中の図）、その日の２回目の干潮の時刻と潮位、満潮の時刻と潮位の表示（右の図）が１０秒毎に周期的に切り替え表示される。
【０１７８】
図１００の衛星情報表示では、自車位置を中心として上方向を北、下方向を南、右方向を東、左方向を西としてグリッドが表示されている。グリッドとしては、自車位置を中心とした３つの異なる半径の同心円と、左右方向、上下方向に中心位置を通る線（ただし一番半径の小さい同心円内は線を描画していない）が設定されている。衛星情報表示では、ＧＰＳ受信器１２１によって取得された衛星の位置に対応する位置に丸印の衛星オブジェクトが描画される。この状態で３秒表示された後、同図（Ｂ）のごとく、周期的に衛星番号が１衛星ずつ表示される。すなわち、同図（Ａ）のごとく、取得された全ての衛星を対応する位置に表示した後、３秒経過したら、同図（Ｂ）のごとく、１つ目の衛星番号を表示（図中では１８）する。１衛星当たりの表示時間は３秒間であり、全ての衛星番号の表示が完了した後、同図（Ａ）のような元の表示に復帰するという表示動作が繰り返される。なお、衛星情報表示は、自車進行方向を上にしたヘディングアップ表示とすることが良い。このヘディングアップの衛星情報表示では、車が向きを変えて回頭したとき、表示された衛星位置も変動することになる。なお、各衛星の表示色は、Ｃ／Ｎによって段階的に表示することが良い。例えば、表示色に０〜５の番号（０：赤、１：桃、２：オレンジ、３：黄、４：黄緑、５：緑）を付し、色番号＝Ｃ／Ｎ÷８（５以上の場合は表示色５）といった計算式で表示色を決定することも良い。
【０１７９】
警報パネル表示では、図１０１のごとく、警報開始時は、警報アニメーション→写真の順に表示が行われる。ただし、警報パネル写真設定ＯＦＦの場合や写真のないターゲットでは写真は表示されない。アニメーションは、警報パネル動作設定に従い、アニメーションを継続するか、静止するかの動作に分かれる。なお、一度、アニメーションがある程度終わったターゲットについては、他のターゲットに切り替わった後、再度アニメーションを先頭から行わず写真表示からとなる。ただし、警報パネル写真設定ＯＦＦの場合や写真のないターゲットではアニメーションからの開始となる。
【０１８０】
さらに、警報パネル表示は、プリセット画面のリング表示３４の場合とクラシックスコープ画面３２中のスコープサブ表示３４の場合とで、警報がないときの動作が相違している。プリセット画面の場合は、警報がないときは図１０１（Ｂ）のロゴ表示となる。一方、クラシックスコープ画面内のスコープサブ表示３４の場合は、警報がなくなってロゴ表示となった後、しばらくしてスコープサブ表示３４自体が消滅する。
【０１８１】
図１０２のコンパス表示では、地磁気センサ１２６によって検出された地磁気に基づき、自車進行方向を画面上方向として方位が表示される。
気圧表示は、図１０３のごとく、現在の気圧の表示である。本例の気圧表示は、最小７００ｈＰａから最大１０５０ｈＰａまでの範囲を表示する。
リマインダー日数表示は、図１０４のごとく、リマインダーで設定されている残日数の表示である。設定がない場合、及び残日数がゼロに到達した場合は「−−−−」が表示される。同図に例示の日数は、上段からオイル、オイルエレメント、タイヤ、バッテリーの残日数である。
リマインダー距離表示は、図１０５のごとく、ＯＢＤ接続状態下で選択可能な表示であり、リマインダーで設定されている残距離の表示である。このリマインダー距離表示は、残距離を表示する減算トリップメーターである。設定がない場合、及び残距離がゼロに到達した場合は「−−−−」が表示される。なお、残距離が１００００ｋｍ未満になると、１００ｍの単位が表示される。同図に例示の距離は、上段からオイル、オイルエレメント、タイヤ、バッテリーである。リマインダー距離の減算対象は、オイルおよびオイルエレメントの場合には生涯エンジン走行距離であり、タイヤおよびバッテリの場合には生涯走行距離となる。
【０１８２】
図１０６の瞬間燃費表示では、瞬間燃費が０．０〜９９．９ｋｍ／Ｌの範囲で表示される。針は目盛下限で５ｋｍ／Ｌ、日盛上限で５０ｋｍ／Ｌ、最下点で０ｋｍ／Ｌ、最上点で１００ｋｍ／Ｌとしている。なお、この目盛りの仕様は、図１０７〜図１１１の各燃費表示について共通である。下段には、数値表示部とインジケータとが配置されている。このインジケータは燃費がよいかどうかを示す指標であり、０〜５ｋｍ／Ｌのとき赤、５〜１０ｋｍ／Ｌのとき赤〜黄の間を補完、１０〜３０ｋｍ／Ｌのとき黄〜緑の間を補完、３０ｋｍ／Ｌ以上のとき緑のインジケータ（ランプを模した丸印）が表示される。
図１０７の平均燃費表示では、平均燃費が表示される。
図１０８の一般燃費表示では、一般道の平均燃費が表示される。
図１０９の高速燃費表示では、高速道の平均燃費が表示される。
【０１８３】
今回燃費表示では、図１１０のごとく、０．０〜９９．９ｋｍ／Ｌの範囲の数字により、レーダー探知機１の電源が入ってからの燃費が表示される。レーダー探知機１の電源をオンに切り替えた後の経過時間が十分でない間は値が急変することがあるが、その経過時間が長くなるに伴って値が収束してゆく。電源ＯＮのままでも、ＯＢＤ設定−平均クリアの操作によりリセット可能である。今回燃費表示の付加情報としては、最大今回燃費（MAXAVE）がある。この最大今回燃費（MAXAVE）の表示設定は、レーダー探知機１をＯＮに切替した後の走行距離が１ｋｍに達してから有効となる。これは、走行距離が短いと極端に良い値が出てしまうおそれがあるからである。
図１１１の生涯燃費表示では、生涯燃費が表示される。
【０１８４】
移動平均燃費表示は、図１１２のごとく移動平均燃費であり、数字は０．０〜９９．９ｋｍ／Ｌの範囲で数字表示される。上段には、２ｋｍ区間に消費した燃料が棒グラフ表示される。最大１０マスの棒グラフの１マス高さは２５ｃｃであり、１本の棒グラフで最大２５０ｃｃの燃料を表現できる。２ｋｍ走行する毎に、最新の区間消費燃料がゼロで表示スタートし、これに伴って既存の各棒グラフの区間消費燃料が右（古い側）に移動する。最新の区間燃料のみ現在の区間消費燃料の上端が点滅する。区間消費燃料を９個配列（fuel[0]〜fuel[8]）とし、、最新の区間距離をdistとすると、直近の１６ｋｍの燃費を表す移動平均燃費ｍが次式により算出される。
（式１）
2019094058.tif 000003
【０１８５】
なお、区間消費燃料は不揮発性メモリに記憶されるので、次回の起動時も引き継がれる。このように区間消費燃料を引き継げば、今回燃費とは相違し、距離が短くても参考にならない値が表示されることがない。なお、区間消費燃料は、ＯＢＤ設定−平均クリアによりリセットされる。移動平均燃費表示の付加情報としては、最大移動平均燃費（MAXMOV）がある。この最大移動平均燃費（MAXMOV）は、リセット後１６ｋｍ走行後から有効となる今回走行中の最大値が表示される。
【０１８６】
燃料流量表示は、図１１３のごとく１分間当たりの燃料流量の表示であり、数字は０〜９９９ｍＬ／分の範囲で表示される。ＯＢＤ機能を介して消費燃料を取り込む毎に棒グラフが更新される。ＯＢＤの通信周期としては、５Ｈｚ更新車種と１Ｈｚ更新車種とがあるが、いずれの車種であるかに応じてグラフの更新速度が異なってくる。棒グラフは高さ１マスが２０ｍＬ／分であり、１本の棒グラフにより最大２００ｍＬ／分まで表現できる。なお、２０ｍＬ以下の端数に当たるマスは、明るさを変えて表現される。さらに、約２秒程度燃料流量ゼロが継続すると、「FUEL CUT」の文字が右から左にスクロール表示される。燃料流量表示の付加情報としては、最大燃料流量（MAXFLW）がある。
【０１８７】
エンジン水温表示は、図１１４のごとく、エンジン水温の表示であり、数字は−４０〜２１５℃の範囲で表示される。針は目盛下限（左４５°）で０℃、中央で８０〜１０５℃（この２５℃間はほとんど動かない）、最下点（左５３°）で−４０℃、最上点（右５３°）で１６０℃となっている。なお、吸気温度表示（図１１５）についても同様である。エンジン水温表示の付加情報としては、最高エンジン水温（MAXENG）がある。吸気温度表示の付加情報としては、最高吸気温度（MAXITK）がある。
【０１８８】
図１１５の吸気温表示では、−４０〜２１５℃の範囲で吸気温が表示される。吸気温表示の付加表示としては、最高外気温（MAXAMB）がある。
外気温表示は、図１１６のごとく、外気温の表示であり、数字は−４０〜２１５℃ の範囲で表示される。針は、最下点（左５３°）で−３０℃、最上点（右５３°）で６０℃となっている。外気温表示の付加情報としては、最高外気温（MAXAMB）がある。
【０１８９】
エンジン油温表示は、図１１７のごとく、エンジン油温の表示であり、数字は−４０〜２１５℃の範囲で表示される。針は、目盛下限（左４５°）で０℃、中央で１００〜１３５℃（この３５℃間はほとんど動かない）、最下点（左５３°）で−４０℃、最上点（右５３°）で１９０℃となっている。エンジン油温表示の付加情報としては、最高エンジン油温（MAXOIL）がある。
【０１９０】
バッテリ電圧表示は、図１１８のごとく、バッテリ電圧の表示である。数字は０．０〜２５．５Ｖの範囲で表示される。針は、最下点（左５３°）で０Ｖ、最上点（右５３°）で２５．５Ｖとなっている。
スロットル開度表示は、図１１９のごとく、スロットル開度の表示である。数字は０〜１００％の範囲で表示される。円形グラフ表示の１マス分のカラーセグメントは４％を表している。なお、４％の端数は、明るさで表現される。スロットル開度表示の付加情報としては、平均スロットル開度（AVETHR）、最大スロットル開度（MAXTHR）がある。
エンジン負荷表示は、図１２０のごとく、エンジン負荷の表示である。数字は０〜１００％の範囲でエンジン負荷を表示する。円形グラフ表示の１マス分のカラーセグメントは４％を表している。なお、４％の端数は明るさで表現される。エンジン負荷表示の付加情報としては、平均エンジン負荷（AVELOD）、最大エンジン負荷（MAXLOD）がある。
【０１９１】
インマニ計表示は、図１２１のごとく、インテークマニフォールド圧の大気圧（101.325kPa）に対する相対圧の表示である。数字は、−１．０１〜１．５４×１００ｋＰａの範囲で表示される。インマニ計は、過給器を持たない車用であり、過給器がない車では、走行圧以外で０．０より大きな値を示すことはない。アクセル全開で０．０に近づき、真空では−１．０１になる。数字左下のインジケータは色で圧力を示す。このインジケータは常灯しており、−１以下：緑、−１．０〜−０．５：緑〜黄の間を補完、−０．５〜０．０：黄〜赤の間を補完、０．０以上：赤となっている。変化量が大きいので針に残像を持たせ、これにより、動きの認識を容易にしている。インマニ計表示の付加情報としては、最大インマニ圧（MAXINM）がある。
【０１９２】
ブースト計表示は、図１２２のごとく、インテークマニフォールド圧の大気圧（101.325kPa）に対する相対圧の表示である。数字は、−１．０１〜１．５４×１００ｋＰａの範囲で表示される。ブースト計表示は、過給器を持つ車用であり、過給により大気圧より大きな値を示すことがある。０．００以上になるとブースト開始になり、左下ブーストインジケータが点滅する。０．００より小の場合は消灯する。インジケータの色は、０．０：緑、０．０〜０．５：緑〜黄の間を補完、０．５〜１．０：黄〜赤の間を補完、１．０以上：赤となっている。変化量が大きいので針に残像を持たせ、これにより、動きの認識を容易にしている。インマニ計表示の付加情報としては、最大ブースト圧（MAXBST）がある。
【０１９３】
タコメータ表示は、図１２３のごとく、エンジン回転数の表示である。数字は、０〜９９９９ｒｐｍの範囲で表示し、針は、８０００ｒｐｍを越えてもその回転相応の位置まで動く。変化量が大きい場合でも、針に残像を持たせてあるので動きを認識しやすくなっている。タコメータ表示の付加情報としては、平均回転数（AVERPM）、最大回転数（MAXRPM）がある。
【０１９４】
なお、ハイブリッド車等であれば、バッテリ電流表示（図１２４）、ＨＶ電池容量表示（図１２５）、ＨＶバッテリ電流表示（図１２６）、ＨＶモータ回転数表示（図１２７）、ＨＶモータトルク表示（図１２８）、ＨＶジェネレータ回転数表示（図１２９）を追加設定することも良い。ＨＶモータ回転数表示の付加情報としては、ＨＶモータ最高回転数（MAXRPM）がある。ＨＶモータトルク表示の付加情報としては、ＨＶモータ最大トルク（MAXTRQ）がある。
【０１９５】
■  ８．２  背景設定  ■
プリセットＡ〜Ｃ画面では、図１３０のカスタム画像設定画面Ｈ２（図７０参照。）を利用して背景画像（写真など）を選択的に設定できる。背景画像は、プリセットＡ〜Ｃ画面について、それぞれ設定可能である。カスタム画像設定画面Ｈ２には、起動画面、プリセットＡ〜Ｃ画面に対応する選択ボタンが配置されている。例えば、プリセットＡ画面の選択ボタンを操作すると、図１３１、図１３２のように、プリセットＡ画面の背景画像の選択画面が表示される。プリセットＡ画面の背景画像には、この選択画面で選択中の画像が設定される。なお、/user/picture/以下のフォルダ（４階層）に写真データがない場合は、初期設定の背景が表示される。/user/picture/以下のフォルダ（４階層）に写真データがあれば、写真データがサムネイル表示される（図１３１、１３２参照。）。サムネイル表示の中から希望の写真をタッチ操作あるいはリモコン操作すれば、プリセット画面の背景にその写真を設定可能である。なお、タッチ操作されたとき、図１３２のように中央の図のように設定された写真が数秒間に渡ってプレビュー表示される。なお、カスタム画像設定画面Ｈ２において、起動画面に対応する選択ボタンを操作すれば、起動画面の背景画像を選択することも可能となっている。
【０１９６】
本例のレーダー探知機１では、プリセット画面中のリング表示３４の表示数や表示位置をユーザー操作により適宜設定可能である。このような仕様によれば、背景の写真を表示させたいユーザーのニーズに柔軟に対応可能である。図１３０のカスタム画像設定画面Ｈ２内の項目選択ボタンを選択すれば、プリセットＡ画面の場合を例示する図１３３のごとく、プリセット画面の３箇所のリング表示３４について、ＯＦＦを含めて表示項目を設定するための画面が表示される。左列のように中央のリング表示３４をＯＦＦにしたり、右列のように中央及び左下のリング表示３４をＯＦＦにすれば、背景の写真が良く見えるプリセット画面を設定可能である。
【０１９７】
プリセット画面中のリング表示３４には、図１３４のごとく、警報パネル３６を設定することも可能である。リング表示３４に警報パネル３６を設定できれば、待受⇔レーダースコープ切替画面ＡＡ２（図１９参照。）で待受固定が設定され、プリセット画面からレーダースコープ画面への切替が行われない場合であっても、プリセット画面のリング表示３４を利用して警報を表示できるようになる。同図（ａ）は、プリセット画面中のリング表示３４の警報パネル３６に、Ｎシステムのアニメーション画像が表示された警報の例である。同図（ｂ）は、プリセット画面中のリング表示３４の警報パネル３６に、オービスの写真画像が表示された警報の例である。同図（ｃ）は、警報イベントが発生していないときの例示であり、この場合、警報パネル３６に初期設定された壁紙が表示される。壁紙として好みの画像を設定できるように構成することも良い。なお、写真画像やアニメーション画像については、夜間にバックライトが点灯すると視認性が低下するおそれもある。このような場合、警報パネル３６について、バックライトをなしとする構成を採用することも良い。なお、プリセット画面中のリング表示３４であっても、警報パネル３６が設定された場合には、後述のリングアクションを実行する。この内容については、図１４８〜図１５２を参照して後で説明する。
【０１９８】
■  ９．  リング表示の仕様  ■
■  ９．１  半透過表示  ■
プリセット画面のリング表示３４、あるいはクラシックスコープ画面３２中のリング表示であるスコープサブ表示３４は、背景画像が透けて見える半透過モードによる表示が可能である。本例のレーダー探知機１では、複数の画像を係数αを利用してブレンドするαブレンド技術を利用して半透過表示を実現としている。αブレンド技術は、ゲーム開発等のソフトウェアにおいて周知の技術である。
【０１９９】
図１３５に例示する警報パネル３６のリング表示（スコープサブ表示）３４の場合、図１３６のごとく、グレイのバックパネル３６Ａと、写真を表示する写真パネル３６Ｂと、アニメーションを表示するアニメパネル３６Ｃと、リング３４０を含むリングパネル３６Ｄと、よりなる４層のレイヤー構造となっている。プリセット画面の場合であれば、この４層のレイヤー構造が背景画像の手前側に表示される。クラシックスコープ画面３２の場合であれば、このレイヤー構造がスコープ面の手前側に表示される。レイヤー構造を構成する表示パネルのうち、リングパネル３６Ｄ以外の表示パネルについては、係数αの制御により表示状態が変動する。リングパネル３６Ｄについては、常時、係数αが１００％で表示され、表示状態が固定となっている。
【０２００】
非透過のモードでは、バックパネル３６Ａの係数αが１００％に設定され、これにより、背景画像の透過率がゼロになる。一方、半透過モードでは、パックパネル３６Ａの係数αが２５％に設定され、これにより、背景画像が透けて視認されるようになる。なお、半透過のとき、係数αをゼロに設定せずに、２５％程度に設定するのは、適度な透け感を演出するためである。係数αをゼロに設定すると、レンズの嵌っていないメガネのように、メガネらしさが損なわれ透け感を上手く演出できなくなる。一方、係数αを２５％に設定すると、リング表示３４を介在しない背景画像のエリアと、リング表示３４のバックパネル３６Ａを介して視認される背景画像のエリアと、の見え方に違いが生じて、リング表示３４を透かして見えている感じ、すなわち透け感を演出できる。伊達メガネであっても、レンズが嵌っていないと”それらしく”見えなくなるのと同様、リング表示３４についても係数αをゼロとして完全透過に設定すると適度な透け感が損なわれてしまう。
【０２０１】
警報パネル３６を表示中では、写真パネル３６Ｂ、及びアニメパネル３６Ｃは、いずれも、係数αが０％〜９５％の範囲で制御される。写真パネル３６Ｂを表示させるときには、写真パネル３６Ｂの係数αが９５％に設定される一方、アニメパネル３６Ｃの係数αが０％に設定される。これにより、警報パネル３６に写真画像が表示されることになる。２つの係数αの関係を逆にすれば、写真に代えてアニメーション画像を警報パネル３６に表示できる。なお、写真画像からアニメーション画像への切り換え時には、それぞれの係数αを滑らかに増加、減少させることで、写真画像からアニメーション画像へ徐々に移り変わるように演出される。
【０２０２】
本例のレーダー探知機１では、写真パネル３６Ｂを表示する際の係数αの値と、アニメパネル３６Ｃを表示する際の係数αの値と、に差が設定されている。写真パネル３６Ｂの方が係数αが大きく設定され、これにより、背景画像が透けて見える度合いが抑制されている。これは、アニメーション画像よりも空間周波数が高く、”ゴチャゴチャ”して見える写真画像の場合、背景画像が透けて見えることで視認性が低下する度合いが高いからである。特に、背景画像に写真が設定された場合には、背景の写真が透けて見えることで、視認性の低下が一層顕著となる。一方、領域をべた塗りで塗り分けたようなアニメーション画像の場合であれば、背景画像が透けて見えても影響が少なく、視認性が低下する度合いが低い。本例に代えて、写真パネル３６Ｂやアニメ３６Ｃ等の空間周波数の分布に応じて、係数αを適宜変更するように制御することも良い。例えば、空間周波数が高い領域まで分布しているパネルについては、係数αを低く設定するのが良い。パネルの空間周波数についてはＪＰＥＧデータから特定することも良い。アニメーション画像及び写真画像について、それぞれ、係数αの値を一定に設定することも良い。この場合には、リング表示３４の透け具合に一貫性を持たせることができる。
【０２０３】
■  ９．２  付加情報表示  ■
時計や、速度や、ブースト圧を表示するリング表示３４の場合（例えば、図１３７）、時計等の文字盤に当たるベースパネル３４Ａと、時計等の指針３４Ｃと、刻みを示すスケール３４Ｂ等のレイヤー構造となる（図１３８参照。）。ベースパネル３４Ａは、係数αの制御により透過率が調整される一方、指針３４Ｃやスケール３４Ｂについては透過することなく表示される。ベースパネル３４Ａの係数αは、半透過モードでは２５％、非透過モードでは１００％に調整される。
【０２０４】
時計やブースト圧などを表示するリング表示３４など、一部のリング表示では、付加情報を設定可能である。例えば、車速のリング表示３４の場合（図９５参照。）では、最高速度を付加情報として設定可能である。付加情報の表示では、文字や数字を表示するための複数のセグメントのうちのいずれかを選択的に点灯表示させることにより所定の文字や数字を表し、これにより付加情報を表示している。セグメントのうち非点灯のセグメントは、係数α＝２５％で薄っすらと表示され、点灯セグメントは係数α＝９０％で明るく表示される。本例の表示では、程度の違いがあるが全てのセグメントが表示される一方、明るいセグメントによって数字等の文字が表示される。
【０２０５】
付加情報の表示は、車速がゼロｋｍ／ｈとなった後、３秒（所定時間）後に表示開始され、その後、車速がゼロｋｍ／ｈを超えたときに表示終了する。付加情報は、リング表示３４に上書きされて表示される（図９５参照。）。例えば、車速の場合、付加情報の表示が開始する際には、図１３９→図１４０のごとく、スピードメータ風の指針やスケールを消滅させるアニメーション動作が実行される。このアニメーション動作は、スケールを表す数字や指針等の各パーツが、その中心に向かって次第に縮小していき最後には点となって消滅するような動作である。スケールの数字については、それぞれの中心（重心に当たる位置）に向かって縮小する。指針については、針の回転軸を中心として縮小していき、その中心位置で点となって消滅する。その後、図１４１のごとく、最高車速が付加情報として表示される。
【０２０６】
なお、付加情報の表示開始を、車速ゼロとなった後、３秒後に設定すれば、車両が停止してから前方からレーダー探知機１の表示画面に視線を変更する時間を確保でき、運転者が上記のようなアニメーション動作を鑑賞できるようになる。表示終了に当たっては、車速がゼロを超えたときに直ちに付加情報を消滅させれば、運転者の視界にレーダー探知機１の表示画面が捉えられた状況でリング表示３４の表示を切り替えることができる。付加情報の表示が終了されると、上記のアニメーション動作とは逆のアニメーション動作が実行される。このアニメーション動作では、各スケールや指針が一点から湧き出すように出現して拡大していき、所定の位置に所定の大きさで表示される。
【０２０７】
■  ９．３  リングアクション  ■
クラシックスコープ画面３２では、図１４２〜図１４７のごとく、円環状のリング３４０によって囲まれたスコープサブ表示３４が左上に表示される場合がある。スコープサブ表示３４は、ＯＦＦ（非表示）設定の場合を除き、時計、車速、エコドライブ、加速度、傾斜、潮汐情報、衛星情報、警報パネル、コンパス、気圧、リマインダー日数、リマインダー距離、瞬間燃費、平均燃費、一般道平均燃費、高速道平均燃費、今回燃費、生涯燃費、移動平均燃費、燃料流量、エンジン水温、吸気温度、外気温、エンジン油温、バッテリ電圧、スロットル開度、インマニ計、ブースト計、タコメーター、バッテリ電流、ＨＶ電池容量、ＨＶバッテリ電流、ＨＶモータ回転数、ＨＶモータトルク、ＨＶジェネレータ回転数の中のいずれかが設定に応じて表示される。警報パネル３６が設定された場合、スコープサブ表示３４は警報音声（ボイス）が発生したときに表示され、未発生のときは消去される。
【０２０８】
警報音声が発生したとき、制御部１０は、警報パネル３６のスコープサブ表示３４の外枠をなすリング３４０に所定の表示動作を実行させ、各種の報知表現を行う。なお、リング３４０による報知表現については、プリセット画面内の警報パネル３６が設定されたリング表示３４についても同様である。
【０２０９】
スコープサブ表示３４に警報パネル３６が設定されているときに制御部１０がリング３４０に実行させる所定の動作には、（１）アロー動作、（２）ローリング動作、（３）フラッシュ動作が含まれている。
（１）アロー動作
図１４２及び図１４３に例示するごとく、視認可能なターゲットの警報パネル３６の場合、そのターゲットがフォーカスされる毎に、ターゲットの方位が３回アニメーションで表現される。図１４３は、リング３４０を示している。リング３４０を構成する各枠は、色を変更表示可能な箇所を表している。本例のリング３４０では、このような箇所が隙間を空けて周方向全周に渡って配置されている。同図中、白抜きは、地のままの箇所を示し、ハッチングは、点灯（着色表示）した箇所（特定箇所）を示している。アロー動作は、同図（ａ）→（ｂ）→（ｃ）のように、時計の文字盤に例えると２時と３時の中間辺りの特定の１箇所（ｃ）に向かって両側から挟みこむように移動する動作を含んでいる。本例のアロー動作では、（ａ）→（ｂ）→（ｃ）の動作が３回繰り返された後、２時と３時の中間辺りの特定の１箇所が示され、これによりターゲットの方位が表示される。
【０２１０】
本例の警報パネル３６の動作設定では、アニメループ、アニメ→静止、静止という３種類の設定が可能である。アニメループの設定は、（ａ）→（ｂ）→（ｃ）の動作が３回繰り返された後、（ｃ）→（ｄ）の表示が交互に繰り返されターゲットの方位が振動するように表示される。アニメ→静止の設定では、（ａ）→（ｂ）→（ｃ）の動作が３回繰り返された後、（ｃ）の表示に固定されターゲットの方位が表示される。静止の設定では、アロー動作を経由することなく、直ちに（ｃ）の静止表示によりターゲット方位が表示される。
【０２１１】
（２）ローリング動作
図１４４及び図１４５に例示するごとく、ＲＤ（レーダー）警報中、無線警報発生中、もしくはオービスの３５０ｍ手前（自車速度告知開始時から）から通過まで、リング回転による警報が行われる。特に、ＲＤ警報中は、警報レベルに応じて回転速度が上昇する。なお、このローリング動作は、警報パネル動作設定に依存することなく実施される。
（３）フラッシュ動作
図１４６及び図１４７に例示するごとく、車上狙い、駐禁、制限速度切り替え、合流など、方向がないターゲットの場合、リング全体が数回フラッシュする。警報パネル動作設定がアニメループあるいはアニメ→静止の設定の場合、フラッシュ動作が実行され、静止の設定の場合、全リングが点灯される。
なお、リングアクションの表示色は、警報対象のターゲットの緊急度（警報レベル）を表す「赤色」、「黄色」、「青色」、「緑色」という種別（図４参照。）に対応する色が設定される。
【０２１２】
なお、プリセット画面中のリング表示３４に警報パネル３６が設定された場合のリングアクションの例を図１４８〜図１５２に示す。図１４８は、ループコイル式オービスなど方向有りのＧＰＳターゲットの警報例であり、ターゲットへの方位がアロー動作によって表示される。図１４９は、無線警報の例であり、ローリング動作によって注意が促される。なお、このときの表示色は、無線の種別に応じた色（図８５参照。）が設定される。図１５０は、ＲＤ警報の例である。受信レベルによってローリング動作の回転速度が変更される。図１５１は、方向なしのＧＰＳターゲット（合流）の報知例である。このときには、フラッシュ動作により、リング３４０全体が点滅する。なお、表示色は、図４の種別に対応する色が設定される。図１５２は、オービスまでの距離が３５０ｍ以内になったときの警報例である。高速回転するローリング動作により注意が促される。
【０２１３】
■  １０．  投稿  ■
本例のレーダー探知機１によれば、交通監視活動に関する投稿情報を外部サーバーに対して投稿可能である。
■  １０．１  投稿情報のデータ仕様  ■
本例のレーダー探知機１による投稿情報のデータ仕様は、図１５３の通りである。なお、同図では、通信に必要となるヘッダー情報等の図示を省略してある。本例の投稿情報は、投稿元を特定するためのレーダー探知機１の製品情報（シリアル番号等）と、投稿ピン情報と、を組み合わせて構成されている。投稿ピン情報を構成するＸ、Ｙ、Ａ・・・等の各データの内訳は、図１５４（ａ）の通りである。同図（ａ）の各データのうち、Ｔ、Ｒ、Ｍの各データの内容は、同図（ｂ）、（ｃ）、（ｄ）の通りである。
【０２１４】
鮮度情報は、投稿対象の交通監視活動の実施時期を表す情報である。対象の交通監視活動の実施時期に応じて、図１５４（ｃ）のごとく、鮮度を表すデータ値が規定されている。例えば、現在実施中の交通監視活動を対象とする投稿情報であれば、鮮度の値がゼロになり、１週間を超えて１ヶ月以内に実施された交通監視活動を対象とする投稿情報であれば、鮮度の値が２０になる。一方、常設設置タイプのオービス等を対象とした投稿情報については、鮮度のデータ値が２５５になる。
方位種別情報は、位置情報に含まれる取締方位を補足する情報である。方位種別情報を利用すれば、反対車線の監視活動の取締方位を指定できるほか、交通監視活動が走行車線の右側か左側かの指定等も可能になる。例えば、走行車線を対象とした交通監視活動であれば、図１５５における０ｘ０２の進行方位（車両の進行方向）を１８０度反転した０ｘ０１が取締方位の種別となる。例えば、中央分離帯に設置されたオービスの手前で投稿ピン４４（図１５７）が登録されたとき、走行車線の右斜め方向にオービスが設定されていることになる。この場合の取締方位の種別は、同図における０ｘ１０の方位となる。
【０２１５】
■  １０．２  投稿処理  ■
（１）投稿情報の生成
制御部１０は、待受画面の表示中にＭＥＭＯＲＹボタン２２２の操作を検出したとき、図１５６のごとく、ピン設定ボタンを含む４個の登録メニューボタン３１３を画面上にポップアップ表示する。登録メニューボタン３１３としては、投稿ピン４４（図１５７）を登録するピン設定ボタンのほかに、ボタンを押した時の自車測位位置の緯度経度を２次元バーコード表示させるＩＴＹマップボタン、マイエリアを登録するマイエリアボタン、登録エリアをキャンセルするキャンセルボタンがある。
【０２１６】
ピン設定ボタンがタッチ操作されたとき、制御部１０は、図１５７のごとく、マップ画面３１の現在位置に投稿ピン４４をセットすると共に、その投稿ターゲットの位置情報（緯度経度、住所、取締方位）及びピン登録時刻を前記投稿ピン記憶エリアに登録する。投稿ピン記憶エリアに最大４件の投稿ピン情報を登録可能な本例のレーダー探知機１では、第１ピン〜第４ピンまで４本を限度として投稿ピン４４を登録可能である。同図は、全てのピンが空きであったため、投稿ピン４４として第１ピンが現在位置にセットされると共に、そのときの位置情報やピン登録日時等が第１ピンに対応付けて記憶された例である。なお、交通監視活動の種別、実施態様、方式等を表す活動内容情報については、その後のユーザー操作（図１６１〜図１６３）に応じて生成され投稿ピン記憶エリアに記憶される。
【０２１７】
４本全ての投稿ピン４４が登録済みで投稿ピン記憶エリアに４件の投稿ピン情報が記憶されている場合には、ＭＥＭＯＲＹボタン２２２の操作に応じて図１５８の登録メニューボタン３１３がポップアップ表示される。ここでは、「ピンが一杯です。」の表示を含む登録メニューボタンにより、投稿ピン４４を登録できない旨が表示される。
なお、本例では、取締方位が投稿情報に必須の情報となっているので、ＧＰＳ機能による進行方位が未確定の状態では、投稿ピン４４の登録ができないようになっている。制御部１０は、進行方位が未確定の状態でＭＥＭＯＲＹボタン２２２が操作されたとき、方位未確定を表す登録メニューボタンを含む登録メニューボタン３１３をポップアップ表示する（図１５９）。また、ＧＰＳ機能による測位が行われていない非測位の状態でＭＥＭＯＲＹボタン２２２が操作されたときには、制御部１０は、マップ画面３１の上部に、ＧＰＳサーチ中である旨をテロップ表示する（図１６０）。
【０２１８】
制御部１０は、マップ画面３１に対するタッチ操作を検出したとき、図１６１の最上段の設定一覧画面１Ａを表示する。この設定一覧画面１Ａには、投稿情報を投稿するための投稿ボタンを含む各種の設定ボタンが配置されている。投稿ボタンがタッチ操作されたとき、制御部１０は、同図中、中段の投稿ピンメニューＪ１の表示に切り換える。この投稿ピンメニュー画面Ｊ１は、確認ボタンと消去ボタンとが投稿ピン毎に配置された画面である。なお、未登録の投稿ピンについては、確認ボタン、消去ボタン共にシャドー表示されて操作不可能な状態となる。ピン確認ボタンへのタッチ操作を検出した制御部１０は、その投稿ピンに対応する投稿ピン情報を前記投稿ピン記憶エリアから読み出す。制御部１０は、読み出した投稿ピン情報のうちの位置情報（緯度経度、住所、取締方位）及び時刻情報（ピン登録日時）のテキスト表示のほか、投稿処理を開始するための投稿ボタンが配置されたピン確認画面Ｊ２を表示する。投稿情報の生成は、この投稿ボタンのタッチ操作に応じて開始される。
【０２１９】
投稿ボタンとしては、投稿ピン情報を投稿するための登録投稿ボタンと、投稿情報の削除をリクエストするための削除投稿ボタンと、がある。投稿情報を削除するための削除投稿は、投稿情報に対応する交通監視活動が既に終了等していて実施されていない場合の投稿である。削除投稿ボタンのタッチ操作を検出した制御部１０は、削除リクエストの投稿情報が記録されたコード画像１５Ｃを生成し、このコード画像１５Ｃを含む投稿画面Ｊ８１をタッチパネル１５に表示する。
【０２２０】
制御部１０は、図１６２のごとく、ピン確認画面Ｊ２内の登録投稿ボタンのタッチ操作を検出したとき、交通監視活動の種別等に応じて、同図及び図１６３の投稿画面Ｊ３〜Ｊ８０を適宜、タッチパネル１５に表示する。図１６２の投稿画面Ｊ３〜Ｊ５は、投稿対象の交通監視活動の種別（カテゴリー）や、その実施態様や、方式等の活動内容情報（図１５３）を生成する画面である。
【０２２１】
投稿画面Ｊ３は、交通監視活動の種別（カテゴリー）を選択する画面である。投稿画面Ｊ４、Ｊ５は、交通監視活動の実施態様や方式等を選択する画面である。ここで、交通監視活動の種別は、オービス、Ｎシステム、検問、及び取締の交通監視活動の種類である。交通監視活動の実施態様や方式のバリエーションは、交通監視活動の種別によって相違している。例えば、Ｎシステムであれば、実施態様や方式のバリエーションがない。一方、取締については、ねずみ捕りや移動オービスのバリエーションがあり、さらに移動オービスについてはレーダー式、ステルス式等のバリエーションがある。投稿操作の中で、投稿画面が表示されるか否かは、交通取締活動の種別等によって相違してくる。
【０２２２】
なお、交通監視活動の実施態様や方式等を選択させる投稿画面Ｊ３を除く投稿画面Ｊ４、Ｊ５には、いずれも、「その他」の操作ボタンが設けられている。「その他」の操作ボタンが操作されたとき、制御部１０は、投稿ピン記憶エリアに記憶された活動内容情報を確定し、投稿画面を直ちに切換表示する。このような仕様の本例のレーダー探知機１では、例えば、オービス（速度違反）の方式の違いを知らないユーザーであっても、その知識レベルに応じて「オービスが設置されている」という詳細レベルの投稿情報を比較的簡単に生成可能である。一方、オービスの方式の違いに詳しい知識レベルの高いユーザーであれば、投稿画面上でいずれかの方式を選択することで、詳細レベルの高い投稿情報を生成可能である。
【０２２３】
制御部１０は、投稿画面Ｊ３〜Ｊ５の画面上でのユーザー操作に応じて生成された活動内容情報を、投稿ピン記憶エリアに記憶された投稿ピン情報に追加する。なお、投稿対象の交通監視活動の種別を選択する投稿画面Ｊ３を除き、実施態様や方式等を選択する投稿画面Ｊ４、Ｊ５には、その他あるいは不明を選択する操作ボタンが設定されている。投稿画面Ｊ４、Ｊ５にその他等を選択する操作ボタンを設ける目的は、交通取締にあまり詳しくないユーザーによる投稿を簡単にして投稿を活性化するためである。
【０２２４】
図１６３の投稿画面Ｊ６は、投稿対象の交通監視活動の実施時期を表す鮮度情報（図１５３、図１５４）を入力するための操作画面である。この投稿画面Ｊ６には、現在実施中を選択する操作ボタンのほか、１週間以内の操作ボタン、１ヶ月以内の操作ボタン、３ヶ月以内の操作ボタン等が配置されている。制御部１０は、投稿画面Ｊ６上で選択された操作ボタンに応じた鮮度情報を、投稿ピン記憶エリアに記憶された投稿ピン情報に追加する。
図１６４に拡大表示する投稿画面Ｊ７は、取締方位の種別を選択するための投稿画面である。この投稿画面Ｊ７には、「走行車線」、「反対車線」、「右方向」、「左方向」の操作ボタンが配置されている。各操作ボタンの下側には、対応する内容の直感的なイラスト表示が配置されている。投稿画面Ｊ７上で選択された操作ボタンに応じた方位種別情報（図１５３〜図１５５）を、投稿ピン記憶エリアに記憶された投稿ピン情報に追加する。
【０２２５】
投稿画面Ｊ７でいずれかの操作ボタンが操作されると、投稿ピン情報（図１５３）の生成が完了する。制御部１０は、投稿ピン記憶エリアから投稿ピン情報を読み出したうえ、製品情報（図１５３）を追加して投稿情報を生成する。そして、この投稿情報が記録されたコード画像１５Ｃを生成し、図１６３のごとく、このコード画像１５Ｃを含む投稿画面Ｊ８０をタッチパネル１５に表示する。投稿しようとするユーザーは、例えば、コード画像対応の投稿ソフトを起動したスマートフォン（多機能型携帯電話）等の携帯端末でコード画像１５Ｃを撮影すれば良い。コード画像１５Ｃを撮影した携帯端末は、画像処理を実行して撮影画像中のコード画像の切り出し、及びコード画像１５Ｃに記録された投稿情報の読取りを実行し、その投稿情報をサーバー側に送信する。
【０２２６】
登録された投稿ピン４４（図１５７等）の消去は、図１６１中段の投稿ピンメニュー画面Ｊ１の消去ボタンの操作により実行可能である。この消去ボタンが操作されると、図１６５（ａ）のごとく、消去を確認する画面、及び消去を完了した旨を表示する画面を経由して、対応する投稿ピンの消去が完了する。図１６１最上段の設定一覧画面１Ａにおいてシステムボタンを操作すれば、図１６５（ｂ）のごとく、データ消去画面を切換え表示できる。このデータ消去画面で投稿ピンボタンを選択することにより投稿ピン及び対応する投稿ピン情報を一括消去することも可能である。
【０２２７】
なお、本例のレーダー探知機１は、コード画像１５Ｃ（図１６３）を介して携帯端末に投稿情報を転送している。これに代えて、ＷｉＦｉ等の無線通信によってレーダ探知機１と携帯端末とを通信可能な状態で接続し、投稿情報を転送しても良い。例えば、携帯端末側で専用ソフトが起動している状態下で、レーダー探知機１のタッチパネル１５に表示された投稿ボタンを操作すれば、その投稿情報が携帯端末を経由して投稿されるように構成することも良い。レーダー探知機１にＷｉＦｉ機能を具備させるためには、ＷｉＦｉモジュール等を組み込めば良い。携帯端末は、アクセスポイント（テザリング）機能を有する携帯端末であれば良い。携帯端末と無線通信可能なレーダー探知機１であれば、携帯端末を経由して投稿ターゲット情報の配信を受けることも可能である。レーダー探知機１側で投稿ターゲット情報の報知や警報等が可能になる。
【０２２８】
■  １１．まとめ  ■
以上のように、本例のレーダー探知機１は、ユーザー側の操作により多彩な設定が可能であり、幅広いユーザーニーズに対してきめ細かく対応できる車両用システムである。詳細な情報を求めるユーザーに対しては、非常に詳細なマニアックな情報を提示可能である。一方、直感的にわかり易い情報提示を求めるユーザーに対しては、情報の把握を容易化するための様々な工夫が盛り込まれている。さらに、ＯＢＤ機能に基づく車両情報の表示画面（プリセット画面）を待受に設定したいユーザーに対しても警報を実施できるよう、車速等を設定する情報表示領域（リング表示）について、警報パネル３６の設定を可能としている。
【０２２９】
特に、クラシックスコープ画面３２（図１３等）では、自車周辺のターゲットがスコープ面上にわかり易く表示されている。このクラシックスコープ画面３２では、いずれかのターゲットがフォーカスターゲットとして選択され、そのフォーカスターゲットに関する情報の報知が行われる。フォーカスターゲットは、十字ゲージ３２７やカーソル３２５によってマーキングされているので、いずれのターゲットがフォーカスターゲットであるか、一見して把握できる。運転中のドライバーにとっても把握が容易になっている。
【０２３０】
フォーカスターゲットに関する情報は、スコープ面の表示色、スコープサブ表示３４、メッセージウィンドウ３２Ｍを利用して報知される。いずれの表示も非常にわかり易く、直感的に情報を把握できる表示となっている。このように様々な情報を直感的に把握できる本例のレーダー探知機１は、ドライバー等を的確に支援することで、運転に集中するように仕向けることが可能なシステムとなっている。さらに、スコープサブ表示３４には、初期設定の警報パネル３６に代えて、ユーザーの好みに応じて時計や車速等を表示させることも可能となっている。このレーダー探知機１は、幅広いユーザーニーズにきめ細かく対応でき、いろいろなユーザーにとって役立つシステムとなっている。
【０２３１】
リング表示３４を３箇所まで設定可能なプリセット画面（図４３等）では、ユーザーの好みによって実に様々な表示項目をリング表示３４に設定可能である。リング表示３４は、クラシックスコープ画面３２のスコープサブ表示３４と同じ仕様となっており、警報パネル３６を設定することも可能である。それ故、プリセット画面を待受に設定したとき、車速や加速度のリング表示３４と共に、警報パネル３６のリング表示３４を配置することも可能である。いずれかのリング表示３４に警報パネル３６を設定しておけば、プリセット画面を待受に固定した場合であっても交通監視活動に関する監視情報の報知を受けることが可能になっている。
【０２３２】
リング表示３４とスコープサブ表示３４とが同じ仕様に設定された本例のレーダー探知１では、プリセット画面とクラシックスコープ画面３２とで動作の一貫性が担保され、操作方法の習得し易さ、使い易さが向上されている。特に、スコープサブ表示３４について、円形の表示領域を採用したことで、プリセット画面内の車速や加速度等の情報を表示するためのリング表示３４との親和性が向上され、仕様の共通化が実現されている。プリセット画面では、リング表示３４のひとつに警報パネル３６を設定しても違和感が生じないようになっている（図１４８等）。
【０２３３】
スコープサブ表示３４やリング表示３４の外周部は円環状のリング３４０によって構成されている。本例のレーダー探知機１では、スコープサブ表示３４の装飾枠でもあるリング３４０を活用した表示動作（リングアクション）が設定されている。リング３４０を利用すれば、ランプが点灯したように表示される箇所を移動させることで、アロー動作（図１４２等）やローリング動作（図１４４等）やフラッシュ動作（図１４６等）などの様々な動きを表現可能である。人間の目によって検知され易い動きを、報知動作に取り入れれば運転中のドライバー等の注意を確実性高く惹きつけることが可能になり、報知情報を確実性高く伝達できるようになる。報知のない状態において、レーダー探知機１の画面に注意を向ける必要性を低減できるので、これにより運転中のドライバー等の注意力を進行方向前方に向かわせ安全性を向上できる。リング３４０による表示動作の表示色は、報知する交通監視活動の種別に応じた色となっている。交通監視活動の種別と色との関係を知っているユーザーであれば、リングアクションの表示色を一見しただけで車両の置かれた走行状況を直ちに把握することが可能である。
【０２３４】
さらに、プリセット画面には、ユーザーが用意した背景画像を設定することも可能となっている（図１３３等）。大事な写真を背景画像に設定した場合であれば、いずれかのリング表示３４を非表示に設定することで、背景画像の表示領域を拡大して同乗者に写真を見せたり、自分で眺めたりできる。３箇所のリング表示３４のうちいずれを非表示とするかは全く任意に設定できるので、写真の大事な部分を表示させるように非表示のリング表示３４を設定すると良い。なお、リング表示３４は、半透過の表示モードを選択することも可能である。半透過モードを選択すれば、背景画像を透けて見せて味わいのある画面を演出することも可能である。
【０２３５】
マップ画面３１では、地図領域の表示数と、警報パネル領域の表示数と、をユーザーが好みに設定できるようになっている。地図を広く表示させたいユーザーや、交通監視活動の実施地点への接近時に警報パネルをポップアップ表示させたいユーザー等、様々なニーズを持つユーザーに幅広くきめ細かく対応可能である。特に、警報パネル領域を２箇所設定した場合には（図７９）、警報パネル３６の監視情報に対応する位置を容易に把握できるよう、ミニレーダースコープ３８上のミニアイコン３８３と警報パネル３６とがリンク線３１２により関係付けされている。２箇所の警報パネル領域には、優先度合いに差が設けられている。左側の警報パネルには、一定以上の警報レベルの情報のみが報知されるようになっている。重要な情報は必ず左側の警報パネルに表示されるようになっており、ユーザー側から見て非常にわかり易い表示仕様となっている。
【０２３６】
なお、マップ画面３１に表示される警報パネル３６は、スコープサブ表示３４やリング表示３４に設定可能な警報パネルと同じ仕様となっている。それ故、マップ画面３１を待受に設定しても、クラシックスコープ画面３２を設定しても、プリセット画面を設定しても、動作の一貫性が保たれている。このように、本例のレーダー探知機１では、ユーザー側から見て非常に理解の容易な一貫性のある仕様が実現されている。
【０２３７】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【０２３８】
１  レーダー探知機
１０  制御部
１００  データベース
１２１  ＧＰＳ受信器
１２２  マイクロ波受信器
１２３  無線受信器
１２４  加速度センサ
１２５  ジャイロ
１２６  地磁気センサ
１２７  照度センサ
１２８  気圧センサ
１２９  クロック部
１３７  マルチカラーＬＥＤ
１３８  赤外線受光部
１５  タッチパネル
１５１  タッチスクリーン
１５２  ＴＦＴ液晶ディスプレイ
１６  スピーカ
１７  メモリーカードリーダ
１７１  メモリーカード
２２  操作ボタン
３１  マップ画面
３２  クラシックスコープ画面
３４  リング表示、スコープサブ表示
３４０  リング
３６  警報パネル
４４  投稿ピン
【図１】
2019094058.tif 000004
【図２】
2019094058.tif 000005
【図３】
2019094058.tif 000006
【図４】
2019094058.tif 000007
【図５】
2019094058.tif 000008
【図６】
2019094058.tif 000009
【図７】
2019094058.tif 000010
【図８】
2019094058.tif 000011
【図９】
2019094058.tif 000012
【図１０】
2019094058.tif 000013
【図１１】
2019094058.tif 000014
【図１２】
2019094058.tif 000015
【図１３】
2019094058.tif 000016
【図１４】
2019094058.tif 000017
【図１５】
2019094058.tif 000018
【図１６】
2019094058.tif 000019
【図１７】
2019094058.tif 000020
【図１８】
2019094058.tif 000021
【図１９】
2019094058.tif 000022
【図２０】
2019094058.tif 000023
【図２１】
2019094058.tif 000024
【図２２】
2019094058.tif 000025
【図２３】
2019094058.tif 000026
【図２４】
2019094058.tif 000027
【図２５】
2019094058.tif 000028
【図２６】
2019094058.tif 000029
【図２７】
2019094058.tif 000030
【図２８】
2019094058.tif 000031
【図２９】
2019094058.tif 000032
【図３０】
2019094058.tif 000033
【図３１】
2019094058.tif 000034
【図３２】
2019094058.tif 000035
【図３３】
2019094058.tif 000036
【図３４】
2019094058.tif 000037
【図３５】
2019094058.tif 000038
【図３６】
2019094058.tif 000039
【図３７】
2019094058.tif 000040
【図３８】
2019094058.tif 000041
【図３９】
2019094058.tif 000042
【図４０】
2019094058.tif 000043
【図４１】
2019094058.tif 000044
【図４２】
2019094058.tif 000045
【図４３】
2019094058.tif 000046
【図４４】
2019094058.tif 000047
【図４５】
2019094058.tif 000048
【図４６】
2019094058.tif 000049
【図４７】
2019094058.tif 000050
【図４８】
2019094058.tif 000051
【図４９】
2019094058.tif 000052
【図５０】
2019094058.tif 000053
【図５１】
2019094058.tif 000054
【図５２】
2019094058.tif 000055
【図５３】
2019094058.tif 000056
【図５４】
2019094058.tif 000057
【図５５】
2019094058.tif 000058
【図５６】
2019094058.tif 000059
【図５７】
2019094058.tif 000060
【図５８】
2019094058.tif 000061
【図５９】
2019094058.tif 000062
【図６０】
2019094058.tif 000063
【図６１】
2019094058.tif 000064
【図６２】
2019094058.tif 000065
【図６３】
2019094058.tif 000066
【図６４】
2019094058.tif 000067
【図６５】
2019094058.tif 000068
【図６６】
2019094058.tif 000069
【図６７】
2019094058.tif 000070
【図６８】
2019094058.tif 000071
【図６９】
2019094058.tif 000072
【図７０】
2019094058.tif 000073
【図７１】
2019094058.tif 000074
【図７２】
2019094058.tif 000075
【図７３】
2019094058.tif 000076
【図７４】
2019094058.tif 000077
【図７５】
2019094058.tif 000078
【図７６】
2019094058.tif 000079
【図７７】
2019094058.tif 000080
【図７８】
2019094058.tif 000081
【図７９】
2019094058.tif 000082
【図８０】
2019094058.tif 000083
【図８１】
2019094058.tif 000084
【図８２】
2019094058.tif 000085
【図８３】
2019094058.tif 000086
【図８４】
2019094058.tif 000087
【図８５】
2019094058.tif 000088
【図８６】
2019094058.tif 000089
【図８７】
2019094058.tif 000090
【図８８】
2019094058.tif 000091
【図８９】
2019094058.tif 000092
【図９０】
2019094058.tif 000093
【図９１】
2019094058.tif 000094
【図９２】
2019094058.tif 000095
【図９３】
2019094058.tif 000096
【図９４】
2019094058.tif 000097
【図９５】
2019094058.tif 000098
【図９６】
2019094058.tif 000099
【図９７】
2019094058.tif 000100
【図９８】
2019094058.tif 000101
【図９９】
2019094058.tif 000102
【図１００】
2019094058.tif 000103
【図１０１】
2019094058.tif 000104
【図１０２】
2019094058.tif 000105
【図１０３】
2019094058.tif 000106
【図１０４】
2019094058.tif 000107
【図１０５】
2019094058.tif 000108
【図１０６】
2019094058.tif 000109
【図１０７】
2019094058.tif 000110
【図１０８】
2019094058.tif 000111
【図１０９】
2019094058.tif 000112
【図１１０】
2019094058.tif 000113
【図１１１】
2019094058.tif 000114
【図１１２】
2019094058.tif 000115
【図１１３】
2019094058.tif 000116
【図１１４】
2019094058.tif 000117
【図１１５】
2019094058.tif 000118
【図１１６】
2019094058.tif 000119
【図１１７】
2019094058.tif 000120
【図１１８】
2019094058.tif 000121
【図１１９】
2019094058.tif 000122
【図１２０】
2019094058.tif 000123
【図１２１】
2019094058.tif 000124
【図１２２】
2019094058.tif 000125
【図１２３】
2019094058.tif 000126
【図１２４】
2019094058.tif 000127
【図１２５】
2019094058.tif 000128
【図１２６】
2019094058.tif 000129
【図１２７】
2019094058.tif 000130
【図１２８】
2019094058.tif 000131
【図１２９】
2019094058.tif 000132
【図１３０】
2019094058.tif 000133
【図１３１】
2019094058.tif 000134
【図１３２】
2019094058.tif 000135
【図１３３】
2019094058.tif 000136
【図１３４】
2019094058.tif 000137
【図１３５】
2019094058.tif 000138
【図１３６】
2019094058.tif 000139
【図１３７】
2019094058.tif 000140
【図１３８】
2019094058.tif 000141
【図１３９】
2019094058.tif 000142
【図１４０】
2019094058.tif 000143
【図１４１】
2019094058.tif 000144
【図１４２】
2019094058.tif 000145
【図１４３】
2019094058.tif 000146
【図１４４】
2019094058.tif 000147
【図１４５】
2019094058.tif 000148
【図１４６】
2019094058.tif 000149
【図１４７】
2019094058.tif 000150
【図１４８】
2019094058.tif 000151
【図１４９】
2019094058.tif 000152
【図１５０】
2019094058.tif 000153
【図１５１】
2019094058.tif 000154
【図１５２】
2019094058.tif 000155
【図１５３】
2019094058.tif 000156
【図１５４】
2019094058.tif 000157
【図１５５】
2019094058.tif 000158
【図１５６】
2019094058.tif 000159
【図１５７】
2019094058.tif 000160
【図１５８】
2019094058.tif 000161
【図１５９】
2019094058.tif 000162
【図１６０】
2019094058.tif 000163
【図１６１】
2019094058.tif 000164
【図１６２】
2019094058.tif 000165
【図１６３】
2019094058.tif 000166
【図１６４】
2019094058.tif 000167
【図１６５】
2019094058.tif 000168